(57)【要約】本出願は、シリコーン化合物、かかるシリコーン化合物を含む組成物、パッケージ化製品、及びディスプレイ、並びに、かかる組成物、かかる組成物を含むパッケージ化製品及びディスプレイの製造方法及び使用方法に関する。かかる組成物は、組成物及び／又は部位に、向上した効果の特性を付与することができるものであり、更に、必要に応じてその親水性／電荷を変化させる、向上した付着及び保持特性を有している。かかるシリコーン化合物は、悪臭をマスキングする以外に、悪臭の感覚細胞への到達を阻止しつつ、かかる感覚細胞を、例えば香り分子といった他の分子に対しては開放したままとすることから、悪臭低減の更なる問題を解決するものである。このため、本明細書に開示されるかかる悪臭抑制技術は、悪臭抑制技術でトリートメントされた香り付けされている、又は香り付けされていない部位の香りを不要に妨げることがない。【特許請求の範囲】
【請求項１】
ａ）シリコーン部分と、
ｂ）有益剤フラグメントを含む置換有機部分を含む部分と、
ｃ）前記シリコーン部分と前記置換有機部分を含む前記部分とを連結する、切断可能な結合を含む部分と、
を含む、シリコーン化合物。
【請求項２】
前記置換有機部分は、置換Ｃ１〜Ｃ３２アルキル、置換Ｃ５〜Ｃ３２アリール、及び置換Ｃ６〜Ｃ３２アルキルアリールからなる群から選択され、前記置換Ｃ１〜Ｃ３２アルキル、置換Ｃ５〜Ｃ３２アリール、及び置換Ｃ６〜Ｃ３２アルキルアリールのそれぞれは、
【化１】
2020525591.tif 000039
及びこれらの組み合わせからなる群から選択される置換基を含み、各Ｒ７は、独立して、Ｈ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、及びＣ５〜Ｃ３２置換アルキルアリールからなる群から選択され、各Ｒ８は、独立して、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、及びＣ５〜Ｃ３２置換アルキルアリールからなる群から選択され、好ましくは前記置換有機部分は、置換Ｃ１〜Ｃ３２アルキル、置換Ｃ５〜Ｃ３２アリール、及び置換Ｃ６〜Ｃ３２アルキルアリールからなる群から選択され、前記置換Ｃ１〜Ｃ３２アルキル、置換Ｃ５〜Ｃ３２アリール、及び置換Ｃ６〜Ｃ３２アルキルアリールのそれぞれは、
【化２】
2020525591.tif 000040
及びこれらの組み合わせからなる群から選択される置換基を含み、各Ｒ７は、独立して、Ｈ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、及びＣ５〜Ｃ３２置換アルキルアリールからなる群から選択され、各Ｒ８は、独立して、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、及びＣ５〜Ｃ３２置換アルキルアリールからなる群から選択される、請求項１に記載のシリコーン化合物。
【請求項３】
前記シリコーン部分が、式：
［Ｒ１Ｒ２Ｒ３ＳｉＯ１／２］（ｊ＋２ｌ＋２）［Ｒ４Ｒ５ＳｉＯ２／２］ｍ［Ｒ６ＳｉＯ３／２］ｊ［ＳｉＯ４／２］ｌ
［式中、
ａ）ｊは、０〜１５０、好ましくは０〜５０、より好ましくは０〜２０の整数であり、
ｂ）ｍは、０〜１５００、好ましくは１〜１５００、より好ましくは２０〜１０００、最も好ましくは２０〜４００の整数であり、
ｃ）ｌは、０〜１５０、好ましくは０〜１５０、より好ましくは０〜５０、最も好ましくは０〜２０の整数であり、
ただし、ｊ＋ｍ＋ｌは、１以上の整数に等しく、
ｄ）Ｒ１、Ｒ２、Ｒ３、Ｒ４、Ｒ５、及びＲ６部分のそれぞれは、独立して、Ｈ、ＯＨ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ６〜Ｃ３２置換アルキルアリール、Ｃ１〜Ｃ３２アルコキシ、及びＣ１〜Ｃ３２置換アルコキシ、及び−Ｘｔ−Ａ−Ｙからなる群から選択され、指数ｔは０又は１であり、ただし、部分Ｒ１〜Ｒ６の少なくとも１つは、−Ｘｔ−Ａ−Ｙであり、
（ｉ）各Ｘ部分は、独立して、１個〜２４個の炭素原子、好ましくは１個〜１６個の炭素原子、より好ましくは１個〜１２個の炭素原子、最も好ましくは２個〜１２個の炭素原子を含む置換又は非置換の二価のアルキレンラジカルであり、
（ｉｉ）各Ａ部分は、独立して、
【化３】
2020525591.tif 000041
（式中、Ｅは電子求引基であり、好ましくは、Ｅは、Ｎ、Ｏ、Ｓ、アリール部分、及びアルケン部分からなる群から選択され、より好ましくは、ＥはＮである）、及び
【化４】
2020525591.tif 000042
（式中、Ｔは、電子求引基Ｅ又はＲ７から選択され、好ましくは、Ｅは、Ｏ、Ｓ、アリール部分、及びアルケン部分からなる群から選択され、ただし、少なくとも１つのＴはＥである）、からなる群から選択され、
各ａ部分の各Ｒ７部分は、独立して、Ｈ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ６〜Ｃ３２置換アルキルアリールからなる群から選択され、
各Ａ部分の各Ｚは、独立して、
【化５】
2020525591.tif 000043
からなる群から選択され、
ｐは１〜３２の整数であり、好ましくはｐは１〜１０の整数であり、より好ましくはｐは２〜８の整数であり、最も好ましくはｐは２〜４の整数であり、
（ｉｉ）各Ｙ部分は、独立して、
【化６】
2020525591.tif 000044
からなる群から選択される少なくとも１つの置換基を含むＣ１〜Ｃ３２アルキル、Ｃ５〜Ｃ３２アリール、及びＣ６〜Ｃ３２アルキルアリールからなる群から選択され、１個のアスタリスクを有する前記結合はＡとの結合を示し、２個のアスタリスクを有する前記結合は有益剤フラグメントとの結合を表す。］を有する、請求項１に記載のシリコーン化合物。
【請求項４】
各Ａ部分は、独立して、
【化７】
2020525591.tif 000045
からなる群から選択される、請求項３に記載のシリコーン化合物。
【請求項５】
前記シリコーン部分の、
ａ）ｊは、０〜２０の整数であり、
ｂ）ｍは、２０〜４００の整数であり、
ｃ）ｌは、０〜２０の整数であり、
ｄ）Ｒ１、Ｒ２、Ｒ３、Ｒ４、Ｒ５、及びＲ６部分のそれぞれは、独立して、ＯＨ、Ｃ１〜Ｃ３２アルキル、及び−Ｘｔ−Ａ−Ｙからなる群から選択され、指数ｔは０又は１であり、ただし、部分Ｒ１〜Ｒ６のうちの少なくとも１つは、−Ｘｔ−Ａ−Ｙであり、
（ｉ）各Ｘ部分は、独立して、２個〜１２個の炭素原子を含む置換又は非置換の二価のアルキレンラジカルであり、
（ｉｉ）各Ａ部分は、独立して、
【化８】
2020525591.tif 000046
からなる群から選択され、
（ｉｉ）各Ｙ部分は、独立して、
【化９】
2020525591.tif 000047
からなる群から選択される少なくとも１つの置換基を含むＣ１〜Ｃ３２アルキル、Ｃ５〜Ｃ３２アリール、及びＣ６〜Ｃ３２アルキルアリールからなる群から選択され、好ましくは、前記置換有機部分は、置換Ｃ１〜Ｃ３２アルキル、置換Ｃ５〜Ｃ３２アリール、及び置換Ｃ６〜Ｃ３２アルキルアリールからなる群から選択され、前記置換Ｃ１〜Ｃ３２アルキル、置換Ｃ５〜Ｃ３２アリール、及び置換Ｃ６〜Ｃ３２アルキルアリールのそれぞれは、
【化１０】
2020525591.tif 000048
及び、これらの組み合わせからなる群から選択される置換基を含み、各Ｒ７は、独立して、Ｈ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、及びＣ５〜Ｃ３２置換アルキルアリールからなる群から選択され、各Ｒ８は、独立して、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、及びＣ５〜Ｃ３２置換アルキルアリールからなる群から選択される、請求項３に記載のシリコーン化合物。
【請求項６】
前記有益剤フラグメントが、シリコーン、香料原料、防臭剤、臭い中和剤、悪臭、精油、エーテル、エステル、ケトン、アルコール、グリコール、シリコーン炭化水素、環状炭化水素、アルデヒド、テルピン、殺虫剤、防虫剤、農薬、抗菌剤、防カビ剤、除草剤及びこれらの混合物からなる群から選択される有益剤のフラグメントであり、好ましくは前記有益剤部分が、３０Ｄａ〜５００Ｄａの分子量、及び／又は−２．０〜８．０のＣＬｏｇＰ、好ましくは−２．０〜７．０のＣＬｏｇＰ、より好ましくは−２．０〜５．０のＣＬｏｇＰを有する有益剤のフラグメントである、請求項１〜５のいずれか一項に記載のシリコーン化合物。
【請求項７】
前記有益剤フラグメントが、ビニルエーテル、ケトン、ヒドロキシル、アルデヒド、チオール、カルボキシル、シラノール、アルコキシ、アセトキシ及びこれらの混合物からなる群から選択される部分を含む有益剤のフラグメントであり、好ましくは前記有益剤部分が、ケトン、ヒドロキシル、アルデヒド、チオール、アルコキシ、及びこれらの混合物からなる群から選択される部分を含む有益剤のフラグメントであり、最も好ましくは前記有益剤部分が、ケトン、ヒドロキシル、アルデヒド及びこれらの混合物からなる群から選択される部分を含む有益剤のフラグメントである、請求項１〜５のいずれか一項に記載のシリコーン化合物。
【請求項８】
前記有益剤フラグメントが、２−（ｐ−トリル）プロパン−２−オール；（２−ヒドロキシ−４−メトキシフェニル）（フェニル）メタノン；４−メチル−１−オキサスピロ［５．５］ウンデカン−４−オール；７−メチル−２Ｈ−ベンゾ［ｂ］［１，４］ジオキセピン−３（４Ｈ）−オン；１，８−ジオキサシクロヘプタデカン−９−オン；４−（ｔｅｒｔ−ペンチル）シクロヘキサン−１−オン；３，７−ジメチルオクタナール；オクタナール；２−メチル−６−メチレンオクタ−７−エン−２−オール；テトラデカナール；２，２，６，８−テトラメチル−１，２，３，４，４ａ，５，８，８ａ−オクタヒドロナフタレン−１−オール；（Ｅ）−２，６−ジメチルオクタ−５，７−ジエン−２−オール；（Ｅ）−２，７−ジメチルオクタ−１，５，７−トリエン−３−オール；（４Ｒ，４ａＳ，６Ｒ）−４，４ａ−ジメチル−６−（プロパ−１−エン−２−イル）−４，４ａ，５，６，７，８−ヘキサヒドロナフタレン−２（３Ｈ）−オン；ノナン−１−オール；ノナナール；３，３−ジメチル−５（２，２，３−トリメチル−３−シクロペンテン−１−イル）−４−ペンテン−２−オール；１−（３−メチルベンゾフラン−２−イル）エタン−１−オン；（Ｅ）−３，７，１１−トリメチルドデカ−１，６，１０−トリエン−３−オール；（Ｚ）−３，７−ジメチルオクタ−２，６−ジエン−１−オール；２−（２−（４−メチルシクロヘキサ−３−エン−１−イル）プロピル）シクロペンタン−１−オン；６，６−ジメチルビシクロ［３．１．１］ヘプタ−２−エン−２−カルバルデヒド；（Ｅ）−４−（２，２，３，６−テトラメチルシクロヘキシル）ブタ−３−エン−２−オン；（Ｚ）−１−（２，６，６−トリメチルシクロヘキサ−１−エン−１−イル）ペンタ１−エン−３−オン；１，７−ジオキサシクロヘプタデカン−８−オン；１−（４−（ｔｅｒｔ−ブチル）−２，６−ジメチル−３，５−ジニトロフェニル）エタン−１−オン；３−メチルシクロペンタデカン−１−オン；（Ｅ）−３−メチルシクロペンタデカ−４−エン−１−オン；（Ｅ）−３，７−ジメチルオクタ−４，６−ジエン−３−オール；３−メチル−４−フェニルブタン−２−オール；１−（４−イソプロピルシクロヘキシル）エタン−１−オール；１−（４−イソプロピルシクロヘキシル）エタン−１−オール；２−メチルデカナール；４−フェニルブタン−２−オール；ウンデカン−２−オン；２−メチルウンデカナール；１−ヒドロキシデカン−３−オン；１−（ナフタレン−２−イル）エタン−１−オン；６−メトキシ−２，６−ジメチルヘプタナール；７−メトキシ−３，７−ジメチルオクタナール；７−イソプロピル−１０−メチル−１，５−ジオキサスピロ［５．５］ウンデカン−３−オール；オクタヒドロ−１Ｈ−４，７−メタノインデン−１−カルバルデヒド；（（１ｓ，４ｓ）−４−イソプロピルシクロヘキシル）メタノール；３−（３−（ｔｅｒｔ−ブチル）フェニル）−２−メチルプロパナール；２，２−ジメチル−３−（ｍ−トリル）プロパン−１−オール；８−イソプロピル−６−メチルビシクロ［２．２．２］オクタ−５−エン−２−カルバルデヒド；４−（４−ヒドロキシ−４−メチルペンチル）シクロヘキサ−３−エン−１−カルバルデヒド；（Ｚ）−３−ヘキセン−１−イル−２−シクロペンテン−１−オン；２−（５−メチル−５−ビニルテトラヒドロフラン−２−イル）プロパン−２−オール；６−メチル−２−（オキシラン−２−イル）ヘプタ−５−エン−２−オール；３，７−ジメチルオクタ−１，６−ジエン−３−オール；３−（４−メチルシクロヘキサ−３−エン−１−イル）ブタナール；（２，５−ジメチル−１，３−ジヒドロインデン−２−イル）メタノール；３−（４−（ｔｅｒｔ−ブチル）フェニル）−２−メチルプロパナール；２−メチル−５−（１−メチルエテニル）−２−シクロヘキセノン；（１Ｓ，５Ｒ）−２−メチル−５−（プロパ−１−エン−２−イル）シクロヘキサ−２−エン−１−オール；ドデカン−１−オール；５−ヘキシル−５−メチルジヒドロフラン−２（３Ｈ）−オン；ドデカナール；３，６−ジメチルヘキサヒドロベンゾフラン−２（３Ｈ）−オン；４−（１−エトキシビニル）−３，３，５，５−テトラメチルシクロヘキサン−１−オン；（（３Ｓ，３ａＲ，６Ｒ，８ａＳ）−７，７−ジメチル−８−メチレンオクタヒドロ−１Ｈ−３ａ，６−メタノアズレン−３−イル）メタノール；（１−メチル−２−（（１，２，２−トリメチルビシクロ［３．１．０］ヘキサン−３−イル）メチル）シクロプロピル）メタノール；（Ｅ）−６−（ペンタ−３−エン−１−イル）テトラヒドロ−２Ｈ−ピラン−２−オン；２−ヘキシルシクロペンタン−１−オン；（Ｚ）−４−（６，６−ジメチルシクロヘキサ−２−エン−１−イル）−３−メチルブタ−３−エン−２−オン；（１Ｒ，２Ｓ，５Ｒ）−５−メチル−２−（プロパ−１−エン−２−イル）シクロヘキサン−１−オール；４，９−ジメトキシ−７Ｈ−フロ［３，２−ｇ］クロメン−７−オン；（Ｅ）−シクロヘキサデカ−８−エン−１−オン；（２Ｓ，５Ｓ）−２−イソプロピル−５−メチルシクロヘキサン−１−オン；２−ヘキシルシクロペンタ−２−エン−１−オン；（２Ｓ，５Ｓ）−２−イソプロピル−５−メチルシクロヘキサン−１−オン；４−（４−メチルペンタ−３−エン−１−イル）シクロヘキサ−３−エン−１−カルバルデヒド；１−（（２Ｓ，３Ｓ）−２，３，８，８−テトラメチル−１，２，３，４，５，６，７，８−オクタヒドロナフタレン−２−イル）エタン−１−オン；２，５，６−トリメチルシクロヘキサ−３−エン−１−カルバルデヒド；４−（（２Ｒ）−１，７，７−トリメチルビシクロ［２．２．１］ヘプタン−２−イル）シクロヘキサン−１−オール；１，７，７−トリメチルビシクロ［２．２．１］ヘプタン−２−オール；（Ｅ）−オキサシクロヘプタデカ−１０−エン−２−オン；（Ｅ）−８−（１Ｈ−インドール−１−イル）−２，６−ジメチルオクタ−７−エン−２−オール；８，８−ジ（１Ｈ−インドール−１−イル）−２，６−ジメチルオクタン−２−オール；（７，７，８，８−テトラメチルオクタヒドロ−２，３ｂ−メタノシクロペンタ［１，３］シクロプロパ［１，２］ベンゼン−４−イル）メタノール；３，７−ジメチルオクタン−１，７−ジオール；２−シクロドデシルプロパン−１−オール；３−フェニルプロパン−１−オール；５−エチル−４−ヒドロキシ−２−メチルフラン−３（２Ｈ）−オン；２，３−ジヒドロ−３，３−ジメチル−１Ｈ−インデン−５−プロパナール；３−（３，３−ジメチル−２，３−ジヒドロ−１Ｈ−インデン−５−イル）プロパナール；（Ｚ）−２−ベンジリデンオクタナール；オキサシクロヘプタデカン−２−オン；３−（ベンゾ［ｄ］［１，３］ジオキソール−５−イル）−２−メチルプロパナール；（Ｅ）−オキサシクロヘキサデカ−１３−エン−２−オン；２−（（３Ｓ，５Ｒ，８Ｓ）−３，８−ジメチル−１，２，３，４，５，６，７，８−オクタヒドロアズレン−５−イル）プロパン−２−オール；１−（２，６，６−トリメチルシクロヘキサ−２−エン−１−イル）ペンタン−３−オン；（６Ｅ，１０Ｅ）−３，７，１１，１５−テトラメチルヘキサデカ−１，６，１０，１４−テトラエン−３−オール；（Ｅ）−２−（３，７−ジメチルオクタ−２，６−ジエン−１−イル）シクロペンタン−１−オン；５−ヘプチルジヒドロフラン−２（３Ｈ）−オン；１−メチル−４−（プロパン−２−イリデン）シクロヘキサン−１−オール；５−ペンチルジヒドロフラン−２（３Ｈ）−オン；５−［（Ｚ）−ヘキサ−３−エニル］オキソラン−２−オン；（Ｚ）−４−（２，２−ジメチル−６−メチレンシクロヘキシル）ブタ−３−エン−２−オン；２−（（２Ｒ，４ａＲ）−４ａ，８−ジメチル−１，２，３，４，４ａ，５，６，７−オクタヒドロナフタレン−２−イル）プロパン−２−オール；５−オクチルジヒドロフラン−２（３Ｈ）−オン；（Ｚ）−１−（２，２−ジメチル−６−メチレンシクロヘキシル）ブタ−２−エン−１−オン；５−ヘキシルジヒドロフラン−２（３Ｈ）−オン；１−（３，３−ジメチルシクロヘキシル）ペンタ−４−エン−１−オン；（６−イソプロピル−９−メチル−１，４−ジオキサスピロ［４．５］デカン−２−イル）メタノール；２−イソブチル−４−メチルテトラヒドロ−２Ｈ−ピラン−４−オール；（Ｚ）−６−エチリデンオクタヒドロ−２Ｈ−５，８−メタノクロメン−２−オン；３−（２−エチルフェニル）−２，２−ジメチルプロパナール；３−（２−エチルフェニル）−２，２−ジメチルプロパナール；（Ｅ）−４，８−ジメチルデカ−４，９−ジエナール；（Ｅ）−４−（（３ａＲ，４Ｒ，７Ｒ，７ａＲ）−１，３ａ，４，６，７，７ａ−ヘキサヒドロ−５Ｈ−４，７−メタノインデン−５−イリデン）−３−メチルブタン−２−オール；２−ヘプチルシクロペンタン−１−オン；１，３，３−トリメチルビシクロ［２．２．１］ヘプタン−２−オール；（２Ｅ，６Ｅ）−３，７，１１−トリメチルドデカ−２，６，１０−トリエン−１−オール；オキサシクロヘキサデカン−２−オン；（Ｅ）−シクロペンタデカ−４−エン−１−オン；１−シクロペンタデカ−４−エン−１−オン；２−メトキシ−４−（４−メチレンテトラヒドロ−２Ｈ−ピラン−２−イル）フェノール；４−アリル−２−メトキシフェノール；１，４−ジオキサシクロヘプタデカン−５，１７−ジオン；（Ｅ）−３，７−ジメチルノナ−１，６−ジエン−３−オール；ノナン−３−オン；２−（（１Ｒ，３Ｓ，４Ｓ）−４−メチル−３−（プロパ−１−エン−２−イル）−４−ビニルシクロヘキシル）プロパン−２−オール；（Ｅ）−３−メチル−５−（２，２，３−トリメチルシクロペンタ−３−エン−１−イル）ペンタ−４−エン−２−オール；（２Ｒ，３Ｓ，４Ｒ）−２，３，４，５−テトラヒドロキシペンタナール；（Ｅ）−４−（（３ａＳ，７ａＳ）−オクタヒドロ−５Ｈ−４，７−メタノインデン−５−イリデン）ブタナール；（２Ｒ，５Ｒ）−２−メチル−５−（プロパ−１−エン−２−イル）シクロヘキサン−１−オン；２−（２−ヒドロキシプロポキシ）プロパン−１−オール；７，９−ジメチルスピロ［５．５］ウンデカン−３−オン；２，６−ジメチルオクタ−７−エン−４−オン；２，６−ジメチルオクタ−７−エン−２−オール；３−メチル−２−ペンチルシクロペンタ−２−エン−１−オン；３，３，５−トリメチルシクロヘキサン−１−オン；２−メトキシ−４−プロピルフェノール；２−メチル−５−（プロパ−１−エン−２−イル）シクロヘキサン−１−オン；２−メチル−５−（プロパ−１−エン−２−イル）シクロヘキサン−１−オール；４−（２，６，６−トリメチルシクロヘキサ−２−エン−１−イル）ブタン−２−オン；３，７−ジメチルオクタ−６−エン−３−オール；６−ヘキシルテトラヒドロ−２Ｈ−ピラン−２−オン；６−ヘプチルテトラヒドロ−２Ｈ−ピラン−２−オン；６−ペンチルテトラヒドロ−２Ｈ−ピラン−２−オン；（Ｚ）−１−（（１Ｒ，２Ｓ）−２，６，６−トリメチルシクロヘキサ−３−エン−１−イル）ブタ−２−エン−１−オン；デカ−９−エン−１−オール；デカヒドロナフタレン−２−オール；３−（４−イソプロピルフェニル）−２−メチルプロパナール；シクロペンタデカノン；１，４−ジオキサシクロヘキサデカン−５，１６−ジオン；８，８−ジメチル−１，２，３，４，５，６，７，８−オクタヒドロナフタレン−２−カルバルデヒド；（４−イソプロピルフェニル）メタノール；１−（ベンゾフラン−２−イル）エタン−１−オン；４−シクロヘキシル−２−メチルブタン−２−オール；（Ｅ）−シクロヘプタデカ−９−エン−１−オン；３−（４−メチルシクロヘキサ−３−エン−１−イル）ブタン−１−オール；３，７−ジメチルオクタ−６−エン−１−オール；３，７−ジメチルオクタ−６−エナール；（Ｚ）−３−メチル−２−（ペンタ−２−エン−１−イル）シクロペンタ−２−エン−１−オン；（Ｅ）−オキサシクロヘプタデカ−１１−エン−２−オン；（Ｚ）−ノナ−６−エン−１−
オール；（１Ｒ，５Ｒ）−２−メチル−５−（プロパ−１−エン−２−イル）シクロヘキサ−２−エン−１−オール；（Ｚ）−デカ−４−エナール；（３Ｚ，６Ｚ）−ノナ−３，６−ジエン−１−オール；（Ｅ）−３−フェニルプロパ−２−エン−１−オール；４−クロロ−３，５−ジメチルフェノール；ヘキサデカン−１−オール；（Ｅ）−１−（２，６，６−トリメチルシクロヘキサ−２−エン−１−イル）ヘプタ−１，６−ジエン−３−オン；２−メチル−４−（２，６，６−トリメチルシクロヘキサ−１−エン−１−イル）ブタナール；１，６−ジオキサシクロヘプタデカン−７−オン；１−（６−（ｔｅｒｔ−ブチル）−１，１−ジメチル−２，３−ジヒドロ−１Ｈ−インデン−４−イル）エタン−１−オン；（３Ｒ，３ａＳ，６Ｒ，７Ｒ，８ａＳ）−３，６，８，８−テトラメチルオクタヒドロ−１Ｈ−３ａ，７−メタノアズレン−６−オール；１，１，２，３，３−ペンタメチル−１，２，３，５，６，７−ヘキサヒドロ−４Ｈ−インデン−４−オン；（１Ｓ，２Ｓ，５Ｒ，８Ｓ）−４，４，８−トリメチルトリシクロ［６．３．１．０２，５］ドデカン−１−オール；５−イソプロピル−２−メチルフェノール；２−メチル−５−（プロパ−１−エン−２−イル）シクロヘキサ−２−エン−１−オン；オクタン−１−オール；デカナール；３−（４−メトキシフェニル）−２−メチルプロパナール；１，７，７−トリメチルビシクロ［２．２．１］ヘプタン−２−オン；２，６−ジ−ｔｅｒｔ−ブチル−４−メチルフェノール；２−メチル−４−（２，２，３−トリメチルシクロペンタ−３−エン−１−イル）ブタン−１−オール；３−（４−（ｔｅｒｔ−ブチル）フェニル）プロパナール；（Ｅ）−２−メチル−４−（２，６，６−トリメチルシクロヘキサ−１−エン−１−イル）ブタ−２−エナール；（１Ｓ，２Ｒ，４Ｓ）−１，７，７−トリメチルビシクロ［２．２．１］ヘプタン−２−オール；（５Ｒ，１０Ｒ）−６，１０−ジメチル−２−（プロパン−２−イリデン）スピロ［４．５］デカ−６−エン−８−オン；１−メチル−４−（プロパ−１−エン−２−イル）シクロヘキサン−１−オール；（２Ｚ，６Ｅ）−２，６−ジメチル−１０−メチレンドデカ−２，６，１１−トリエナール；（Ｚ）−２−メチル−５−（（１Ｓ，２Ｒ，４Ｒ）−２−メチル−３−メチレンビシクロ［２．２．１］ヘプタン−２−イル）ペンタ−２−エン−１−オール；（Ｓ）−４−メチル−１−（（Ｓ）−６−メチルヘプタ−５−エン−２−イル）シクロヘキサ−３−エン−１−オール；（Ｚ）−４−（２，２，６−トリメチル−７−オキサビシクロ［４．１．０］ヘプタン−１−イル）ブタ−３−エン−２−オン；４−メトキシ−７Ｈ−フロ［３，２−ｇ］クロメン−７−オン；２−メチル−４−フェニルブタン−２−オール；２−メチル−１−フェニルプロパン−２−オール；ベンゾフェノン；７−イソペンチル−２Ｈ−ベンゾ［ｂ］［１，４］ジオキセピン−３（４Ｈ）−オン；２，５，５−トリメチル−１，２，３，４，５，６，７，８−オクタヒドロナフタレン−２−オール；２，５，５−トリメチル−１，２，３，４，４ａ，５，６，７−オクタヒドロナフタレン−２−オール；１−（（２−（ｔｅｒｔ−ブチル）シクロヘキシル）オキシ）ブタン−２−オール；（１Ｓ，４Ｒ，５Ｒ）−１−イソプロピル−４−メチルビシクロ［３．１．０］ヘキサン−３−オン；（４Ｒ，４ａＳ）−４，４ａ−ジメチル−６−（プロパン−２−イリデン）−４，４ａ，５，６，７，８−ヘキサヒドロナフタレン−２（３Ｈ）−オン；（２Ｚ，６Ｅ，９Ｅ）−２，６，１０−トリメチルドデカ−２，６，９，１１−テトラエナール；（Ｅ）−５−（２，３−ジメチルトリシクロ［２．２．１．０２，６］ヘプタン−３−イル）−２−メチルペンタ−２−エン−１−オール；１−（５，５−ジメチルシクロヘキサ−１−エン−１−イル）ペンタ−４−エン−１−オン；（Ｒ，Ｚ）−１−（２，６，６−トリメチルシクロヘキサ−２−エン−１−イル）ペンタ−１−エン−３−オン；（Ｚ）−３−メチル−４−（２，６，６−トリメチルシクロヘキサ−２−エン−１−イル）ブタ−３−エン−２−オン；（Ｚ）−４−（２，５，６，６−テトラメチルシクロヘキサ−２−エン−１−イル）ブタ−３−エン−２−オン；２−（（２Ｒ，４ａＲ，８ａＲ）−４ａ，８−ジメチル−１，２，３，４，４ａ，５，６，８ａ−オクタヒドロナフタレン−２−イル）プロパン−２−オール；（１Ｒ，４Ｓ，４ａＲ，８ａＲ）−４−イソプロピル−１，６−ジメチル−１，２，３，４，４ａ，７，８，８ａ−オクタヒドロナフタレン−１−オール；（Ｒ）−２−（（Ｒ）−４−メチルシクロヘキサ−３−エン−１−イル）ヘキサ−５−エン−２−オール；（Ｅ）−２−ベンジリデンヘプタン−１−オール；（Ｅ）−２−ベンジリデンヘプタナール；１−メチル−４−（４−メチルペンタ−３−エン−１−イル）シクロヘキサ−３−エン−１−カルバルデヒド；１−フェニルペンタン−２−オール；３−メチル−１−フェニルペンタン−３−オール；２，３，４−トリメトキシベンズアルデヒド；２，４，５−トリメトキシベンズアルデヒド；２，４，６−トリメトキシベンズアルデヒド；トランス，トランス−２，４−ノナジエナール；４−メトキシ−２，５−ジメチルフラン−３（２Ｈ）−オン；２，６，１０−トリメチルウンデカナール；α−４−ジメチル  ベンゼンプロパナール；（Ｅ）−ウンデカ−９−エナール；２，６，１０−トリメチルウンデカ−９−エナール；（Ｚ）−２−（４−メチルベンジリデン）ヘプタナール；デカ−９−エナール；（Ｚ）−オキサシクロヘプタデカ−８−エン−２−オン；７−メトキシ−２Ｈ−クロメン−２−オン；２−（（２Ｓ，４ａＲ，８ａＲ）−４ａ，８−ジメチル−１，２，３，４，４ａ，５，６，８ａ−オクタヒドロナフタレン−２−イル）プロパン−２−オール；１−（３，５，５，６，８，８−ヘキサメチル−５，６，７，８−テトラヒドロナフタレン−２−イル）エタン−１−オン；６，８−ジメチルノナン−２−オール；３−（６，６−ジメチルビシクロ［３．１．１］ヘプタ−２−エン−２−イル）プロパナール；６，１０，１４−トリメチルペンタデカン−２−オン；（Ｅ）−シクロヘキサデカ−５−エン−１−オン；１−イソプロピル−４−メチルシクロヘキサ−３−エン−１−オール；１−フェニルペンタ−４−エン−１−オン；５−メチル−５−フェニルヘキサン−３−オン；１−イソプロピル−４−メチ��シクロヘキサ−３−エン−１−オール；４−（４−メトキシフェニル）ブタン−２−オン；（１ａＲ，２Ｓ，４ａＳ）−２，４ａ，８，８−テトラメチルオクタヒドロシクロプロパ［ｄ］ナフタレン−３（１Ｈ）−オン；（Ｅ）−３−プロピリデンイソベンゾフラン−１（３Ｈ）−オン；（Ｚ）−ドデカ−２−エナール；３−メチル−５−フェニルペンタナール；３，７−ジメチル−２−メチレンオクタ−６−エナール；３，７−ジメチルオクタン−１−オール；３，４，５−トリメトキシベンズアルデヒド；３−（４−イソプロピルフェニル）プロパナール；（Ｅ）−ウンデカ−２−エナール；（２Ｅ，６Ｅ）−ノナ−２，６−ジエナール；（Ｚ）−３−（フラン−２−イル）−２−フェニルアクリルアルデヒド；２−フェノキシエタン−１−オール；（Ｚ）−ノナ−２−エナール；ノナン−２−オール；ノナン−２−オン；（Ｅ）−２−イソプロピル−５−メチルヘキサ−２−エナール；（Ｅ）−２−ヘキシリデンシクロペンタン−１−オン；（Ｅ）−デカ−２−エナール；（２Ｅ，６Ｅ）−ノナ−２，６−ジエナール；（２Ｅ，６Ｅ）−ノナ−２，６−ジエン−１−オール；２，６−ジメチルオクタナール；デカン−１−オール；ウンデカ−１０−エン−１−オール；ウンデカ−１０−エナール；２−（（２Ｒ，４ａＳ）−４ａ，８−ジメチル−１，２，３，４，４ａ，５，６，７−オクタヒドロナフタレン−２−イル）プロパン−２−オール；３，７−ジメチルオクタ−６−エン−３−オール；（Ｚ）−１−（２，６，６−トリメチルシクロヘキサ−２−エン−１−イル）ブタ−２−エン−１−オン；（１Ｓ，５Ｓ）−４，６，６−トリメチルビシクロ［３．１．１］ヘプタ−３−エン−２−オン；（Ｚ）−ドデカ−３−エナール；（Ｓ）−５−ヘプチルジヒドロフラン−２（３Ｈ）−オン；（Ｒ）−５−ヘプチルジヒドロフラン−２（３Ｈ）−オン；（Ｒ）−３，７−ジメチルオクタ−１，６−ジエン−３−オール；３，７−ジメチルオクタ−６−エナール；（Ｒ）−３，７−ジメチルオクタ−６−エナール；（２Ｓ，５Ｓ，６Ｓ）−２，６，１０，１０−テトラメチル−１−オキサスピロ［４．５］デカン−６−オール；（１Ｓ，２Ｓ，５Ｓ）−２−メチル−５−（プロパ−１−エン−２−イル）シクロヘキサン−１−オール；３，７−ジメチルオクタ−６−エン−１−オール；（Ｓ）−２−メチル−５−（プロパ−１−エン−２−イル）シクロヘキサ−２−エン−１−オン；（２Ｓ，５Ｒ）−２−イソプロピル−５−メチルシクロヘキサン−１−オン；（Ｒ，Ｅ）−２−メチル−４−（２，２，３−トリメチルシクロペンタ−３−エン−１−イル）ブタ−２−エン−１−オール；（Ｅ）−４−（２，２−ジメチル−６−メチレンシクロヘキシル）−３−メチルブタ−３−エン−２−オン；３−（３−イソプロピルフェニル）ブタナール；２−（（３Ｓ，３ａＳ，５Ｒ）−３，８−ジメチル−１，２，３，３ａ，４，５，６，７−オクタヒドロアズレン−５−イル）プロパン−２−オール；２−ヒドロキシ−１，２−ジフェニルエタン−１−オン；３−（６，６−ジメチルビシクロ［３．１．１］ヘプタ−２−エン−２−イル）−２，２−ジメチルプロパナール；１−（１，１，２，３，３，６−ヘキサメチル−２，３��ジヒドロ−１Ｈ−インデン−５−イル）エタン−１−オン；２−（ｍ−トリル）エタン−１−オール；（３Ｅ，６Ｅ）−ノナ−３，６−ジエン−１−オール；（Ｅ）−トリデカ−２−エナール；（１Ｒ，４Ｓ，４ａＳ，６Ｒ，８ａＳ）−４，８ａ，９，９−テトラメチルオクタヒドロ−１，６−メタノナフタレン−１（２Ｈ）−オール；５−ヘキシル−４−メチルジヒドロフラン−２（３Ｈ）−オン；４−（プロパ−１−エン−２−イル）シクロヘキサ−１−エン−１−カルバルデヒド；（４−（プロパ−１−エン−２−イル）シクロヘキサ−１−エン−１−イル）メタノール；２−シクロヘキシルヘプタ−１，６−ジエン−３−オン；２−フェニルエタン−１−オール；３−メチル−５−フェニルペンタン−１−オール；２−（６，６−ジメチルビシクロ［３．１．１］ヘプタ−２−エン−２−イル）アセトアルデヒド；６，６−ジメチル−２−メチレンビシクロ［３．１．１］ヘプタン−３−オール；４−（ベンゾ［ｄ］［１，３］ジオキソール−５−イル）ブタン−２−オン；（４ａＲ，８ａＳ）−７−メチルオクタヒドロ−１，４−メタノナフタレン−６（２Ｈ）−オン；１，２−ジメチル−３−（プロパ−１−エン−２−イル）シクロペンタン−１−オール；４−イソプロピル−１−メチルシクロヘキサ−３−エン−１−オール；（Ｅ）−３，３−ジメチル−５−（２，２，３−トリメチルシクロペンタ−３−エン−１−イル）ペンタ−４−エン−２−オール；（２Ｚ，５Ｚ）−５，６，７−トリメチルオクタ−２，５−ジエン−４−オン；１−メチル−４−（４−メチルペンタ−３−エン−１−イル）シクロヘキサ−３−エン−１−カルバルデヒド；プロパン−１，２−ジオール；４−（ｔｅｒｔ−ペンチル）シクロヘキサン−１−オール；３，７−ジメチルオクタ−７−エン−１−オール；２−メチル−５−フェニルペンタン−１−オール；（Ｓ）−３，７−ジメチルオクタ−１，６−ジエン−３−オール；５−イソプロピル−２−メチルビシクロ［３．１．０］ヘキサン−２−オール；（１Ｓ，３Ｒ，５Ｓ）−１−イソプロピル−４−メチレンビシクロ［３．１．０］ヘキサン−３−オール；２，２，７，９−テトラメチルスピロ（５．５）ウンデカ−８−エン−１−オン；３−メチル−５−（２，２，３−トリメチルシクロペンタ−３−エン−１−イル）ペンタン−２−オール；（Ｚ）−２−エチル−４−（２，２，３−トリメチルシクロペンタ−３−エン−
１−イル）ブタ−２−エン−１−オール；（Ｅ）−２−メチル−４−（２，２，３−トリメチルシクロペンタ−３−エン−１−イル）ブタ−２−エン−１−オール；５−メトキシオクタヒドロ−１Ｈ−４，７−メタノインデン−２−カルバルデヒド；５−メトキシオクタヒドロ−１Ｈ−４，７−メタノインデン−２−カルバルデヒド；１−（３−ヒドロキシ−３−メチルペンタ−４−エン−１−イル）−２，５，５，８ａ−テトラメチルデカヒドロナフタレン−２−オール；３−（４−イソブチルフェニル）−２−メチルプロパナール；（１ａＲ，４ａＲ，７Ｓ，７ａＲ，７ｂＲ）−１，１，７−トリメチル−４−メチレンデカヒドロ−１Ｈ−シクロプロパ［ｅ］アズレン−７−オール；１−（スピロ［４．５］デカ−７−エン−７−イル）ペンタ−４−エン−１−オン；２−（４−メチルチアゾール−５−イル）エタン−１−オール；（Ｚ）−ドデカ−４−エナール；（１Ｓ，４Ｓ，４ａＲ，８ａＲ）−４−イソプロピル−１，６−ジメチル−１，２，３，４，４ａ，７，８，８ａ−オクタヒドロナフタレン−１−オール；（１Ｓ，４Ｓ，４ａＲ，８ａＳ）−４−イソプロピル−１，６−ジメチル−１，２，３，４，４ａ，７，８，８ａ−オクタヒドロナフタレン−１−オール；３，７−ジメチルオクタナール；４−（２，２，６−トリメチルシクロヘキシル）ブタン−２−オール；３−メチル−２−ペンチルシクロペンタン−１−オン；３，７−ジメチルオクタン−３−オール；２−（２−メルカプトプロパン−２−イル）−５−メチルシクロヘキサン−１−オン；２−イソプロピル−５−メチルフェノール；１−（２，２，６−トリメチルシクロヘキシル）ヘキサン−３−オール；（２Ｚ，４Ｅ）−ノナ−２，４−ジエナール；（２Ｅ，６Ｅ）−３，７，１１−トリメチルドデカ−２，６，１０−トリエン−１−オール；（２Ｅ，６Ｚ）−ノナ−２，６−ジエナール；（Ｚ）−デカ−２−エナール；（Ｅ）−ノナ−２−エナール；（１Ｒ，２Ｓ）−２−（ｔｅｒｔ−ブチル）シクロヘキサン−１−オール；（３Ｅ，６Ｚ）−ノナ−３，６−ジエン−１−オール；（Ｅ）−デカ−４−エナール；（Ｚ）−１−（２，６，６−トリメチルシクロヘキサ−２−エン−１−イル）ブタ−２−エン−１−オン；（Ｚ）−オキサシクロヘプタデカ−８−エン−２−オン；（２Ｒ，５Ｒ）−２−メチル−５−（プロパ−１−エン−２−イル）シクロヘキサン−１−オン；（Ｅ）−３，７−ジメチルオクタ−２，６−ジエン−１−オール；７−（１，１−ジメチルエチル）−２Ｈ−１，５−ベンゾジオキセピン−３（４Ｈ）−オン；（１Ｒ−（１α，３α，４ａα））−２，３，４，４ａ，５，６−ヘキサヒドロ−２，２−ジメチル−１，３−メタノナフタレン−７（１Ｈ）−オン；トリデカン−１−オール；１−（（２Ｅ，５Ｚ，９Ｚ）−２，６，１０−トリメチルシクロドデカ−２，５，９−トリエン−１−イル）エタン−１−オン；２−メルカプト−２−メチルペンタン−１−オール；１３−メチルオキサシクロペンタデカ−１０−エン−２−オン；ウンデカナール；（Ｅ）−４−メチルデカ−３−エン−５−オール；２−（（２Ｒ，８Ｒ，８ａＳ）−８，８ａ−ジメチル−１，２，３，４，６，７，８，８ａ−オクタヒドロナフタレン−２−イル）プロパン−２−オール；２，２，５−トリメチル−５−ペンチルシクロペンタン−１−オン；（Ｚ）−２−メチル−４−（２，６，６−トリメチルシクロヘキサ−２−エン−１−イル）ブタ−２−エナール；（１Ｒ，５Ｒ）−４，６，６−トリメチルビシクロ［３．１．１］ヘプタ−３−エン−２−オン；２−（ｔｅｒｔ−ブチル）シクロヘキサン−１−オール；１−（（３Ｒ，３ａＲ，７Ｒ，８ａＳ）−３，６，８，８−テトラメチル−２，３，４，７，８，８ａ−ヘキサヒドロ−１Ｈ−３ａ，７−メタノアズレン−５−イル）エタン−１−オン；４，８−ジメチル−２−（プロパン−２−イリデン）−１，２，３，３ａ，４，５，６，８ａ−オクタヒドロアズレン−６−オール；（１ａＲ，４Ｓ，４ａＳ，７Ｒ，７ａＳ，７ｂＳ）−１，１，４，７−テトラメチルデカヒドロ−１Ｈ−シクロプロパ［ｅ］アズレン−４−オール；（１Ｓ，２Ｓ，３Ｓ，５Ｒ）−２，６，６−トリメチルスピロ［ビシクロ［３．１．１］ヘプタン−３，１’−シクロヘキサン］−２’−エン−４’−オン；４−（４−ヒドロキシ−３−メトキシフェニル）ブタン−２−オン；１，３，４，６，７，８α−ヘキサヒドロ−１，１，５，５−テトラメチル−２Ｈ−２，４α−メタノフタレン−８（５Ｈ）−オン；２，２’−オキシビス（エタン−１−オール）；ブタン−１，３−ジオール；ヘキサン−１，６−ジオール；２，２’−（エタン−１，２−ジイルビス（オキシ））ビス（エタン−１−オール）；２−メチルペンタン−２，４−ジオール；（２Ｅ，４Ｅ）−ヘプタ−２，４−ジエン−１−オール；ヘキサン−１，２，６−トリオール；（Ｚ）−オクタ−５−エン−１−オール；（Ｅ）−オクタ−３−エン−１−オール；（Ｚ）−オクタ−５−エナール；２，５−ジメチル−１，４−ジチアン−２，５−ジオール；２−メチルオクタン−２−オール；（Ｅ）−ノナ−２−エン−１−オール；（Ｅ）−ノナ−６−エン−１−オール；（Ｅ）−ノナ−３−エン−１−オール；（Ｚ）−ノナ−３−エン−１−オール；（２Ｅ，６Ｚ）−ノナ−２，６−ジエン−１−オール；マンニトール；３，５−ジメチルシクロペンタン−１，２−ジオン；２，２’，２’’−ニトリロトリス（エタン−１−オール）；３，４，４−トリメチルシクロペンタン−１，２−ジオン；３−ノネン−２−オン；（Ｅ）−ノナ−５−エン−２−オン；２−（シクロヘキシルオキシ）エタン−１−オール；オクタン−１，８−ジチオール；（Ｅ）−デカ−２−エン−１−オール；ａ−Ｄ−グルコピラノース；（Ｅ）−デカ−５−エン−１−オール；２，３，６−トリメチルフェノール；（２Ｅ，４Ｅ）−デカ−２，４−ジエナール；（２Ｅ，４Ｚ）−デカ−２，４−ジエナール；デカン−１，１０−ジオール；２−フェニルプロパン−２−オール；５−ヒドロキシオクタン−４−オン；ノナン−３−オール；（Ｚ）−デカ−７−エナール；（Ｅ）−２−メチルオクタ−２−エナール；デカン−２−オール；３−（ヒドロキシメチル）フェノール；ノナ−１−エン−３−オール；（２−メトキシフェニル）メタノール；デカン−２−オン；２−（ｏ−トリル）エタン−１−オール；ウンデカン−１−オール；（Ｅ）−デカ−３−エン−２−オン；３−エチル−２−ヒドロキ��−４−メチルシクロペンタ−２−エン−１−オン；３−フェニルプロパン−１−オール；３，５−オクタジエン−２−オール、２，６−ジメチル−，（？，Ｚ）−；３，５−オクタジエン−２−オール，２，６−ジメチル−，（？，Ｅ）−；ベンゼンメタノール，４−メチル−；２−（ベンジルオキシ）エタン−１−オール；４，４’−チオビス（ブタン−２−オン）；（Ｅ）−ウンデカ−２−エン−１−オール；（２Ｚ，４Ｅ）−ウンデカ−２，４−ジエン−１−オール；（Ｅ）−７−メチル−３−メチレンオクタ−４，６−ジエン−２−オール；（Ｚ）−ウンデカ−２−エナール；（Ｅ）−ウンデカ−２−エナール；（２Ｚ，４Ｚ）−ウンデカ−２，４−ジエナール；（２Ｅ，４Ｅ）−ウンデカ−２，４−ジエナール；３−シクロヘキセン−１−プロパナール；デカン−３−オール；（Ｅ）−ウンデカ−８−エナール；シクロデカノール；デカン−５−オール；１−ベンジル−２−メチルジスルファン；（１Ｓ，３Ｓ，４Ｒ，５Ｒ）−１−イソプロピル−４−メチルビシクロ［３．１．０］ヘキサン−３−オール；ビシクロ［３．２．１］オクタン−８−オール，１，５，８−トリメチル−；１−（ｐ−トリル）エタン−１−オール；ウンデカン−２−オール；７−メトキシ−３，７−ジメチルオクタン−２−オール；（Ｅ）−３，７−ジメチルオクタ−２，６−ジエン−１−オール；４−（２−ヒドロキシエチル）フェノール；２−（ｔｅｒｔ−ブチル）シクロヘキサン−１−オン；２，６−ジメチルヘプタン−４−オン；２−（フラン−２−イル）−４−メチル−１，３−ジオキソラン；デカン−４−オン；（４−メトキシフェニル）メタノール；２−メトキシ−２−フェニルエタン−１−オール；（Ｅ）−２−イソプロピル−５−メチルヘキサ−２−エン−１−オール；ｒｅｌ−２−（（２Ｒ，５Ｓ）−５−メチル−５−ビニルテトラヒドロフラン−２−イル）プロパン−２−オール；４−フェニルブタン−１−オール；２−（ｐ−トリル）エタン−１−オール；６−メチル−３−（プロパン−２−イリデン）−７−オキサビシクロ［４．１．０］ヘプタン−２−オン；（Ｅ）−ドデカ−２−エン−１−オール；（２Ｅ，６Ｚ）−ノナ−２，６−ジエン−１−イルアセテート；２−（ｐ−トリルオキシ）エタン−１−オール；７−メチル−３−メチレンオクタ−６−エナール；（２Ｅ，４Ｅ）−ドデカ−２，４−ジエン−１−オール；３−（ヒドロキシメチル）ノナン−２−オン；（Ｅ）−ドデカ−２−エナール；（２Ｅ，４Ｅ）−ドデカ−２，４−ジエナール；（Ｅ）−２，６−ジメチルオクタ−１，５，７−トリエン−３−オール；（Ｅ）−５−（メチルチオ）−２−（（メチルチオ）メチル）ペンタ−２−エナール；（Ｅ）−３−メチルノナ−３−エン酸；１−メチル−４−（プロパ−１−エン−２−イル）−７−オキサビシクロ［４．１．０］ヘプタン；（Ｅ）−ドデカ−３−エナール；４−（ヒドロキシメチル）−２−メトキシフェノール；３，７−ジメチルオクタン−１，６−ジオール；ウンデカン−１−オール；（Ｅ）−ドデカ−４−エナール；４−アリルフェノール；（２Ｅ，６Ｚ）−ドデカ−２，６−ジエナール；３−（５−メチルフラン−２−イル）ブタナール；（Ｅ）−４−フェニルブタ−３−エ��−２−オール；２−ペンチルシクロペンタ−２−エン−１−オン；２−イソプロピル−４−メチルフェノール；ドデカン−２−オール；３，７−ジメチルオクタ−７−エン−１，６−ジオール；（Ｅ）−２−（ペンタ−２−エン−１−イル）シクロペンタン−１−オン；（１Ｒ，２Ｓ，３Ｒ，５Ｓ）−２，６，６−トリメチルビシクロ［３．１．１］ヘプタン−３−オール；１−（フラン−２−イル）ヘキサン−１−オン；ベンゾ［ｄ］［１，３］ジオキソール−５−イルメタノール；ウンデカン−２，３−ジオン；ウンデカン−４−オン；（Ｚ）−２，７−ジメチルオクタ−５−エン−４−オン；（Ｅ）−３−メチルノナ−２−エンニトリル；８−エチル−１，５−ジメチルビシクロ［３．２．１］オクタン−８−オール；ドデカン−２−オン；ウンデカ−１−エン−３−オン；２，６−ジメトキシ−４−メチルフェノール；（１Ｓ，２Ｓ，５Ｓ）−２−メチル−５−（プロパ−１−エン−２−イル）シクロヘキサン−１−オール；５−フェニルペンタン−１−オール；ｒｅｌ−（１Ｒ，２Ｓ，５Ｒ）−５−メチル−２−（プロパ−１−エン−２−イル）シクロヘキサン−１−オール；（１Ｓ，２Ｒ，５Ｒ）−２，６，６−トリメチルビシクロ［３．１．１］ヘプタン−３−オン；（２Ｒ，５Ｒ）−５−イソプロピル−２−メチルシクロヘキサン−１−オン；アリルオクタノエート；（Ｅ）−２−メチル−３−フェニルプロパ−２−エン−１−オール；（２Ｓ，５Ｒ）−２−イソプロピル−５−メチルシクロヘキサン−１−オン；（Ｅ）−２−（３−メチルブタ−１−エン−１−イル）シクロペンタン−１−オン；（Ｅ）−トリデカ−２−エン−１−オール；（（１Ｓ，２Ｓ，５Ｓ）−６，６−ジメチルビシクロ［３．１．１］ヘプタン−２−イル）メタノール；トリデカナール；２−メチルウンデカン−１−オール；２−（３，４−ジメチルフェニル）アセトアルデヒド；２−（２，４−ジメチルフェニル）アセトアルデヒド；６，６−ジメチル−２−メチレンビシクロ［３．１．１］ヘプタン−３−オン；１，３−ジヒドロ−２Ｈ−インデン−２−オン；（２Ｅ，４Ｅ）−トリデカ−２，４−ジエナール；（６，６−ジメチルビシクロ［３．１．１］ヘプタ−２−エン−２−イル）メタノール；３−（ｐ−トリル）プロパナール；（４Ｓ，４ａＳ，８ａＲ）−４，８ａ−ジメチルオクタヒドロナフタレン−４ａ（２Ｈ）−オール；（Ｅ）−２−（ヘキサ−２−エン−１−
イル）シクロペンタン−１−オール；２−（２−ヒドロキシプロパン−２−イル）−５−メチルシクロヘキサン−１−オール；１１−メチルドデカン−１−オール；（２Ｅ，４Ｚ，７Ｚ）−トリデカ−２，４，７−トリエナール；シクロドデカノール；２−（４−メチルシクロヘキサ−３−エン−１−イル）プロパ−２−エン−１−オール；（Ｒ）−２−（４−メチルシクロヘキサ−３−エン−１−イル）プロパ−２−エン−１−オール；（Ｅ）−２−メチル−３−（ペンタ−２−エン−１−イル）シクロペンタ−２−エン−１−オン；（Ｚ）−２−ヘキシリデンシクロペンタン−１−オン；（Ｅ）−３−メチル−２−（ペンタ−２−エン−１−イル）シクロペンタ−２−エン−１−オン；（２Ｅ，６Ｅ）−３，７−ジメチルノナ−２，６−ジエナール；ドデカン−３−オン；１−フェニルペンタン−１−オン；２，６−ジイソプロピルフェノール；（Ｅ）−２−（ヘキサ−２−エン−１−イル）シクロペンタン−１−オン；１−（３，３−ジメチルビシクロ［２．２．１］ヘプタン−２−イル）エタン−１−オール；２−（４−メチレンシクロヘキシル）プロパナール；６−ペンチル−２Ｈ−ピラン−２−オン；（Ｓ）−４−（プロパ−１−エン−２−イル）シクロヘキサ−１−エン−１−カルバルデヒド；４−メチル−５−ペンチルジヒドロフラン−２（３Ｈ）−オン；（４ａＳ，８ａＳ）−４，４，８ａ−トリメチルオクタヒドロナフタレン−４ａ（２Ｈ）−オール；トリデカン−２−オン；３−メチル−１−フェニルブタン−２−オール；１−（４−イソプロピルフェニル）エタン−１−オン；（Ｅ）−３−（４−メトキシフェニル）アクリルアルデヒド；（Ｒ）−６−ペンチル−５，６−ジヒドロ−２Ｈ−ピラン−２−オン；テトラデカン−１−オール；（Ｅ）−６−（ペンタ−２−エン−１−イル）テトラヒドロ−２Ｈ−ピラン−２−オン；６−フェニルヘキサン−１−オール；２−（４−イソプロピルシクロヘキシル）エタン−１−オール；２−メチル−１−（ｐ−トリル）プロパン−２−オール；１−（３，３−ジメチルビシクロ［２．２．１］ヘプタン−２−イル）エタン−１−オン；（Ｅ）−２−エチル−２−（３−メチルブタ−２−エン−１−イル）ヘキサ−３−エン−１−オール；２−（４−エチルフェニル）アセトアルデヒド；３−エチルヘキサヒドロベンゾフラン−２（３Ｈ）−オン；（Ｅ）−３−メチル−１−フェニルペンタ−１−エン−３−オール；（２−ヘキシル−１，３−ジオキソラン−４−イル）メタノール；６−エチル−３−メチルオクタ−５−エン−１−オール；１−（３，４−ジメトキシフェニル）エタン−１−オン；オクタヒドロナフタレン−２（１Ｈ）−オン；２−（４−イソプロピルフェニル）エタン−１−オール；１−メチル−４−（プロパ−１−エン−２−イル）−７−オキサビシクロ［４．１．０］ヘプタン−２−オン；（Ｅ）−５，９−ジメチルデカ−４，９−ジエナール；５−メチル−３，４−ジヒドロナフタレン−１（２Ｈ）−オン；８−メチル−３，４−ジヒドロナフタレン−１（２Ｈ）−オン；（Ｅ）−テトラデカ−２−エナール；４−（ｔｅｒｔ−ブチル）シクロヘキサン−１−カルバルデヒド；２−（６，６−ジメチルビシクロ［３．１．１］ヘプタ−２−エン−２−イル）エタン−１−オール；（４，７，７−トリメチルビシクロ［４．１．０］ヘプタ−４−エン−３−イル）メタノール；（Ｚ）−２−（３，３−ジメチルビシクロ［２．２．１］ヘプタン−２−イリデン）エタン−１−オール；（３ａＲ，７ａＲ）−オクタヒドロ−５Ｈ−４，７−メタノインデン−５−オン；４−（３−ヒドロキシブチル）フェノール；２，５，７，７−テトラメチルオクタナール；７−イソプロピル−４−メチルオキセパン−２−オン；２−フェニルペンタ−４−エナール；４−ヒドロキシ−３，５−ジメトキシベンズアルデヒド；（Ｅ）−４−（３−ヒドロキシプロパ−１−エン−１−イル）−２−メトキシフェノール；３，６−ジメチル−５，６，７，７ａ−テトラヒドロベンゾフラン−２（４Ｈ）−オン；（６Ｒ，７ａＲ）−３，６−ジメチル−５，６，７，７ａ−テトラヒドロベンゾフラン−２（４Ｈ）−オン；２−メチル−４−フェニルブタナール；（Ｚ）−２−へプチリデンシクロペンタン−１−オン；３−（４−メトキシフェニル）ブタン−２−オン；２−エチル−５−メトキシビシクロ［２．２．１］ヘプタン；トリデカン−３−オン；（Ｚ）−２−ヘキシリデンシクロヘキサン−１−オン；２−ペンチルシクロヘキサ−２−エン−１−オン；４−エチル−２，６−ジメトキシフェノール；２−（（１，７，７−トリメチルビシクロ［２．２．１］ヘプタン−２−イル）オキシ）エタン−１−オール；４−（２，６，６−トリメチルシクロヘキサ−１−エン−１−イル）ブタン−２−オール；１−（５−イソプロピル−２−メチルフェニル）エタン−１−オン；ペンタデカン−１−オール；（Ｅ）−４−（２，６，６−トリメチルシクロヘキサ−１−エン−１−イル）ブタ−３−エン−２−オール；１−（４−ヒドロキシ−３，５−ジメトキシフェニル）エタン−１−オン；（２−フェニル−１，３−ジオキソラン−４−イル）メタノール；１−（４，７，７−トリメチルビシクロ［４．１．０］ヘプタ−４−エン−３−イル）エタン−１−オン；オクチル２−メチルブタノエート；（Ｅ）−４−（２，６，６−トリメチルシクロヘキサ−２−エン−１−イル）ブタ−３−エン−２−オール；１−アリル−２，２，７，７−テトラメチルシクロヘプタン−１−オール；（Ｓ）−２，５，５−トリメチル−１，２，３，４，５，６，７，８−オクタヒドロナフタレン−２−オール；１−（ナフタレン−１−イル）エタン−１−オン；５−エチル−２−メチルノナン−１−オール；８，８−ジメトキシ−２，６−ジメチルオクタン−２−オール；３−（ブタ−３−エン−１−イル）−２，４，４−トリメチルシクロヘキサ−２−エン−１−オン；２−（４−イソプロピルシクロヘキシル）プロパン−１−オール；ペンタデカナール；（Ｅ）−３，７，９−トリメチルデカ−１，６−ジエン−３−オール；（Ｚ）−２−エチリデンウンデカナール；（Ｅ）−１−（２，６，６−トリメチルシクロヘキサ−３−エン−１−イル）ブタ−２−エン−１−オン；４−（２，２−ジメチル−６−メチレンシクロヘキシル）ブタン−２−オール；（５ｓ，８ｓ）−８−イソプロピル−１−オキサスピロ［４．５］デカン−２−オン；（５ｒ，８ｒ）−８−イソプロピル−１−オキサスピロ［４．５］デカン−２−オン；２，５，５−トリメチル−２，３，４，４ａ，５，６，７，８−オクタヒドロナフタレン−２−オール；３，５−ジエチル−２，６−ジメチルシクロヘキサ−２−エン−１−オン；（Ｚ）−４−（４−メチルシクロヘキサ−３−エン−１−イリデン）ペンタナール；（２Ｒ，５Ｓ，６Ｓ）−２，６，１０，１０−テトラメチル−１−オキサスピロ［４．５］デカン−６−オール；６−メチル−３，４−ジヒドロナフタレン−１（２Ｈ）−オン；エチルベンゾ［ｄ］［１，３］ジオキソール−５−カルボキシレート；７−メチル−３，４−ジヒドロナフタレン−１（２Ｈ）−オン；５−エチル−２−メチルノナナール；（３Ｅ，５Ｅ）−６，１０−ジメチルウンデカ−３，５，９−トリエン−２−オン；［１，１’−ビ（シクロヘキサン）］−１’−エン−２−オン；４−（２，２−ジメチル−６−メチレンシクロヘキシル）ブタン−２−オン；２−イソプロピル−２，３−ジヒドロ−１Ｈ−インデン−１−オン；（Ｅ）−４−（２，３，６−トリメチルフェニル）ブタ−３−エン−２−オン；２−（４−イソプロピルフェニル）プロパナール；６，１０−ジメチルウンデカ−９−エン−２−オン；（Ｅ）−６，１０−ジメチルウンデカ−５，９−ジエン−２−オン；１−（４−メトキシ−２，２，６，６−テトラメチルシクロヘキサ−３−エン−１−イル）エタン−１−オン；（Ｅ）−６，１０−ジメチルウンデカ−３，９−ジエン−２−オン；１−（４−ブチルフェニル）エタン−１−オン；テトラデカン−３−オン；３−プロピルビシクロ［２．２．１］ヘプタ−５−エン−２−カルバルデヒド；（Ｅ）−２，６−ジメトキシ−４−（プロパ−１−エン−１−イル）フェノール；（Ｅ）−２−（オクタ−２−エン−１−イル）シクロペンタン−１−オン；ペンタデカン−２−オン；（Ｅ）−６，１０−ジメチルウンデカ−５，１０−ジエン−２−オン；４，４ａ，６，７，８，８ａ−ヘキサヒドロ−１，４−メタノナフタレン−５（１Ｈ）−オン；３−ヘプチル−５−メチルジヒドロフラン−２（３Ｈ）−オン；（Ｚ）−５−（オクタ−２−エン−１−イル）ジヒドロフラン−２（３Ｈ）−オン；４，７，７−トリメチルスピロ［ビシクロ［２．２．１］ヘプタン−２，１’−シクロペンタン］−３−オン；（Ｅ）−１−（２，６，６−トリメチルシクロヘキサ−１−エン−１−イル）ペンタ−１−エン−３−オール；４−アリル−２，６−ジメトキシフェノール、２，６，８−トリメチルノナン−４−オン；（２，８，８−トリメチル−１，２，３，４，５，６，７，８−オクタヒドロナフタレン−２−イル）メタノール；（Ｅ）−３−（４−メトキシフェニル）−２−メチルアクリルアルデヒド；（２Ｅ，６Ｅ）−３，７，９−トリメチルデカ−２，６−ジエナール；（５，６−ジメチル−１−（プロパ−１−エン−２−イル）ビシクロ［２．２．１］ヘプタ−５−エン−２−イル）メタノール；１−（２，４−ジメチルシクロヘキサ−３−エン−１−イル）−２，２−ジメチルプロパン−１−オン；（Ｅ）−３−ブチリデンイソベンゾフラン−１（３Ｈ）−オン；５−（６−メチルヘプタ−５−エン−２−イル）ジヒドロフラン−２（３Ｈ）−オン；２−（４−（ｔｅｒｔ−ブチル）−２−メチルフェノキシ）アセトアルデヒド；（Ｅ）−４−（４−ヒドロキシ−３−メトキシフェニル）ブタ−３−エン−２−オン；１−（２，４−ジエチルフェニル）エタン−１−オン；（Ｅ）−４−（３−ヒドロキシプロパ−１−エン−１−イル）−２，６−ジメトキシフェノール；３−ブチルイソベンゾフラン−１（３Ｈ）−オン；２，４，５−トリメチル−４−フェニル−１，３−ジオキサン；４−メチル−１−フェニルペンタン−２−オン；１４−メチルペンタデカン−１−オール；アダマンタン−２−オール；（３ａＳ，４Ｓ，８Ｓ，８ａＲ）−２，２，４−トリメチルデカヒドロ−４，８−メタノアズレン−９−オール；（Ｅ）−３−（４−ヒドロキシ−３，５−ジメトキシフェニル）アクリルアルデヒド；（３Ｅ，５Ｅ）−３，６，１０−トリメチルウンデカ−３，５，９−トリエン−２−オン；（Ｅ）−２，５，９−トリメチルデカ−４，９−ジエナール；（Ｅ）−４−（ベンゾ［ｄ］［１，３］ジオキソール−５−イル）ブタ−３−エン−２−オン；４−（６，６−ジメチルビシクロ［３．１．１］ヘプタ−２−エン−２−イル）ブタナール；２，８，８−トリメチルオクタヒドロ−２Ｈ−４ａ，２−（エポキシメタノ）ナフタレン−１０−オン；（Ｅ）−３，６，１０−トリメチルウンデカ−３，９−ジエン−２−オン；４−メチル−８−メチレンアダマンタン−２−オール；３−メチル−４−（２，２，６−トリメチルシクロヘキシル）ブタン−２−オール；ヘキサデカン−２−オン；アダマンタン−２−オン；ヘプタデカン−１−オール；４−（４−メトキシフェニル）−３−メチルブタン−２−オン；（Ｅ）−３−メチル−５−（２，２，３−トリメチルシクロペンタ−３−エン−１−イル）ペンタ−３−エン−２−オン；２，４−ジ−ｔｅｒｔ−ブチルシクロヘキサン−１−オン；１−（５−イソプロピル−２−メチルシクロヘキサ−２−エン−１−イル）プロパン−１−オン；（Ｅ）−２−メチル−４−（２，６，６−トリメチルシクロヘキサ−２−エン−１−イル）ブタ−３−エナール；（Ｅ）−２，６，１０−トリメチルウンデカ−５，９−ジエン−１−オール；１−メチル−４−（４−メチルペンチル）シクロヘキサ−３−エン−１−カルバルデヒド；（Ｅ）−３−（ベンゾ［ｄ］［１，３］ジオキソール−５−イル）−２−メチルアクリルアルデヒド；１−（２，６，６−トリメチルシクロヘキサ−２−エン−１−イル）ペンタン−３−オン；（Ｒ，Ｅ）−
１−（２，６，６−トリメチルシクロヘキサ−２−エン−１−イル）ペンタ−１−エン−３−オン；（Ｓ，Ｅ）−３，７，１１−トリメチルドデカ−１，６，１０−トリエン−３−オール；（Ｅ）−２，６，１０−トリメチルウンデカ−５，９−ジエナール；２，６−ジ−ｔｅｒｔ−ブチル−４−（ヒドロキシメチル）フェノール；（Ｚ）−２−ベンジリデンヘキサナール；５，５，６，７，７−ペンタメチルヘキサヒドロインデノ［３ａ，４−ｂ］オキシレン−４（１ａＨ）−オン；（４Ｅ，６Ｅ）−７，１１−ジメチルドデカ−４，６，１０−トリエン−３−オン；２，５−ジ−ｔｅｒｔ−ブチルベンゼン−１，４−ジオール；２−メトキシ−４−（４−メチル−１，３−ジオキソラン−２−イル）フェノール；４−（３，４−ジメトキシフェニル）ブタン−２−オン；（Ｚ）−２−（フラン−２−イルメチレン）オクタナール；（Ｅ）−１−（４−メトキシフェニル）ペンタ−１−エン−３−オン；３−（４−イソプロピルフェニル）−２−メチルプロパン−１−オール；（Ｅ）−６−（２，２，３−トリメチルシクロペンタ−３−エン−１−イル）ヘキサ−５−エン−３−オール；１−（ベンゾ［ｄ］［１，３］ジオキソール−５−イル）ブタン−２−オン；１−（１，１，３−トリメチル−２，３，４，５，６，７−ヘキサヒドロ−１Ｈ−インデン−５−イル）エタン−１−オン；１０−メチル−１，２，３，４，５，６，７，８，９，１０−デカヒドロ−５，９−メタノベンゾ［８］アヌレン−１１−オン；３−（２−オキソプロピル）−２−ペンチルシクロペンタン−１−オン；オクタデカン−１−オール；３−（４−ヒドロキシ−４−メチルペンチル）シクロヘキサ−３−エン−１−カルバルデヒド；２−（（１Ｒ，３Ｓ，４Ｓ）−４−メチル−３−（プロパ−１−エン−２−イル）−４−ビニルシクロヘキシル）プロパン−２−オール；（Ｅ）−１−（４−メトキシフェニル）−４−メチルペンタ−１−エン−３−オン；（２Ｒ，４ａＲ，８ａＳ）−１，１，５，５−テトラメチルヘキサヒドロ−２Ｈ−２，４ａ−メタノナフタレン−８（５Ｈ）−オン；（Ｅ）−２，３−ジメチル−４−（２，６，６−トリメチルシクロヘキサ−２−エン−１−イル）ブタ−３−エナール；６−イソプロピルデカヒドロナフタレン−２−オール；（２Ｅ，６Ｅ）−３，７，１１−トリメチルドデカ−２，６，１０−トリエナール；１，７，７−トリメチルビシクロ［２．２．１］ヘプタン−２−イルイソブチレート；（Ｚ）−オクタデカ−９−エン−１−オール；２−メチル−３−（（１，７，７−トリメチルビシクロ［２．２．１］ヘプタン−２−イル）オキシ）プロパン−１−オール；（Ｅ）−２−メチル−１−（２，６，６−トリメチルシクロヘキサ−２−エン−１−イル）ペンタ−１−エン−３−オン；３−（４−（ｔｅｒｔ−ブチル）フェニル）−２−メチルプロパン−１−オール；４，７，７−トリメチル−４−（３−メチルブタ−２−エン−１−イル）ビシクロ［４．１．０］ヘプタン−３−オン；（Ｚ）−２−メチル−１−（２，２，６−トリメチルシクロヘキサ−３−エン−１−イル）ペンタ−１−エン−３−オン；３−（（２−イソプロピル−５−メチルシクロヘキシル）オキシ）プロパン−１，２−ジオール；（Ｚ）−２−ベンジリデンヘプタナール；４，７，７−トリメチル−２−（３−メチルブタ−２−エン−１−イル）ビシクロ［４．１．０］ヘプタン−３−オン；（Ｅ）−２−（（１Ｓ，３ａＲ，４Ｓ，８ａＳ）−４，８，８−トリメチルデカヒドロ−１，４−メタノアズレン−９−イリデン）エタン−１−オール；６−イソプロピルオクタヒドロナフタレン−２（１Ｈ）−オン；７−エトキシ−４−メチル−２Ｈ−クロメン−２−オン；（Ｅ）−４−メチル−６−（２，２，３−トリメチルシクロペンタ−３−エン−１−イル）ヘキサ−４−エン−３−オール；３，８，８−トリメチル−６−メチレンオクタヒドロ−１Ｈ−３ａ，７−メタノアズレン−５−オール；（３Ｒ，３ａＲ，６Ｓ，７Ｓ，８ａＳ）−３，６，８，８−テトラメチルヘキサヒドロ−１Ｈ−３ａ，７−メタノアズレン−５（４Ｈ）−オン；（Ｅ）−４−メチル−６−（２，２，３−トリメチルシクロペンタ−３−エン−１−イル）ヘキサ−５−エン−３−オール；１−（４，４−ジメチル−１，２，３，４−テトラヒドロナフタレン−１−イル）プロパン−１−オン；８，１２−ジメチルトリデカ−１１−エン−６−オン；２−エトキシ−４−（４−メチル−１，３−ジオキソラン−２−イル）フェノール；３−ベンジルヘプタン−４−オン；ヘプタデカン−９−オン；（（２Ｓ，４ａＲ）−１，１，５，５−テトラメチル−１，３，４，５，６，７−ヘキサヒドロ−２Ｈ−２，４ａ−メタノナフタレン−８−イル）メタノール；（オクタヒドロ−１Ｈ−４，７−メタノインデン−２，５−ジイル）ジメタノール；（１Ｒ，５Ｓ，９Ｓ，Ｅ）−４，１１，１１−トリメチル−８−メチレンビシクロ［７．２．０］ウンデカ−３−エン−５−オール；１−（４−ブトキシ−２，２，６，６−テトラメチルシクロヘキサ−３−エン−１−イル）エタン−１−オン；（Ｅ）−２−メチル−１−（１−メチルビシクロ［２．２．１］ヘプタ−５−エン−２−イル）ペンタ−１−エン−３−オール；（Ｅ）−１−（３，５，６−トリメチルシクロヘキサ−３−エン−１−イル）ペンタ−１−エン−３−オン；（Ｅ）−１−（２，４，６−トリメチルシクロヘキサ−３−エン−１−イル）ペンタ−１−エン−３−オン；２−（（３Ｓ，３ａＳ，５Ｒ，８Ｓ，８ａＳ）−３，８−ジメチルデカヒドロアズレン−５−イル）プロパン−２−オール；（２Ｅ，６Ｅ，９Ｅ）−２，６，１０−トリメチルドデカ−２，６，９，１１−テトラエナール；１−（２，５，５−トリメチル−１，３，４，５，６，７−ヘキサヒドロ−２Ｈ−２，４ａ−エタノナフタレン−８−イル）エタン−１−オン；オキサシクロヘキサデカン−２，１３−ジオン；（３Ｒ，３ａＲ，７Ｓ，８ａＳ）−３，６，８，８−テトラメチル−１，２，３，７，８，８ａ−ヘキサヒドロ−４Ｈ−３ａ，７−メタノアズレン−４−オン；１−（２，３，８，８−テトラメチル−１，２，３，５，６，７，８，８ａ−オクタヒドロナフタレン−２−イル）エタン−１−オン；（Ｅ）−カルコン；（Ｅ）−４−（１，３ａ，４，６，７，７ａ−ヘキサヒドロ−５Ｈ−４，７−メタノインデン−５−イリデン）ブタン−２−オール；（Ｅ）−３−（（２，６，６−トリメチルシクロヘキサ−２−エン−１−イリデン）メチル）ヘキサ−５−エン−２−オン；（３ａＲ，５ａＳ，９ａＳ，９ｂＲ）−３ａ，６，６，９ａ−テトラメチルデカヒドロナフト［２，１−ｂ］フラン−２（１Ｈ）−オン；（Ｅ）−５−メチル−１−（２，６，６−トリメチルシクロヘキサ−２−エン−１−イル）ヘキサ−１−エン−３−オン；１０，１１−ジヒドロ−５Ｈ−ジベンゾ［ａ，ｄ］［７］アヌレン−５−オン；５，５，７，８，８−ペンタメチル−５，６，７，８−テトラヒドロナフタレン−２−カルバルデヒド；（４Ｒ，４ａＳ，６Ｒ，８ａＳ）−４，４ａ−ジメチル−６−（プロパ−１−エン−２−イル）オクタヒドロナフタレン−２（１Ｈ）−オン；２−（１，１，２，３，３−ペンタメチル−２，３−ジヒドロ−１Ｈ−インデン−５−イル）プロパン−１−オール；８−（ｔｅｒｔ−ブチル）−４，６−ジメチル−２Ｈ−クロメン−２−オン；（Ｅ）−４−（３ａ，４，５，６，７，７ａ−ヘキサヒドロ−１Ｈ−４，７−メタノインデン−５−イル）−３−メチルブタ−３−エン−２−オール；（Ｅ）−４−（３ａ，４，５，６，７，７ａ−ヘキサヒドロ−１Ｈ−４，７−メタノインデン−６−イル）−３−メチルブタ−３−エン−２−オール；２−（（４−イソプロピルシクロヘキサ−１−エン−１−イル）メチル）シクロペンタン−１−オン；４−（５，５，６−トリメチルビシクロ［２．２．１］ヘプタン−２−イル）シクロヘキサン−１−オール；１，３−ジフェニルプロパン−２−オン；３−（（２Ｒ）−５，５，６−トリメチルビシクロ［２．２．１］ヘプタン−２−イル）シクロヘキサン−１−オール；３−エチル−５，５，８，８−テトラメチル−５，６，７，８−テトラヒドロナフタレン−２−カルバルデヒド；（１Ｓ）−３−（（Ｚ）−ベンジリデン）−１，７，７−トリメチルビシクロ［２．２．１］ヘプタン−２−オン；（Ｚ）−３−ベンジリデン−１，７，７−トリメチルビシクロ［２．２．１］ヘプタン−２−オン；３−（５，５−ジメチル−６−メチレンビシクロ［２．２．１］ヘプタン−２−イル）シクロヘキサン−１−オール；６，１０，１４−トリメチルペンタデカン−２−オン；１−（３−エチル−５，５，８，８−テトラメチル−５，６，７，８−テトラヒドロナフタレン−２−イル）エタン−１−オン；２−オクチルドデカン−１−オール；２−イソプロポキシ−１，２−ジフェニルエタン−１−オン；２−メトキシ−４−（１，７，７−トリメチルビシクロ［２．２．１］ヘプタン−２−イル）フェノール；２−（２−（３，３，５−トリメチルシクロヘキシル）アセチル）シクロペンタン−１−オン；２−ブトキシ−１，２−ジフェニルエタン−１−オン；（６Ｅ，１０Ｅ）−３，７，１１，１５−テトラメチルヘキサデカ−６，１０，１４−トリエン−３−オール；（６Ｅ，１０Ｅ）−３，７，１１，１５−テトラメチルヘキサデカ−１，６，１０，１４−テトラエン−３−オール；２−イソブトキシ−１，２−ジフェニルエタン−１−オン；（１Ｒ）−１，７，７−トリメチル−３−（（Ｚ）−４−メチルベンジリデン）ビシクロ［２．２．１］ヘプタン−２−オン；１−（４−ヒドロキシ−３−メトキシフェニル）デカン−３−オン；３，７，１１，１５−テトラメチルヘキサデカ−１−イン−３−オール；（７Ｒ，１１Ｒ，Ｅ）−３，７，１１，１５−テトラメチルヘキサデカ−２−エン−１−オール；（３Ｒ，５Ｓ，８Ｒ，９Ｓ，１０Ｓ，１３Ｒ，１４Ｓ）−１０，１３−ジメチル−２，３，４，５，６，７，８，９，１０，１１，１２，１３，１４，１５−テトラデカヒドロ−１Ｈ−シクロペンタ［ａ］フェナントレン−３−オール；１−フェネトキシ−２−（ｐ−トリルオキシ）エタン−１−オール；（７−イソプロピル−１，４ａ−ジメチルテトラデカヒドロフェナントレン−１−イル）メタノール；（５Ｓ，８Ｒ，９Ｓ，１０Ｓ，１３Ｒ，１４Ｓ）−１０，１３−ジメチル−１，２，４，５，６，７，８，９，１０，１１，１２，１３，１４，１５−テトラデカヒドロ−３Ｈ−シクロペンタ［ａ］フェナントレン−３−オン；（７−イソプロピル−１，４ａ−ジメチル−１，２，３，４，４ｂ，５，６，７，８，８ａ，９，１０−ドデカヒドロ−４ａｌ５−フェナントレン−１−イル）メタノール；１−（４−（ｔｅｒｔ−ブチル）フェニル）−３−（４−メトキシフェニル）プロパン−１，３−ジオン；２，５，７，８−テトラメチル−２−（４，８，１２−トリメチルトリデシル）クロマン−６−オール；２，５，８−トリメチル−２−（４，８，１２−トリメチルトリデシル）クロマン−６−オール；２，７，８−トリメチル−２−（４，８，１２−トリメチルトリデシル）クロマン−６−オール；２，８−ジメチル−２−（４，８，１２−トリメチルトリデシル）クロマン−６−オール；（１Ｅ，６Ｅ）−１，７−ビス（４−ヒドロキシ−３−メトキシフェニル）ヘプタ−１，６−ジエン−３，５−ジオン；（１Ｒ，２Ｒ，４ａＳ，８ａＳ）−１−（（Ｅ）−６−（（Ｓ）−２，２−ジメチル−６−メチレンシクロヘキシル）−４−メチルヘキサ−３−エン−１−イル）−２，５，５，８ａ−テトラメチルデカヒドロナフタレン−２−オール；（２Ｅ，４Ｅ，６Ｅ，８Ｅ，１０Ｅ，１２Ｅ，１４Ｅ，１６Ｅ）−２，６，１１，１５−テトラメチル−１７−（２，６，６−トリメチルシクロヘキサ−１−エン−１−イル）ヘプタデカ−２，４，６，８，１０，１２，１４，１６−オクタエナール；８，８−ジ（１Ｈ−インドール−３−イル）−２，６−ジメチルオクタン−２−オール、及びこれらの混合物からなる群から選択される有益剤のフラグメントである、請求項１〜５のいずれか一項に記載のシリコーン化合物。
【請求項９】
前記有益剤部分が、３，７−ジメチルオクタナール；オクタナール；テトラデカナール；２，２，６，８−テトラメチル−１，２，３，４，４ａ，５，８，８ａ−オクタヒドロナフタレン−１−オール；（４Ｒ，４ａＳ，６Ｒ）−４，４ａ−ジメチル−６−（プロパ−１−エン−２−イル）−４，４ａ，５，６，７，８−ヘキサヒドロナフタレン−２（３Ｈ）−オン；ノナン−１−オール；ノナナール；（Ｚ）−３，７−ジメチルオクタ−２，６−ジエン−１−オール；６，６−ジメチルビシクロ［３．１．１］ヘプタ−２−エン−２−カルバルデヒド；（Ｅ）−４−（２，２，３，６−テトラメチルシクロヘキシル）ブタ−３−エン−２−オン；（Ｚ）−１−（２，６，６−トリメチルシクロヘキサ−１−エン−１−イル）ペンタ１−エン−３−オン；（Ｅ）−３−メチルシクロペンタデカ−４−エン−１−オン；１−（４−イソプロピルシクロヘキシル）エタン−１−オール；１−（４−イソプロピルシクロヘキシル）エタン−１−オール；２−メチルデカナール；２−メチルウンデカナール；６−メトキシ−２，６−ジメチルヘプタナール；７−メトキシ−３，７−ジメチルオクタナール；オクタヒドロ−１Ｈ−４，７−メタノインデン−１−カルバルデヒド；（（１ｓ，４ｓ）−４−イソプロピルシクロヘキシル）メタノール；３−（３−（ｔｅｒｔ−ブチル）フェニル）−２−メチルプロパナール；２，２−ジメチル−３−（ｍ−トリル）プロパン−１−オール；８−イソプロピル−６−メチルビシクロ［２．２．２］オクタ−５−エン−２−カルバルデヒド；４−（４−ヒドロキシ−４−メチルペンチル）シクロヘキサ−３−エン−１−カルバルデヒド；（Ｚ）−３−ヘキセン−１−イル−２−シクロペンテン−１−オン；３−（４−メチルシクロヘキサ−３−エン−１−イル）ブタナール；３−（４−（ｔｅｒｔ−ブチル）フェニル）−２−メチルプロパナール；２−メチル−５−（１−メチルエテニル）−２−シクロヘキセノン；（１Ｓ，５Ｒ）−２−メチル−５−（プロパ−１−エン−２−イル）シクロヘキサ−２−エン−１−オール；ドデカン−１−オール；ドデカナール；（（３Ｓ，３ａＲ，６Ｒ，８ａＳ）−７，７−ジメチル−８−メチレンオクタヒドロ−１Ｈ−３ａ，６−メタノアズレン−３−イル）メタノール；（１−メチル−２−（（１，２，２−トリメチルビシクロ［３．１．０］ヘキサン−３−イル）メチル）シクロプロピル）メタノール；（Ｚ）−４−（６，６−ジメチルシクロヘキサ−２−エン−１−イル）−３−メチルブタ−３−エン−２−オン；（１Ｒ，２Ｓ，５Ｒ）−５−メチル−２−（プロパ−１−エン−２−イル）シクロヘキサン−１−オール；４，９−ジメトキシ−７Ｈ−フロ［３，２−ｇ］クロメン−７−オン；２−ヘキシルシクロペンタ−２−エン−１−オン；４−（４−メチルペンタ−３−エン−１−イル）シクロヘキサ−３−エン−１−カルバルデヒド；２，５，６−トリメチルシクロヘキサ−３−エン−１−カルバルデヒド；４−（（２Ｒ）−１，７，７−トリメチルビシクロ［２．２．１］ヘプタン−２−イル）シクロヘキサン−１−オール；（７，７，８，８−テトラメチルオクタヒドロ−２，３ｂ−メタノシクロペンタ［１，３］シクロプロパ［１，２］ベンゼン−４−イル）メタノール；２−シクロドデシルプロパン−１−オール；３−フェニルプロパン−１−オール；２，３−ジヒドロ−３，３−ジメチル−１Ｈ−インデン−５−プロパナール；３−（３，３−ジメチル−２，３−ジヒドロ−１Ｈ−インデン−５−イル）プロパナール；（Ｚ）−２−ベンジリデンオクタナール；３−（ベンゾ［ｄ］［１，３］ジオキソール−５−イル）−２−メチルプロパナール；１−メチル−４−（プロパン−２−イリデン）シクロヘキサン−１−オール；（Ｚ）−４−（２，２−ジメチル−６−メチレンシクロヘキシル）ブタ−３−エン−２−オン；（Ｚ）−１−（２，２−ジメチル−６−メチレンシクロヘキシル）ブタ−２−エン−１−オン；１−（３，３−ジメチルシクロヘキシル）ペンタ−４−エン−１−オン；（６−イソプロピル−９−メチル−１，４−ジオキサスピロ［４．５］デカン−２−イル）メタノール；３−（２−エチルフェニル）−２，２−ジメチルプロパナール；３−（２−エチルフェニル）−２，２−ジメチルプロパナール；（Ｅ）−４，８−ジメチルデカ−４，９−ジエナール；（２Ｅ，６Ｅ）−３，７，１１−トリメチルドデカ−２，６，１０−トリエン−１−オール；（Ｅ）−シクロペンタデカ−４−エン−１−オン；１−シクロペンタデカ−４−エン−１−オン；２−メトキシ−４−（４−メチレンテトラヒドロ−２Ｈ−ピラン−２−イル）フェノール；４−アリル−２−メトキシフェノール；（２Ｒ，３Ｓ，４Ｒ）−２，３，４，５−テトラヒドロキシペンタナール；（Ｅ）−４−（（３ａＳ，７ａＳ）−オクタヒドロ−５Ｈ−４，７−メタノインデン−５−イリデン）ブタナール；２−（２−ヒドロキシプロポキシ）プロパン−１−オール；２，６−ジメチルオクタ−７−エン−４−オン；３−メチル−２−ペンチルシクロペンタ−２−エン−１−オン；２−メトキシ−４−プロピルフェノール；２−メチル−５−（プロパ−１−エン−２−イル）シクロヘキサン−１−オール；（Ｚ）−１−（（１Ｒ，２Ｓ）−２，６，６−トリメチルシクロヘキサ−３−エン−１−イル）ブタ−２−エン−１−オン；デカ−９−エン−１−オール；３−（４−イソプロピルフェニル）−２−メチルプロパナール；８，８−ジメチル−１，２，３，４，５，６，７，８−オクタヒドロナフタレン−２−カルバルデヒド；（４−イソプロピルフェニル）メタノール；３−（４−メチルシクロヘキサ−３−エン−１−イル）ブタン−１−オール；３，７−ジメチルオクタ−６−エン−１−オール；３，７−ジメチルオクタ−６−エナール；（Ｚ）−３−メチル−２−（ペンタ−２−エン−１−イル）シクロペンタ−２−エン−１−オン；（Ｚ）−ノナ−６−エン−１−オール；（１Ｒ，５Ｒ）−２−メチル−５−（プロパ−１−エン−２−イル）シクロヘキサ−２−エン−１−オール；（Ｚ）−デカ−４−エナール；（３Ｚ，６Ｚ）−ノナ−３，６−ジエン−１−オール；（Ｅ）−３−フェニルプロパ−２−エン−１−オール；４−クロロ−３，５−ジメチルフェノール；ヘキサデカン−１−オール；（Ｅ）−１−（２，６，６−トリメチルシクロヘキサ−２−エン−１−イル）ヘプタ−１，６−ジエン−３−オン；２−メチル−４−（２，６，６−トリメチルシクロヘキサ−１−エン−１−イル）ブタナール；１，１，２，３，３−ペンタメチル−１，２，３，５，６，７−ヘキサヒドロ−４Ｈ−インデン−４−オン；（１Ｓ，２Ｓ，５Ｒ，８Ｓ）−４，４，８−トリメチルトリシクロ［６．３．１．０２，５］ドデカン−１−オール；５−イソプロピル−２−メチルフェノール；２−メチル−５−（プロパ−１−エン−２−イル）シクロヘキサ−２−エン−１−オン；オクタン−１−オール；デカナール；３−（４−メトキシフェニル）−２−メチルプロパナール；２，６−ジ−ｔｅｒｔ−ブチル−４−メチルフェノール；２−メチル−４−（２，２，３−トリメチルシクロペンタ−３−エン−１−イル）ブタン−１−オール；３−（４−（ｔｅｒｔ−ブチル）フェニル）プロパナール；（Ｅ）−２−メチル−４−（２，６，６−トリメチルシクロヘキサ−１−エン−１−イル）ブタ−２−エナール；（５Ｒ，１０Ｒ）−６，１０−ジメチル−２−（プロパン−２−イリデン）スピロ［４．５］デカ−６−エン−８−オン；１−メチル−４−（プロパ−１−エン−２−イル）シクロヘキサン−１−オール；（２Ｚ，６Ｅ）−２，６−ジメチル−１０−メチレンドデカ−２，６，１１−トリエナール；（Ｚ）−２−メチル−５−（（１Ｓ，２Ｒ，４Ｒ）−２−メチル−３−メチレンビシクロ［２．２．１］ヘプタン−２−イル）ペンタ−２−エン−１−オール；（Ｓ）−４−メチル−１−（（Ｓ）−６−メチルヘプタ−５−エン−２−イル）シクロヘキサ−３−エン−１−オール；（Ｚ）−４−（２，２，６−トリメチル−７−オキサビシクロ［４．１．０］ヘプタン−１−イル）ブタ−３−エン−２−オン；４−メトキシ−７Ｈ−フロ［３，２−ｇ］クロメン−７−オン；（４Ｒ，４ａＳ）−４，４ａ−ジメチル−６−（プロパン−２−イリデン）−４，４ａ，５，６，７，８−ヘキサヒドロナフタレン−２（３Ｈ）−オン；（２Ｚ，６Ｅ，９Ｅ）−２，６，１０−トリメチルドデカ−２，６，９，１１−テトラエナール；（Ｅ）−５−（２，３−ジメチルトリシクロ［２．２．１．０２，６］ヘプタン−３−イル）−２−メチルペンタ−２−エン−１−オール；１−（５，５−ジメチルシクロヘキサ−１−エン−１−イル）ペンタ−４−エン−１−オン；（Ｒ，Ｚ）−１−（２，６，６−トリメチルシクロヘキサ−２−エン−１−イル）ペンタ−１−エン−３−オン；（Ｚ）−３−メチル−４−（２，６，６−トリメチルシクロヘキサ−２−エン−１−イル）ブタ−３−エン−２−オン；（Ｚ）−４−（２，５，６，６−テトラメチルシクロヘキサ−２−エン−１−イル）ブタ−３−エン−２−オン；（１Ｒ，４Ｓ，４ａＲ，８ａＲ）−４−イソプロピル−１，６−ジメチル−１，２，３，４，４ａ，７，８，８ａ−オクタヒドロナフタレン−１−オール；（Ｅ）−２−ベンジリデンヘプタン−１−オール；（Ｅ）−２−ベンジリデンヘプタナール；１−メチル−４−（４−メチルペンタ−３−エン−１−イル）シクロヘキサ−３−エン−１−カルバルデヒド；２，３，４−トリメトキシベンズアルデヒド；２，４，５−トリメトキシベンズアルデヒド；２，４，６−トリメトキシベンズアルデヒド；トランス，トランス−２，４−ノナジエナール；２，６，１０−トリメチルウンデカナール；α−４−ジメ���ル  ベンゼンプロパナール；（Ｅ）−ウンデカ−９−エナール；２，６，１０−トリメチルウンデカ−９−エナール；（Ｚ）−２−（４−メチルベンジリデン）ヘプタナール；デカ−９−エナール；７−メトキシ−２Ｈ−クロメン−２−オン；１−（３，５，５，６，８，８−ヘキサメチル−５，６，７，８−テトラヒドロナフタレン−２−イル）エタン−１−オン；３−（６，６−ジメチルビシクロ［３．１．１］ヘプタ−２−エン−２−イル）プロパナール；１−イソプロピル−４−メチルシクロヘキサ−３−エン−１−オール；１−フェニルペンタ−４−エン−１−オン；１−イソプロピル−４−メチルシクロヘキサ−３−エン−１−オール；（１ａＲ，２Ｓ，４ａＳ）−２，４ａ，８，８−テトラメチルオクタヒドロシクロプロパ［ｄ］ナフタレン−３（１Ｈ）−オン；（Ｚ）−ドデカ−２−エナール；３−メチル−５−フェニルペンタナール；３，７−ジメチル−２−メチレンオクタ−６−エナール；３，７−ジメチルオクタン−１−オール；３，４，５−トリメトキシベンズアルデヒド；３−（４−イソプロピルフェニル）プロパナール；（Ｅ）−ウンデカ−２−エナール；（２Ｅ，６Ｅ）−ノナ−２，６−ジエナール；（Ｚ）−３−（フラン−２−イル）−２−フェニルアクリルアルデヒド；２−フェノキシエタン−１−オール；（Ｚ）−ノナ−２−エナール；（Ｅ）−２−イソプロピル−５−メチルヘキサ−２−エナール；（Ｅ）−デカ−２−エナール；（２Ｅ，６Ｅ）−ノナ−２，６−ジエナール；（２Ｅ，６Ｅ）−ノナ−２，６−ジエン−１−オール；２，６−ジメチルオクタナール；デカン−１−オール；ウンデカ−１０−エン−１−オール；ウンデカ−１０−エナール；（Ｚ）−１−（２，６，６−トリメチルシクロヘキサ−２−エン−１−イル）ブタ−２−エン−１−オン；（１Ｓ，５Ｓ）−４，６，６−トリメチルビシクロ［３．１．１］ヘプタ−３−エン−２−オン；（Ｚ）−ドデカ−３−エナール；３，７−ジメチルオクタ−６−エナール；（Ｒ）−３，７−ジメチルオクタ−６−エナール；（１Ｓ，２Ｓ，５Ｓ）−２−メチル−５−（プロパ−１−エン−２−イル）シクロヘキサン−１−オール；３，７−ジメチルオクタ−６−エン−１−オール；（Ｓ）−２−メチル−５−（プロパ−１−エン−２−イル）シクロヘキサ−２−エン−１−オン；（Ｒ，Ｅ）−２−メチル−４−（２，２，３−トリメチルシクロペンタ−３−エン−１−イル
）ブタ−２−エン−１−オール；（Ｅ）−４−（２，２−ジメチル−６−メチレンシクロヘキシル）−３−メチルブタ−３−エン−２−オン；３−（３−イソプロピルフェニル）ブタナール；３−（６，６−ジメチルビシクロ［３．１．１］ヘプタ−２−エン−２−イル）−２，２−ジメチルプロパナール；２−（ｍ−トリル）エタン−１−オール；（３Ｅ，６Ｅ）−ノナ−３，６−ジエン−１−オール；（Ｅ）−トリデカ−２−エナール；（１Ｒ，４Ｓ，４ａＳ，６Ｒ，８ａＳ）−４，８ａ，９，９−テトラメチルオクタヒドロ−１，６−メタノナフタレン−１（２Ｈ）−オール；４−（プロパ−１−エン−２−イル）シクロヘキサ−１−エン−１−カルバルデヒド；（４−（プロパ−１−エン−２−イル）シクロヘキサ−１−エン−１−イル）メタノール；２−シクロヘキシルヘプタ−１，６−ジエン−３−オン；２−フェニルエタン−１−オール；３−メチル−５−フェニルペンタン−１−オール；２−（６，６−ジメチルビシクロ［３．１．１］ヘプタ−２−エン−２−イル）アセトアルデヒド；（４ａＲ，８ａＳ）−７−メチルオクタヒドロ−１，４−メタノナフタレン−６（２Ｈ）−オン；１，２−ジメチル−３−（プロパ−１−エン−２−イル）シクロペンタン−１−オール；４−イソプロピル−１−メチルシクロヘキサ−３−エン−１−オール；（２Ｚ，５Ｚ）−５，６，７−トリメチルオクタ−２，５−ジエン−４−オン；１−メチル−４−（４−メチルペンタ−３−エン−１−イル）シクロヘキサ−３−エン−１−カルバルデヒド；プロパン−１，２−ジオール；４−（ｔｅｒｔ−ペンチル）シクロヘキサン−１−オール；３，７−ジメチルオクタ−７−エン−１−オール；２−メチル−５−フェニルペンタン−１−オール；（Ｚ）−２−エチル−４−（２，２，３−トリメチルシクロペンタ−３−エン−１−イル）ブタ−２−エン−１−オール；（Ｅ）−２−メチル−４−（２，２，３−トリメチルシクロペンタ−３−エン−１−イル）ブタ−２−エン−１−オール；５−メトキシオクタヒドロ−１Ｈ−４，７−メタノインデン−２−カルバルデヒド；５−メトキシオクタヒドロ−１Ｈ−４，７−メタノインデン−２−カルバルデヒド；３−（４−イソブチルフェニル）−２−メチルプロパナール；１−（スピロ［４．５］デカ−７−エン−７−イル）ペンタ−４−エン−１−オン；２−（４−メチルチアゾール−５−イル）エタン−１−オール；（Ｚ）−ドデカ−４−エナール；（１Ｓ，４Ｓ，４ａＲ，８ａＲ）−４−イソプロピル−１，６−ジメチル−１，２，３，４，４ａ，７，８，８ａ−オクタヒドロナフタレン−１−オール；（１Ｓ，４Ｓ，４ａＲ，８ａＳ）−４−イソプロピル−１，６−ジメチル−１，２，３，４，４ａ，７，８，８ａ−オクタヒドロナフタレン−１−オール；３，７−ジメチルオクタナール；２−イソプロピル−５−メチルフェノール；（２Ｚ，４Ｅ）−ノナ−２，４−ジエナール；（２Ｅ，６Ｅ）−３，７，１１−トリメチルドデカ−２，６，１０−トリエン−１−オール；（２Ｅ，６Ｚ）−ノナ−２，６−ジエナール；（Ｚ）−デカ−２−エナール；（Ｅ）−ノナ−２−エナール；（１Ｒ，２Ｓ）−２−（ｔｅｒｔ−ブチル）シクロヘキサン−１−オール；（３Ｅ，６Ｚ）−ノナ−３，６−ジエン−１−オール；（Ｅ）−デカ−４−エナール；（Ｚ）−１−（２，６，６−トリメチルシクロヘキサ−２−エン−１−イル）ブタ−２−エン−１−オン；（Ｅ）−３，７−ジメチルオクタ−２，６−ジエン−１−オール；（１Ｒ−（１α，３α，４ａα））−２，３，４，４ａ，５，６−ヘキサヒドロ−２，２−ジメチル−１，３−メタノナフタレン−７（１Ｈ）−オン；トリデカン−１−オール；１−（（２Ｅ，５Ｚ，９Ｚ）−２，６，１０−トリメチルシクロドデカ−２，５，９−トリエン−１−イル）エタン−１−オン；２−メルカプト−２−メチルペンタン−１−オール；ウンデカナール；（Ｚ）−２−メチル−４−（２，６，６−トリメチルシクロヘキサ−２−エン−１−イル）ブタ−２−エナール；（１Ｒ，５Ｒ）−４，６，６−トリメチルビシクロ［３．１．１］ヘプタ−３−エン−２−オン；２−（ｔｅｒｔ−ブチル）シクロヘキサン−１−オール；１，３，４，６，７，８α−ヘキサヒドロ−１，１，５，５−テトラメチル−２Ｈ−２，４α−メタノフタレン−８（５Ｈ）−オン；３−（３，３−ジメチル−２，３−ジヒドロ−１Ｈ−インデン−５−イル）プロパナール；２，２’−オキシビス（エタン−１−オール）；ブタン−１，３−ジオール；ヘキサン−１，６−ジオール；２，２’−（エタン−１，２−ジイルビス（オキシ））ビス（エタン−１−オール）；２−メチルペンタン−２，４−ジオール；（２Ｅ，４Ｅ）−ヘプタ−２，４−ジエン−１−オール；ヘキサン−１，２，６−トリオール；（Ｚ）−オクタ−５−エン−１−オール；（Ｅ）−オクタ−３−エン−１−オール；（Ｚ）−オクタ−５−エナール；２，５−ジメチル−１，４−ジチアン−２，５−ジオール；（Ｅ）−ノナ−２−エン−１−オール；（Ｅ）−ノナ−６−エン−１−オール；（Ｅ）−ノナ−３−エン−１−オール；（Ｚ）−ノナ−３−エン−１−オール；（２Ｅ，６Ｚ）−ノナ−２，６−ジエン−１−オール；マンニトール；２，２’，２’’−ニトリロトリス（エタン−１−オール）；３−ノネン−２−オン；（Ｅ）−ノナ−５−エン−２−オン；２−（シクロヘキシルオキシ）エタン−１−オール；（Ｅ）−デカ−２−エン−１−オール；ａ−Ｄ−グルコピラノース；（Ｅ）−デカ−５−エン−１−オール；２，３，６−トリメチルフェノール；（２Ｅ，４Ｅ）−デカ−２，４−ジエナール；（２Ｅ，４Ｚ）−デカ−２，４−ジエナール；デカン−１，１０−ジオール；（Ｚ）−デカ−７−エナール；（Ｅ）−２−メチルオクタ−２−エナール；３−（ヒドロキシメチル）フェノール；（２−メトキシフェニル）メタノール；デカン−２−オン；２−（ｏ−トリル）エタン−１−オール；ウンデカン−１−オール；（Ｅ）−デカ−３−エン−２−オン；３−エチル−２−ヒドロキシ−４−メチルシクロペンタ−２−エン−１−オン；３−フェニルプロパン−１−オール；３，５−オクタジエン−２−オール、２，６−ジメチル−，（？，Ｚ）−；３，５−オクタジエン−２−オール，２，６−ジメチル−，（？，Ｅ）−；ベンゼンメタノール，４−メチル−；２−（ベンジルオキシ）エタン−１−オール；（Ｅ）−ウンデカ−２−エン−１−オール；（２Ｚ，４Ｅ）−ウンデカ−２，４−ジエン−１��オール；（Ｅ）−７−メチル−３−メチレンオクタ−４，６−ジエン−２−オール；（Ｚ）−ウンデカ−２−エナール；（Ｅ）−ウンデカ−２−エナール；（２Ｚ，４Ｚ）−ウンデカ−２，４−ジエナール；（２Ｅ，４Ｅ）−ウンデカ−２，４−ジエナール；３−シクロヘキセン−１−プロパナール；（Ｅ）−ウンデカ−８−エナール；１−（ｐ−トリル）エタン−１−オール；（Ｅ）−３，７−ジメチルオクタ−２，６−ジエン−１−オール；４−（２−ヒドロキシエチル）フェノール；（４−メトキシフェニル）メタノール；２−メトキシ−２−フェニルエタン−１−オール；（Ｅ）−２−イソプロピル−５−メチルヘキサ−２−エン−１−オール；４−フェニルブタン−１−オール；２−（ｐ−トリル）エタン−１−オール；（Ｅ）−ドデカ−２−エン−１−オール；２−（ｐ−トリルオキシ）エタン−１−オール；７−メチル−３−メチレンオクタ−６−エナール；（２Ｅ，４Ｅ）−ドデカ−２，４−ジエン−１−オール；（Ｅ）−ドデカ−２−エナール；（２Ｅ，４Ｅ）−ドデカ−２，４−ジエナール；（Ｅ）−５−（メチルチオ）−２−（（メチルチオ）メチル）ペンタ−２−エナール；（Ｅ）−ドデカ−３−エナール；４−（ヒドロキシメチル）−２−メトキシフェノール；ウンデカン−１−オール；（Ｅ）−ドデカ−４−エナール；４−アリルフェノール；（２Ｅ，６Ｚ）−ドデカ−２，６−ジエナール；３−（５−メチルフラン−２−イル）ブタナール；２−ペンチルシクロペンタ−２−エン−１−オン；２−イソプロピル−４−メチルフェノール；３，７−ジメチルオクタ−７−エン−１，６−ジオール；ベンゾ［ｄ］［１，３］ジオキソール−５−イルメタノール；（Ｚ）−２，７−ジメチルオクタ−５−エン−４−オン；ウンデカ−１−エン−３−オン；２，６−ジメトキシ−４−メチルフェノール；（１Ｓ，２Ｓ，５Ｓ）−２−メチル−５−（プロパ−１−エン−２−イル）シクロヘキサン−１−オール；５−フェニルペンタン−１−オール；ｒｅｌ−（１Ｒ，２Ｓ，５Ｒ）−５−メチル−２−（プロパ−１−エン−２−イル）シクロヘキサン−１−オール；（Ｅ）−２−メチル−３−フェニルプロパ−２−エン−１−オール；（Ｅ）−トリデカ−２−エン−１−オール；（（１Ｓ，２Ｓ，５Ｓ）−６，６−ジメチルビシクロ［３．１．１］ヘプタン−２−イル）メタノール；トリデカナール；２−メチルウンデカン−１−オール；２−（３，４−ジメチルフェニル）アセトアルデヒド；２−（２，４−ジメチルフェニル）アセトアルデヒド；１，３−ジヒドロ−２Ｈ−インデン−２−オン；（２Ｅ，４Ｅ）−トリデカ−２，４−ジエナール；（６，６−ジメチルビシクロ［３．１．１］ヘプタ−２−エン−２−イル）メタノール；３−（ｐ−トリル）プロパナール；（Ｅ）−２−（ヘキサ−２−エン−１−イル）シクロペンタン−１−オール；２−（２−ヒドロキシプロパン−２−イル）−５−メチルシクロヘキサン−１−オール；１１−メチルドデカン−１−オール；（２Ｅ，４Ｚ，７Ｚ）−トリデカ−２，４，７−トリエナール；シクロドデカノール；２−（４−メチルシクロヘキサ−３−エン−１−イル）プロパ−２−エン−１−オール；（Ｒ）−２−（４−メチルシクロヘキサ−３−エン−１��イル）プロパ−２−エン−１−オール；（Ｅ）−２−メチル−３−（ペンタ−２−エン−１−イル）シクロペンタ−２−エン−１−オン；（Ｅ）−３−メチル−２−（ペンタ−２−エン−１−イル）シクロペンタ−２−エン−１−オン；（２Ｅ，６Ｅ）−３，７−ジメチルノナ−２，６−ジエナール；２，６−ジイソプロピルフェノール；１−（３，３−ジメチルビシクロ［２．２．１］ヘプタン−２−イル）エタン−１−オール；２−（４−メチレンシクロヘキシル）プロパナール；（Ｓ）−４−（プロパ−１−エン−２−イル）シクロヘキサ−１−エン−１−カルバルデヒド；（Ｅ）−３−（４−メトキシフェニル）アクリルアルデヒド；テトラデカン−１−オール；６−フェニルヘキサン−１−オール；２−（４−イソプロピルシクロヘキシル）エタン−１−オール；（Ｅ）−２−エチル−２−（３−メチルブタ−２−エン−１−イル）ヘキサ−３−エン−１−オール；２−（４−エチルフェニル）アセトアルデヒド；（Ｅ）−３−メチル−１−フェニルペンタ−１−エン−３−オール；（２−ヘキシル−１，３−ジオキソラン−４−イル）メタノール；６−エチル−３−メチルオクタ−５−エン−１−オール；オクタヒドロナフタレン−２（１Ｈ）−オン；２−（４−イソプロピルフェニル）エタン−１−オール；（Ｅ）−５，９−ジメチルデカ−４，９−ジエナール；５−メチル−３，４−ジヒドロナフタレン−１（２Ｈ）−オン；８−メチル−３，４−ジヒドロナフタレン−１（２Ｈ）−オン；（Ｅ）−テトラデカ−２−エナール；４−（ｔｅｒｔ−ブチル）シクロヘキサン−１−カルバルデヒド；２−（６，６−ジメチルビシクロ［３．１．１］ヘプタ−２−エン−２−イル）エタン−１−オール；（４，７，７−トリメチルビシクロ［４．１．０］ヘプタ−４−エン−３−イル）メタノール；（Ｚ）−２−（３，３−ジメチルビシクロ［２．２．１］ヘプタン−２−イリデン）エタン−１−オール；（３ａＲ，７ａＲ）−オクタヒドロ−５Ｈ−４，７−メタノインデン−５−オン；４−（３−ヒドロキシブチル）フェノール；２，５，７，７−テトラメチルオクタナール；２−フェニルペンタ−４−エナール；４−ヒドロキシ−３，５−ジメトキシベンズアルデヒド；（Ｅ）−４−（３−ヒドロキシプロパ−１−エン−１−イル）−２−メトキシフェノール；２−メチル−４−フェニルブタナール；２−ペンチルシクロヘキサ−２−エン−１−オン；４−エチ
ル−２，６−ジメトキシフェノール；２−（（１，７，７−トリメチルビシクロ［２．２．１］ヘプタン−２−イル）オキシ）エタン−１−オール；ペンタデカン−１−オール；（２−フェニル−１，３−ジオキソラン−４−イル）メタノール；１−アリル−２，２，７，７−テトラメチルシクロヘプタン−１−オール；５−エチル−２−メチルノナン−１−オール；３−（ブタ−３−エン−１−イル）−２，４，４−トリメチルシクロヘキサ−２−エン−１−オン；２−（４−イソプロピルシクロヘキシル）プロパン−１−オール；ペンタデカナール；（Ｚ）−２−エチリデンウンデカナール；（Ｅ）−１−（２，６，６−トリメチルシクロヘキサ−３−エン−１−イル）ブタ−２−エン−１−オン；３，５−ジエチル−２，６−ジメチルシクロヘキサ−２−エン−１−オン；（Ｚ）−４−（４−メチルシクロヘキサ−３−エン−１−イリデン）ペンタナール；６−メチル−３，４−ジヒドロナフタレン−１（２Ｈ）−オン；７−メチル−３，４−ジヒドロナフタレン−１（２Ｈ）−オン；５−エチル−２−メチルノナナール；（３Ｅ，５Ｅ）−６，１０−ジメチルウンデカ−３，５，９−トリエン−２−オン；［１，１’−ビ（シクロヘキサン）］−１’−エン−２−オン；（Ｅ）−４−（２，３，６−トリメチルフェニル）ブタ−３−エン−２−オン；２−（４−イソプロピルフェニル）プロパナール；（Ｅ）−６，１０−ジメチルウンデカ−３，９−ジエン−２−オン；３−プロピルビシクロ［２．２．１］ヘプタ−５−エン−２−カルバルデヒド；（Ｅ）−２，６−ジメトキシ−４−（プロパ−１−エン−１−イル）フェノール；４，４ａ，６，７，８，８ａ−ヘキサヒドロ−１，４−メタノナフタレン−５（１Ｈ）−オン；４−アリル−２，６−ジメトキシフェノール、（２，８，８−トリメチル−１，２，３，４，５，６，７，８−オクタヒドロナフタレン−２−イル）メタノール；（Ｅ）−３−（４−メトキシフェニル）−２−メチルアクリルアルデヒド；（２Ｅ，６Ｅ）−３，７，９−トリメチルデカ−２，６−ジエナール；（５，６−ジメチル−１−（プロパ−１−エン−２−イル）ビシクロ［２．２．１］ヘプタ−５−エン−２−イル）メタノール；２−（４−（ｔｅｒｔ−ブチル）−２−メチルフェノキシ）アセトアルデヒド；（Ｅ）−４−（４−ヒドロキシ−３−メトキシフェニル）ブタ−３−エン−２−オン；（Ｅ）−４−（３−ヒドロキシプロパ−１−エン−１−イル）−２，６−ジメトキシフェノール；１４−メチルペンタデカン−１−オール；（Ｅ）−３−（４−ヒドロキシ−３，５−ジメトキシフェニル）アクリルアルデヒド；（３Ｅ，５Ｅ）−３，６，１０−トリメチルウンデカ−３，５，９−トリエン−２−オン；（Ｅ）−２，５，９−トリメチルデカ−４，９−ジエナール；（Ｅ）−４−（ベンゾ［ｄ］［１，３］ジオキソール−５−イル）ブタ−３−エン−２−オン；４−（６，６−ジメチルビシクロ［３．１．１］ヘプタ−２−エン−２−イル）ブタナール；２，８，８−トリメチルオクタヒドロ−２Ｈ−４ａ，２−（エポキシメタノ）ナフタレン−１０−オン；（Ｅ）−３，６，１０−トリメチルウンデカ−３，９−ジエン−２−オン；ヘプタデカン−１−オール；（Ｅ）−３−メチル−５−（２，２，３−トリメチルシクロペンタ−３−エン−１−イル）ペンタ−３−エン−２−オン；（Ｅ）−２−メチル−４−（２，６，６−トリメチルシクロヘキサ−２−エン−１−イル）ブタ−３−エナール；（Ｅ）−２，６，１０−トリメチルウンデカ−５，９−ジエン−１−オール；１−メチル−４−（４−メチルペンチル）シクロヘキサ−３−エン−１−カルバルデヒド；（Ｅ）−３−（ベンゾ［ｄ］［１，３］ジオキソール−５−イル）−２−メチルアクリルアルデヒド；（Ｒ，Ｅ）−１−（２，６，６−トリメチルシクロヘキサ−２−エン−１−イル）ペンタ−１−エン−３−オン；（Ｅ）−２，６，１０−トリメチルウンデカ−５，９−ジエナール；２，６−ジ−ｔｅｒｔ−ブチル−４−（ヒドロキシメチル）フェノール；（Ｚ）−２−ベンジリデンヘキサナール；（４Ｅ，６Ｅ）−７，１１−ジメチルドデカ−４，６，１０−トリエン−３−オン；２，５−ジ−ｔｅｒｔ−ブチルベンゼン−１，４−ジオール；２−メトキシ−４−（４−メチル−１，３−ジオキソラン−２−イル）フェノール；（Ｚ）−２−（フラン−２−イルメチレン）オクタナール；（Ｅ）−１−（４−メトキシフェニル）ペンタ−１−エン−３−オン；３−（４−イソプロピルフェニル）−２−メチルプロパン−１−オール；オクタデカン−１−オール；３−（４−ヒドロキシ−４−メチルペンチル）シクロヘキサ−３−エン−１−カルバルデヒド；（Ｅ）−１−（４−メトキシフェニル）−４−メチルペンタ−１−エン−３−オン；（２Ｒ，４ａＲ，８ａＳ）−１，１，５，５−テトラメチルヘキサヒドロ−２Ｈ−２，４ａ−メタノナフタレン−８（５Ｈ）−オン；（Ｅ）−２，３−ジメチル−４−（２，６，６−トリメチルシクロヘキサ−２−エン−１−イル）ブタ−３−エナール；（２Ｅ，６Ｅ）−３，７，１１−トリメチルドデカ−２，６，１０−トリエナール；（Ｚ）−オクタデカ−９−エン−１−オール；２−メチル−３−（（１，７，７−トリメチルビシクロ［２．２．１］ヘプタン−２−イル）オキシ）プロパン−１−オール；（Ｅ）−２−メチル−１−（２，６，６−トリメチルシクロヘキサ−２−エン−１−イル）ペンタ−１−エン−３−オン；３−（４−（ｔｅｒｔ−ブチル）フェニル）−２−メチルプロパン−１−オール；（Ｚ）−２−メチル−１−（２，２，６−トリメチルシクロヘキサ−３−エン−１−イル）ペンタ−１−エン−３−オン；３−（（２−イソプロピル−５−メチルシクロヘキシル）オキシ）プロパン−１，２−ジオール；（Ｚ）−２−ベンジリデンヘプタナール；（Ｅ）−２−（（１Ｓ，３ａＲ，４Ｓ，８ａＳ）−４，８，８−トリメチルデカヒドロ−１，４−メタノアズレン−９−イリデン）エタン−１−オール；６−イソプロピルオクタヒドロナフタレン−２（１Ｈ）−オン；２−エトキシ−４−（４−メチル−１，３−ジオキソラン−２−イル）フェノール；（（２Ｓ，４ａＲ）−１，１，５，５−テトラメチル−１，３，４，５，６，７−ヘキサヒドロ−２Ｈ−２，４ａ−メタノナフタレン−８−イル）メタノール；（オクタヒドロ−１Ｈ−４，７−メタノインデン−２，５−ジイル）ジメタノール；（Ｅ）−１−（３，５，６−トリメチルシクロヘキサ−３−エン−１−イル）ペンタ−１−エン−３−オン；（Ｅ）−１−（２，４，６−トリメチルシクロヘキサ−３−エン−１−イル）ペンタ−１−エン−３−オン；（２Ｅ，６Ｅ，９Ｅ）−２，６，１０−トリメチルドデカ−２，６，９，１１−テトラエナール；（Ｅ）−カルコン；（Ｅ）−５−メチル−１−（２，６，６−トリメチルシクロヘキサ−２−エン−１−イル）ヘキサ−１−エン−３−オン；５，５，７，８，８−ペンタメチル−５，６，７，８−テトラヒドロナフタレン−２−カルバルデヒド；（４Ｒ，４ａＳ，６Ｒ，８ａＳ）−４，４ａ−ジメチル−６−（プロパ−１−エン−２−イル）オクタヒドロナフタレン−２（１Ｈ）−オン；２−（１，１，２，３，３−ペンタメチル−２，３−ジヒドロ−１Ｈ−インデン−５−イル）プロパン−１−オール；４−（５，５，６−トリメチルビシクロ［２．２．１］ヘプタン−２−イル）シクロヘキサン−１−オール；３−（（２Ｒ）−５，５，６−トリメチルビシクロ［２．２．１］ヘプタン−２−イル）シクロヘキサン−１−オール；３−エチル−５，５，８，８−テトラメチル−５，６，７，８−テトラヒドロナフタレン−２−カルバルデヒド；３−（５，５−ジメチル−６−メチレンビシクロ［２．２．１］ヘプタン−２−イル）シクロヘキサン−１−オール；２−オクチルドデカン−１−オール；２−メトキシ−４−（１，７，７−トリメチルビシクロ［２．２．１］ヘプタン−２−イル）フェノール；（７Ｒ，１１Ｒ，Ｅ）−３，７，１１，１５−テトラメチルヘキサデカ−２−エン−１−オール；１−フェネトキシ−２−（ｐ−トリルオキシ）エタン−１−オール；（７−イソプロピル−１，４ａ−ジメチルテトラデカヒドロフェナントレン−１−イル）メタノール；（７−イソプロピル−１，４ａ−ジメチル−１，２，３，４，４ｂ，５，６，７，８，８ａ，９，１０−ドデカヒドロ−４ａｌ５−フェナントレン−１−イル）メタノール；（１Ｅ，６Ｅ）−１，７−ビス（４−ヒドロキシ−３−メトキシフェニル）ヘプタ−１，６−ジエン−３，５−ジオン；（２Ｅ，４Ｅ，６Ｅ，８Ｅ，１０Ｅ，１２Ｅ，１４Ｅ，１６Ｅ）−２，６，１１，１５−テトラメチル−１７−（２，６，６−トリメチルシクロヘキサ−１−エン−１−イル）ヘプタデカ−２，４，６，８，１０，１２，１４，１６−オクタエナール、及びこれらの混合物からなる群から選択される有益剤のフラグメントである、請求項１〜５のいずれか一項に記載のシリコーン化合物。
【請求項１０】
消費者製品組成物であって、
ａ．）０．０００１％〜１０％、好ましくは０．０００２％〜１％、より好ましくは０．００５％〜０．５％、最も好ましくは０．００１％〜０．０５％の請求項１〜９のいずれか一項に記載のシリコーン化合物と、
ｂ．）消費者製品成分と、を含み、
好ましくは、前記消費者製品がパッケージを含み、前記パッケージが、前記パッケージに取り付けられているか、又は付着されている、請求項１〜９のいずれか一項に記載のシリコーン化合物を含む、消費者製品組成物。
【請求項１１】
前記消費者製品が、洗浄及び／又はトリートメント組成物であり、好ましくは、洗浄及び／又はトリートメント組成物が、界面活性剤、色ケアポリマー、付着助剤、界面活性剤増強ポリマー、ｐＨ調整剤、製品色安定剤、防腐剤、溶媒、ビルダー、キレート剤、移染防止剤、分散剤、酵素及び酵素安定剤、触媒材料、漂白剤、漂白活性化剤、ポリマー分散剤、泥汚れ除去／再付着防止剤、増白剤、抑泡剤、染料、紫外線吸収剤、香料、追加の香料送達系、構造弾性化剤、増粘剤／構造化剤、布地柔軟剤、キャリア、ヒドロトロープ、オリゴアミン、加工助剤、色調剤、顔料、並びにこれらの混合物からなる群から選択される消費者製品成分を含む、請求項１０に記載の消費者製品。
【請求項１２】
請求項１〜９のいずれか一項に記載のシリコーン化合物及びディスプレイ材料を含む、ディスプレイであって、前記シリコーン化合物が、前記ディスプレイ材料に取り付けられるか、又は付着されている、ディスプレイ。
【請求項１３】
部位をトリートメント及び／又は洗浄する方法であって、
ａ．）任意に前記部位を洗うこと及び／又はすすぐことと；
ｂ．）前記部位を、請求項１〜９のいずれか一項に記載のシリコーン化合物及び／又は請求項１０若しくは１１に記載の消費者製品と接触させることと；
ｃ．）任意に前記部位を洗うこと及び／又はすすぐことと、
を含む、方法。
【請求項１４】
請求項１〜９のいずれか一項に記載のシリコーン化合物及び／又は請求項１０若しくは１１に記載の消費者製品で処理された、部位。
【発明の詳細な説明】
【技術分野】
【０００１】
本出願は、シリコーン化合物、かかるシリコーン化合物を含む組成物、パッケージ化製品、及びディスプレイ、並びに、かかる組成物、かかる組成物を含むパッケージ化製品及びディスプレイの製造方法及び使用方法に関する。
【背景技術】
【０００２】
香料、増白剤、防虫剤、シリコーン、ワックス、香味料、ビタミン、及び布地柔軟剤、スキンケア剤などの有益剤は、高価であり、パーソナルケア組成物、洗浄組成物、及び布地ケア組成物において高濃度で使用される場合に効果が弱いことがある。結果として、かかる有益剤の効率を最大限にすることが望ましい。かかる目的を達成する１つの方法は、かかる有益剤の送達効率を改善することである。残念ながら、かかる薬剤の物理的特性又は化学的特性が失われる恐れがあるか、かかる薬剤が、他の組成構成成分又はトリートメントされる部位と不適合である恐れがあるか、又はかかる薬剤がすすぎ若しくは乾燥などの適用後のプロセス中に失われる恐れがある場合、有益剤の送達効率を改善するのは難しい。有益剤の送達効率を改善するために、当業界は、香料アミン化合物及び香料チオール化合物を開発した。かかる化合物は、アルデヒド部分及び／又はケトン部分を含む香料と、一級アミン、二級アミン、及び／又はチオール部分からなるキャリアとの反応の結果であった。残念ながら、かかる化合物は、かかる化合物がアルデヒド又はケトン部分を含む香料に限定されるため、限定された香りしか提供できない。加えて、かかる化合物は、かかる化合物が所望のとおりに効率よく部位に付着しなかったため、所望のとおりの有効性を有さなかった。
【０００３】
上記の問題に対する解決策の１つは、シリコーンと例えば香料などの有益剤との結合体であるシリコーン化合物である。上記の結合は、典型的には、シリコーンの官能化部分と有益剤との間に共有結合を形成することによって実現される。したがって、シリコーンは、典型的には、官能化シリコーンである必要がある。
【０００４】
残念ながら、官能化シリコーンは、かかる組成物が官能化シリコーンの使用を考慮した配合となっていないか、かつ／又は他の使用の制限を有する場合には、洗浄組成物などの組成物の効果を低下させる場合がある。
【発明の概要】
【発明が解決しようとする課題】
【０００５】
出願人らは、かかる配合の課題は、荷電度と官能化度とが相互に関連していることから、官能化シリコーンの電荷に起因し、かつ／又は官能化シリコーンの官能化部分がかかる官能化シリコーンから切断される能力に起因することを認識したものである。官能化シリコーンの全体的な官能基の含量を低減させることによって官能化シリコーンの電荷を変化させることができるが、かかる変化は、官能化シリコーンの主要な効果の喪失といった負の結果をもたらすおそれがある。例えば、アミノシリコーンのアミノ官能基を低減させることにより、感触及び／又は有益な送達効果の喪失につながるおそれがある。したがって、使用の間に官能化シリコーンの全ての主要な効果を保持するが、それらの親水性／電荷を変化させ、かつ／又は、例えば使用後に必要に応じて官能化シリコーンの官能基の切断を示す官能化シリコーンを含むシリコーン化合物が求められている。出願人らは、シリコーン主鎖と所望の官能基との間に切断可能な結合を有する部分を組み込んだ官能化シリコーンを用いることによって、かかるシリコーン化合物を提供するものである。かかるシリコーン化合物は、悪臭をマスキングする以外に、悪臭の感覚細胞への到達を阻止しつつ、かかる感覚細胞を、例えば香り分子のような他の分子に対しては開放したままとすることから、悪臭低減の更なる問題を解決するものである。このため、本明細書に開示されるかかる悪臭抑制技術は、悪臭抑制技術でトリートメントされた香り付けされている、又は香り付けされていない部位の香りを不要に妨げることがない。
【課題を解決するための手段】
【０００６】
本出願は、シリコーン化合物、かかるシリコーン化合物を含む組成物、パッケージ化製品、及びディスプレイ、並びに、かかる組成物、かかる組成物を含むパッケージ化製品及びディスプレイの製造方法及び使用方法に関する。
【発明を実施するための形態】
【０００７】
定義
本明細書で使用するとき、「消費者製品」は、販売される形態での使用又は消費を意図し、後続する商業的製造又は修正を意図しない、ベビーケア、ビューティケア、布地及びホームケア、ファミリーケア、フェミニンケア、ヘルスケア、スナック及び／若しくは飲料製品、又はデバイスを意味する。かかる製品としては、おむつ、胸当て、ワイプ；毛髪（ヒト、イヌ及び／若しくはネコ）を処理するための製品、並びに／又はその処理に関連する方法のための製品（漂白、着色、染色、コンディショニング、シャンプー、スタイリングを含む）；脱臭剤及び制汗剤；パーソナルクレンジング；化粧品；消費者使用のためのクリーム、ローション及び局所的に適用される他の製品の用途を含むスキンケア；並びにシェービング製品、布地、硬質表面及び布地及びホームケア分野のその他の任意の表面の処理用の製品及び／又はそれに関連する方法であって、空気のケア、カーケア、食器洗い、布地のコンディショニング（柔軟化を含む）、洗濯洗剤、洗濯及びすすぎ用添加剤及び／又はケア、硬質表面洗浄及び／又はトリートメント、並びに消費者又は事業者によるその他の洗浄用のものを含むもの；トイレットペーパ、ティッシュ、紙製ハンカチ及び／若しくはペーパタオルに関連する製品並びに／又は方法；タンポン、女性用ナプキン；口腔ケアに関連する製品及び／又は方法であって、練り歯磨き、歯磨きジェル、歯すすぎ剤、義歯接着剤、歯ホワイトニング剤を含むもの；市販のヘルスケア剤であって、咳止め及び風邪薬、鎮痛剤、ＲＸ医薬、ペットの健康及び栄養剤、並びに浄水剤を含むもの、が挙げられるがこれらに限定されない。
【０００８】
本明細書において使用する場合、「洗浄及び／又はトリートメント組成物」という用語は、別途記載のない限り、顆粒若しくは粉末形態の、汎用又は「強力」洗剤、特に、洗浄用洗剤；固体、顆粒、又は粉末、又はビーズ形態の布地フレッシュニング又は布地ケア組成物；液体、ゲル、又はペースト状の汎用洗剤、特に、いわゆる、ヘビーデューティ液体タイプのもの；きめの細かい布地用液体洗剤；食器手洗い用洗剤又は弱い食器用洗剤、特に高発泡タイプのもの；食器洗い機用洗剤であって、家庭用及び業務用の、様々な錠剤、顆粒、液体、及びすすぎ補助タイプを含む洗剤；液体洗浄剤及び殺菌剤（抗菌性手洗いタイプ、洗浄用バー、口腔洗液、義歯洗浄剤、口中洗浄薬、車又はカーペット用シャンプー、浴室用洗浄剤；毛髪用シャンプー及び毛髪用リンス剤；シャワー用ジェル、並びに浴室用及び金属用泡状洗浄剤；布地ケア組成物；加えて、漂白添加剤及び「ステインスティック」又は前トリートメントタイプなどの洗浄補助剤、ドライヤ添加シート、乾燥及び湿潤ワイプ及びパッド、不織布基材、並びにスポンジなどの基材付き製品；単位用量製品、典型的には、洗浄剤として機能する１種以上の材料を封入し、かつ／又は布地などの表面を処理するために使用することができる水溶性フィルムを含む単位用量製品；並びにスプレー及びミストを含む。
【０００９】
本明細書で使用するとき、「布地ケア組成物」という用語は、別途記載のない限り、布地柔軟組成物、布地強化組成物、布地フレッシュニング組成物及びこれらの組み合わせを含む。かかる組成物の形態としては、液体、ゲル、ビーズ、粉末、フレーク及び顆粒が挙げられる。
【００１０】
本明細書において使用する場合、用語「アミン」は、別途記載のない限り、一級、二級、三級、及び四級アミンを含む。
【００１１】
本明細書において使用する場合、「ａ」及び「ａｎ」などの冠詞は、特許請求の範囲で使用されるときには、１以上の請求又は記載されるものを意味するものと理解される。
【００１２】
本明細書において使用する場合、「含む（include）」、「含む（includes）」、及び「含んでいる（including）」という用語は、「含むが、これらに限定されない」という句と同義であることを意味する。
【００１３】
本明細書において使用するとき、用語「固体」は、顆粒、粉末、バー及び錠剤の製品形態を含む。
【００１４】
本明細書において使用する場合、「部位」という用語は、紙製品、布地、衣類、硬質表面、毛髪及び皮膚を含む。
【００１５】
別途記載のない限り、成分又は組成物の濃度は全て、その構成成分又は組成物の活性部分に関するものであり、かかる構成成分又は組成物の市販の供給源に存在し得る不純物、例えば、残留溶媒又は副生成物は除外される。
【００１６】
全ての百分率及び比率は、特に指示がない限り、重量基準で計算される。全ての百分率及び比率は、特に指示がない限り、全組成物に基づいて計算される。
【００１７】
本明細書の全体を通して記載される全ての最大数値限定は、それよりも小さい全ての数値限定を、かかるより小さい数値限定があたかも本明細書に明確に記載されているかのように含むものと理解すべきである。本明細書の全体を通して記載される全ての最小数値限定は、それよりも高い全ての数値限定を、かかるより高い数値限定があたかも本明細書に明確に記載されているかのように包含する。本明細書の全体を通して与えられる全ての数値範囲は、かかるより広い数値範囲内に含まれるより狭い全ての数値範囲を、かかるより狭い数値範囲があたかも全て本明細書に明示的に記載されているかのように含むことになる。
【００１８】
Ａ．
ａ）シリコーン部分と、
ｂ）有益剤フラグメントを含む置換有機部分を含む部分と、
ｃ）当該のシリコーン部分と当該の置換有機部分を含む当該の部分とを連結する、切断可能な結合を含む部分と、を含む、シリコーン化合物が開示される。
【００１９】
Ｂ．置換有機部分は、置換Ｃ１〜Ｃ３２アルキル、置換Ｃ５〜Ｃ３２アリール、及び置換Ｃ６〜Ｃ３２アルキルアリールからなる群から選択され、置換Ｃ１〜Ｃ３２アルキル、置換Ｃ５〜Ｃ３２アリール、及び置換Ｃ６〜Ｃ３２アルキルアリールのそれぞれは、
【００２０】
【化１】
2020525591.tif 000002
及びこれらの組み合わせからなる群から選択される置換基を含み、各Ｒ７は、独立して、Ｈ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、及びＣ５〜Ｃ３２置換アルキルアリールからなる群から選択され、各Ｒ８は、独立して、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、及びＣ５〜Ｃ３２置換アルキルアリールからなる群から選択される、パラグラフＡに記載のシリコーン化合物。
【００２１】
パラグラフＢの有機部分は、アルコール、アルデヒド及び／又はケトン官能基を有する有益剤を送達するように適合された、最適化された有機部分Ａであり、これにより、アルコール、アルデヒド及び／又はケトン官能基を有する有益剤を送達するうえで好ましいシリコーン化合物を与える。
【００２２】
Ｃ．シリコーン部分が、式：
［Ｒ１Ｒ２Ｒ３ＳｉＯ１／２］（ｊ＋２ｌ＋２）［Ｒ４Ｒ５ＳｉＯ２／２］ｍ［Ｒ６ＳｉＯ３／２］ｊ［ＳｉＯ４／２］ｌ
［式中、
ａ）ｊは、０〜１５０、好ましくは０〜５０、より好ましくは０〜２０の整数であり、
ｂ）ｍは、０〜１５００、好ましくは１〜１５００、より好ましくは２０〜１０００、最も好ましくは２０〜４００の整数であり、
ｃ）ｌは、０〜１５０、好ましくは０〜１５０、より好ましくは０〜５０、最も好ましくは０〜２０の整数であり、
ただし、ｊ＋ｍ＋ｌは、１以上の整数に等しく、
ｄ）Ｒ１、Ｒ２、Ｒ３、Ｒ４、Ｒ５、及びＲ６部分のそれぞれは、独立して、Ｈ、ＯＨ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ６〜Ｃ３２置換アルキルアリール、Ｃ１〜Ｃ３２アルコキシ、及びＣ１〜Ｃ３２置換アルコキシ、及び−Ｘｔ−Ａ−Ｙからなる群から選択され、指数ｔは０又は１であり、ただし、部分Ｒ１〜Ｒ６の少なくとも１つは、−Ｘｔ−Ａ−Ｙであり、
（ｉ）各Ｘ部分は、独立して、１個〜２４個の炭素原子、好ましくは１個〜１６個の炭素原子、より好ましくは１個〜１２個の炭素原子、最も好ましくは２個〜１２個の炭素原子を含む置換又は非置換の二価のアルキレンラジカルであり、
（ｉｉ）各Ａ部分は、独立して、
【００２３】
【化２】
2020525591.tif 000003
（式中、Ｅは電子求引基であり、好ましくは、Ｅは、Ｎ、Ｏ、Ｓ、アリール部分、及びアルケン部分からなる群から選択され、より好ましくは、ＥはＮである）、及び
【００２４】
【化３】
2020525591.tif 000004
（式中、Ｔは、電子求引基Ｅ又はＲ７から選択され、好ましくは、Ｅは、Ｏ、Ｓ、アリール部分、及びアルケン部分からなる群から選択され、ただし、少なくとも１つのＴはＥである）、からなる群から選択され、各Ａ部分の各Ｒ７部分は、独立して、Ｈ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ６〜Ｃ３２置換アルキルアリールからなる群から選択され；
各Ａ部分の各Ｚは、独立して、
【００２５】
【化４】
2020525591.tif 000005
からなる群から選択され、
ｐは１〜３２の整数であり、好ましくはｐは１〜１０の整数であり、より好ましくはｐは２〜８の整数であり、最も好ましくはｐは２〜４の整数であり、
（ｉｉ）各Ｙ部分は、独立して、
【００２６】
【化５】
2020525591.tif 000006
からなる群から選択される少なくとも１つの置換基を含むＣ１〜Ｃ３２アルキル、Ｃ５〜Ｃ３２アリール、及びＣ６〜Ｃ３２アルキルアリールからなる群から選択され、１個のアスタリスクは当該の対応するＡとの結合を示し、２個のアスタリスクは有益剤フラグメントとの結合を表す。］を有する、パラグラフＡに記載のシリコーン化合物。
【００２７】
パラグラフＣのシリコーン化合物は、パラグラフＣのシリコーン化合物が、より入手しやすく、製造及び配合がより容易であり、したがって製造及び配合コストがより低く、アルコール、アルデヒド、及びケトン官能基を有する有益剤に適合されたシリコーンを含むことから、パラグラフＡのシリコーン化合物よりも好ましい。したがって、パラグラフＢのシリコーン化合物におけるかかるシリコーンの使用は、優れた付着性、有益剤放出性、共有結合のモード（官能基）を有し、切断可能な結合を有するシリコーン化合物を与えるものである。
【００２８】
Ｄ．各Ａ部分は、独立して、
【００２９】
【化６】
2020525591.tif 000007
からなる群から選択される、パラグラフＡ〜Ｃに記載のシリコーン化合物。
【００３０】
パラグラフＤのシリコーン化合物に使用されるシリコーンは、入手しやすく、製造及び配合が容易であり、したがって製造及び配合コストがより低い。更に、かかるシリコーンは、所望の条件下で切断されるような特に好ましい切断可能な結合を有するため、好ましいシリコーン化合物をもたらす。
【００３１】
Ｅ．当該の置換有機部分は、置換Ｃ１〜Ｃ３２アルキル、置換Ｃ５〜Ｃ３２アリール、及び置換Ｃ６〜Ｃ３２アルキルアリールからなる群から選択され、当該の置換Ｃ１〜Ｃ３２アルキル、置換Ｃ５〜Ｃ３２アリール、及び置換Ｃ６〜Ｃ３２アルキルアリールのそれぞれは、
【００３２】
【化７】
2020525591.tif 000008
及び、これらの組み合わせからなる群から選択される置換基を含み、各Ｒ７は、独立して、Ｈ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、及びＣ５〜Ｃ３２置換アルキルアリールからなる群から選択され、各Ｒ８は、独立して、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、及びＣ５〜Ｃ３２置換アルキルアリールからなる群から選択される、パラグラフＢに記載のシリコーン化合物。
【００３３】
上記の有機部分は、アルデヒド、ケトン、及びアルコール有益剤を送達するように適合されている。したがって、かかるシリコーンがこのパラグラフのシリコーン化合物の製造に用いられる場合、かかるシリコーン化合物は、アルデヒド、ケトン、及びアルコール有益剤を送達するうえで特に有用である。
【００３４】
Ｆ．当該のシリコーン部分の、
ａ）ｊは、０〜２０の整数であり、
ｂ）ｍは、２０〜４００の整数であり、
ｃ）ｌは、０〜２０の整数であり、
ｄ）Ｒ１、Ｒ２、Ｒ３、Ｒ４、Ｒ５、及びＲ６部分のそれぞれは、独立して、ＯＨ、Ｃ１〜Ｃ３２アルキル、及び−Ｘｔ−Ａ−Ｙからなる群から選択され、指数「ｔは０又は１であり、ただし、部分Ｒ１〜Ｒ６のうちの少なくとも１つは、−Ｘｔ−Ａ−Ｙであり、
（ｉ）各Ｘ部分は、独立して、２個〜１２個の炭素原子を含む置換又は非置換の二価のアルキレンラジカルあり、
（ｉｉ）各Ａ部分は、独立して、
【００３５】
【化８】
2020525591.tif 000009
からなる群から選択され、
（ｉｉ）各Ｙ部分は、独立して、
【００３６】
【化９】
2020525591.tif 000010
からなる群から選択される少なくとも１つの置換基を含むＣ１〜Ｃ３２アルキル、Ｃ５〜Ｃ３２アリール、及びＣ６〜Ｃ３２アルキルアリールからなる群から選択される、パラグラフＣに記載のシリコーン化合物。
【００３７】
パラグラフＦのシリコーン化合物は、アルデヒド及びケトンを送達するのに最も好ましいシリコーンであり、かかる化合物はかかる特性を与えるように特に適合されたシリコーンを含有することから、最も好ましい切断可能な結合を有する。
【００３８】
Ｇ．当該の置換有機部分は、置換Ｃ１〜Ｃ３２アルキル、置換Ｃ５〜Ｃ３２アリール、及び置換Ｃ６〜Ｃ３２アルキルアリールからなる群から選択され、当該の置換Ｃ１〜Ｃ３２アルキル、置換Ｃ５〜Ｃ３２アリール、及び置換Ｃ６〜Ｃ３２アルキルアリールのそれぞれは、
【００３９】
【化１０】
2020525591.tif 000011
及び、これらの組み合わせからなる群から選択される置換基を含み、各Ｒ７は、独立して、Ｈ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、及びＣ５〜Ｃ３２置換アルキルアリールからなる群から選択され、各Ｒ８は、独立して、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、及びＣ５〜Ｃ３２置換アルキルアリールからなる群から選択される、パラグラフＦに記載のシリコーン化合物。
【００４０】
Ｈ．当該の有益剤フラグメントが、シリコーン、香料原料、防臭剤、臭い中和剤、悪臭、精油、エーテル、エステル、ケトン、アルコール、グリコール、シリコーン炭化水素、環状炭化水素、アルデヒド、テルピン、殺虫剤、防虫剤、農薬、抗菌剤、防カビ剤、除草剤及びこれらの混合物からなる群から選択される有益剤のフラグメントであり、好ましくは当該の有益剤部分が、３０Ｄａ〜５００Ｄａの分子量、及び／又は−２．０〜８．０のＣＬｏｇＰ、好ましくは−２．０〜７．０のＣＬｏｇＰ；より好ましくは−２．０〜５．０のＣＬｏｇＰを有する有益剤のフラグメントである、パラグラフＡ〜Ｇに記載のシリコーン化合物。
【００４１】
Ｉ．当該の有益剤部分が、ビニルエーテル、ケトン、ヒドロキシル、アルデヒド、チオール、カルボキシル、シラノール、アルコキシ、アセトキシ及びこれらの混合物からなる群から選択される部分を含む有益剤のフラグメントであり、好ましくは当該の有益剤部分が、ケトン、ヒドロキシル、アルデヒド、チオール、アルコキシ、及びこれらの混合物からなる群から選択される部分を含む有益剤のフラグメントであり、最も好ましくは当該の有益剤部分が、ケトン、ヒドロキシル、アルデヒド及びこれらの混合物からなる群から選択される部分を含む有益剤のフラグメントである、パラグラフＡ〜Ｇに記載のシリコーン化合物。
【００４２】
Ｊ．当該の有益剤フラグメントが、２−（ｐ−トリル）プロパン−２−オール；（２−ヒドロキシ−４−メトキシフェニル）（フェニル）メタノン；４−メチル−１−オキサスピロ［５．５］ウンデカン−４−オール；７−メチル−２Ｈ−ベンゾ［ｂ］［１，４］ジオキセピン−３（４Ｈ）−オン；１，８−ジオキサシクロヘプタデカン−９−オン；４−（ｔｅｒｔ−ペンチル）シクロヘキサン−１−オン；３，７−ジメチルオクタナール；オクタナール；２−メチル−６−メチレンオクタ−７−エン−２−オール；テトラデカナール；２，２，６，８−テトラメチル−１，２，３，４，４ａ，５，８，８ａ−オクタヒドロナフタレン−１−オール；（Ｅ）−２，６−ジメチルオクタ−５，７−ジエン−２−オール；（Ｅ）−２，７−ジメチルオクタ−１，５，７−トリエン−３−オール；（４Ｒ，４ａＳ，６Ｒ）−４，４ａ−ジメチル−６−（プロパ−１−エン−２−イル）−４，４ａ，５，６，７，８−ヘキサヒドロナフタレン−２（３Ｈ）−オン；ノナン−１−オール；ノナナール；３，３−ジメチル−５（２，２，３−トリメチル−３−シクロペンテン−１−イル）−４−ペンテン−２−オール；１−（３−メチルベンゾフラン−２−イル）エタン−１−オン；（Ｅ）−３，７，１１−トリメチルドデカ−１，６，１０−トリエン−３−オール；（Ｚ）−３，７−ジメチルオクタ−２，６−ジエン−１−オール；２−（２−（４−メチルシクロヘキサ−３−エン−１−イル）プロピル）シクロペンタン−１−オン；６，６−ジメチルビシクロ［３．１．１］ヘプタ−２−エン−２−カルバルデヒド；（Ｅ）−４−（２，２，３，６−テトラメチルシクロヘキシル）ブタ−３−エン−２−オン；（Ｚ）−１−（２，６，６−トリメチルシクロヘキサ−１−エン−１−イル）ペンタ−１−エン−３−オン；１，７−ジオキサシクロヘプタデカン−８−オン；１−（４−（ｔｅｒｔ−ブチル）−２，６−ジメチル−３，５−ジニトロフェニル）エタン−１−オン；３−メチルシクロペンタデカン−１−オン；（Ｅ）−３−メチルシクロペンタデカ−４−エン−１−オン；（Ｅ）−３，７−ジメチルオクタ−４，６−ジエン−３−オール；３−メチル−４−フェニルブタン−２−オール；１−（４−イソプロピルシクロヘキシル）エタン−１−オール；１−（４−イソプロピルシクロヘキシル）エタン−１−オール；２−メチルデカナール；４−フェニルブタン−２−オール；ウンデカン−２−オン；２−メチルウンデカナール；１−ヒドロキシデカン−３−オン；１−（ナフタレン−２−イル）エタン−１−オン；６−メトキシ−２，６−ジメチルヘプタナール；７−メトキシ−３，７−ジメチルオクタナール；７−イソプロピル−１０−メチル−１，５−ジオキサスピロ［５．５］ウンデカン−３−オール；オクタヒドロ−１Ｈ−４，７−メタノインデン−１−カルバルデヒド；（（１ｓ，４ｓ）−４−イソプロピルシクロヘキシル）メタノール；３−（３−（ｔｅｒｔ−ブチル）フェニル）−２−メチルプロパナール；２，２−ジメチル−３−（ｍ−トリル）プロパン−１−オール；８−イソプロピル−６−メチルビシクロ［２．２．２］オクタ−５−エン−２−カルバルデヒド；４−（４−ヒドロキシ−４−メチルペンチル）シクロヘキサ−３−エン−１−カルバルデヒド；（Ｚ）−３−ヘキセン−１−イル−２−シクロペンテン−１−オン；２−（５−メチル−５−ビニルテトラヒドロフラン−２−イル）プロパン−２−オール；６−メチル−２−（オキシラン−２−イル）ヘプタ−５−エン−２−オール；３，７−ジメチルオクタ−１，６−ジエン−３−オール；３−（４−メチルシクロヘキサ−３−エン−１−イル）ブタナール；（２，５−ジメチル−１，３−ジヒドロインデン−２−イル）メタノール；３−（４−（ｔｅｒｔ−ブチル）フェニル）−２−メチルプロパナール；２−メチル−５−（１−メチルエテニル）−２−シクロヘキセノン；（１Ｓ，５Ｒ）−２−メチル−５−（プロパ−１−エン−２−イル）シクロヘキサ−２−エン−１−オール；ドデカン−１−オール；５−ヘキシル−５−メチルジヒドロフラン−２（３Ｈ）−オン；ドデカナール；３，６−ジメチルヘキサヒドロベンゾフラン−２（３Ｈ）−オン；４−（１−エトキシビニル）−３，３，５，５−テトラメチルシクロヘキサン−１−オン；（（３Ｓ，３ａＲ，６Ｒ，８ａＳ）−７，７−ジメチル−８−メチレンオクタヒドロ−１Ｈ−３ａ，６−メタノアズレン−３−イル）メタノール；（１−メチル−２−（（１，２，２−トリメチルビシクロ［３．１．０］ヘキサン−３−イル）メチル）シクロプロピル）メタノール；（Ｅ）−６−（ペンタ−３−エン−１−イル）テトラヒドロ−２Ｈ−ピラン−２−オン；２−ヘキシルシクロペンタン−１−オン；（Ｚ）−４−（６，６−ジメチルシクロヘキサ−２−エン−１−イル）−３−メチルブタ−３−エン−２−オン；（１Ｒ，２Ｓ，５Ｒ）−５−メチル−２−（プロパ−１−エン−２−イル）シクロヘキサン−１−オール；４，９−ジメトキシ−７Ｈ−フロ［３，２−ｇ］クロメン−７−オン；（Ｅ）−シクロヘキサデカ−８−エン−１−オン；（２Ｓ，５Ｓ）−２−イソプロピル−５−メチルシクロヘキサン−１−オン；２−ヘキシルシクロペンタ−２−エン−１−オン；（２Ｓ，５Ｓ）−２−イソプロピル−５−メチルシクロヘキサン−１−オン；４−（４−メチルペンタ−３−エン−１−イル）シクロヘキサ−３−エン−１−カルバルデヒド；１−（（２Ｓ，３Ｓ）−２，３，８，８−テトラメチル−１，２，３，４，５，６，７，８−オクタヒドロナフタレン−２−イル）エタン−１−オン；２，５，６−トリメチルシクロヘキサ−３−エン−１−カルバルデヒド；４−（（２Ｒ）−１，７，７−トリメチルビシクロ［２．２．１］ヘプタン−２−イル）シクロヘキサン−１−オール；１，７，７−トリメチルビシクロ［２．２．１］ヘプタン−２−オール；（Ｅ）−オキサシクロヘプタデカ−１０−エン−２−オン；（Ｅ）−８−（１Ｈ−インドール−１−イル）−２，６−ジメチルオクタ−７−エン−２−オール；８，８−ジ（１Ｈ−インドール−１−イル）−２，６−ジメチルオクタン−２−オール；（７，７，８，８−テトラメチルオクタヒドロ−２，３ｂ−メタノシクロペンタ［１，３］シクロプロパ［１，２］ベンゼン−４−イル）メタノール；３，７−ジメチルオクタン−１，７−ジオール；２−シクロドデシルプロパン−１−オール；３−フェニルプロパン−１−オール；５−エチル−４−ヒドロキシ−２−メチルフラン−３（２Ｈ）−オン；２，３−ジヒドロ−３，３−ジメチル−１Ｈ−インデン−５−プロパナール；３−（３，３−ジメチル−２，３−ジヒドロ−１Ｈ−インデン−５−イル）プロパナール；（Ｚ）−２−ベンジリデンオクタナール；オキサシクロヘプタデカン−２−オン；３−（ベンゾ［ｄ］［１，３］ジオキソール−５−イル）−２−メチルプロパナール；（Ｅ）−オキサシクロヘキサデカ−１３−エン−２−オン；２−（（３Ｓ，５Ｒ，８Ｓ）−３，８−ジメチル−１，２，３，４，５，６，７，８−オクタヒドロアズレン−５−イル）プロパン−２−オール；１−（２，６，６−トリメチルシクロヘキサ−２−エン−１−イル）ペンタン−３−オン；（６Ｅ，１０Ｅ）−３，７，１１，１５−テトラメチルヘキサデカ−１，６，１０，１４−テトラエン−３−オール；（Ｅ）−２−（３，７−ジメチルオクタ−２，６−ジエン−１−イル）シクロペンタン−１−オン；５−ヘプチルジヒドロフラン−２（３Ｈ）−オン；１−メチル−４−（プロパン−２−イリデン）シクロヘキサン−１−オール；５−ペンチルジヒドロフラン−２（３Ｈ）−オン；５−［（Ｚ）−ヘキサ−３−エニル］オキソラン−２−オン；（Ｚ）−４−（２，２−ジメチル−６−メチレンシクロヘキシル）ブタ−３−エン−２−オン；２−（（２Ｒ，４ａＲ）−４ａ，８−ジメチル−１，２，３，４，４ａ，５，６，７−オクタヒドロナフタレン−２−イル）プロパン−２−オール；５−オクチルジヒドロフラン−２（３Ｈ）−オン；（Ｚ）−１−（２，２−ジメチル−６−メチレンシクロヘキシル）ブタ−２−エン−１−オン；５−ヘキシルジヒドロフラン−２（３Ｈ）−オン；１−（３，３−ジメチルシクロヘキシル）ペンタ−４−エン−１−オン；（６−イソプロピル−９−メチル−１，４−ジオキサスピロ［４．５］デカン−２−イル）メタノール；２−イソブチル−４−メチルテトラヒドロ−２Ｈ−ピラン−４−オール；（Ｚ）−６−エチリデンオクタヒドロ−２Ｈ−５，８−メタノクロメン−２−オン；３−（２−エチルフェニル）−２，２−ジメチルプロパナール；３−（２−エチルフェニル）−２，２−ジメチルプロパナール；（Ｅ）−４，８−ジメチルデカ−４，９−ジエナール；（Ｅ）−４−（（３ａＲ，４Ｒ，７Ｒ，７ａＲ）−１，３ａ，４，６，７，７ａ−ヘキサヒドロ−５Ｈ−４，７−メタノインデン−５−イリデン）−３−メチルブタン−２−オール；２−ヘプチルシクロペンタン−１−オン；１，３，３−トリメチルビシクロ［２．２．１］ヘプタン−２−オール；（２Ｅ，６Ｅ）−３，７，１１−トリメチルドデカ−２，６，１０−トリエン−１−オール；オキサシクロヘキサデカン−２−オン；（Ｅ）−シクロペンタデカ−４−エン−１−オン；１−シクロペンタデカ−４−エン−１−オン；２−メトキシ−４−（４−メチレンテトラヒドロ−２Ｈ−ピラン−２−イル）フェノール；４−アリル−２−メトキシフェノール；１，４−ジオキサシクロヘプタデカン−５，１７−ジオン；（Ｅ）−３，７−ジメチルノナ−１，６−ジエン−３−オール；ノナン−３−オン；２−（（１Ｒ，３Ｓ，４Ｓ）−４−メチル−３−（プロパ−１−エン−２−イル）−４−ビニルシクロヘキシル）プロパン−２−オール；（Ｅ）−３−メチル−５−（２，２，３−トリメチルシクロペンタ−３−エン−１−イル）ペンタ−４−エン−２−オール；（２Ｒ，３Ｓ，４Ｒ）−２，３，４，５−テトラヒドロキシペンタナール；（Ｅ）−４−（（３ａＳ，７ａＳ）−オクタヒドロ−５Ｈ−４，７−メタノインデン−５−イリデン）ブタナール；（２Ｒ，５Ｒ）−２−メチル−５−（プロパ−１−エン−２−イル）シクロヘキサン−１−オン；２−（２−ヒドロキシプロポキシ）プロパン−１−オール；７，９−ジメチルスピロ［５．５］ウンデカン−３−オン；２，６−ジメチルオクタ−７−エン−４−オン；２，６−ジメチルオクタ−７−エン−２−オール；３−メチル−２−ペンチルシクロペンタ−２−エン−１−オン；３，３，５−トリメチルシクロヘキサン−１−オン；２−メトキシ−４−プロピルフェノール；２−メチル−５−（プロパ−１−エン−２−イル）シクロヘキサン−１−オン；２−メチル−５−（プロパ−１−エン−２−イル）シクロヘキサン−１−オール；４−（２，６，６−トリメチルシクロヘキサ−２−エン−１−イル）ブタン−２−オン；３，７−ジメチルオクタ−６−エン−３−オール；６−ヘキシルテトラヒドロ−２Ｈ−ピラン−２−オン；６−ヘプチルテトラヒドロ−２Ｈ−ピラン−２−オン；６−ペンチルテトラヒドロ−２Ｈ−ピラン−２−オン；（Ｚ）−１−（（１Ｒ，２Ｓ）−２，６，６−トリメチルシクロヘキサ−３−エン−１−イル）ブタ−２−エン−１−オン；デカ−９−エン−１−オール；デカヒドロナフタレン−２−オール；３−（４−イソプロピルフェニル）−２−メチルプロパナール；シクロペンタデカノン；１，４−ジオキサシクロヘキサデカン−５，１６−ジオン；８，８−ジメチル−１，２，３，４，５，６，７，８−オクタヒドロナフタレン−２−カルバルデヒド；（４−イソプロピルフェニル）メタノール；１−（ベンゾフラン−２−イル）エタン−１−オン；４−シクロヘキシル−２−メチルブタン−２−オール；（Ｅ）−シクロヘプタデカ−９−エン−１−オン；３−（４−メチルシクロヘキサ−３−エン−１−イル）ブタン−１−オール；３，７−ジメチルオクタ−６−エン−１−オール；３，７−ジメチルオクタ−６−エナール；（Ｚ）−３−メチル−２−（ペンタ−２−エン−１−イル）シクロペンタ−２−エン−１−オン；（Ｅ）−オキサシクロヘプタデカ−１１−エン−２−オン；（Ｚ）−ノナ−６−エ
ン−１−オール；（１Ｒ，５Ｒ）−２−メチル−５−（プロパ−１−エン−２−イル）シクロヘキサ−２−エン−１−オール；（Ｚ）−デカ−４−エナール；（３Ｚ，６Ｚ）−ノナ−３，６−ジエン−１−オール；（Ｅ）−３−フェニルプロパ−２−エン−１−オール；４−クロロ−３，５−ジメチルフェノール；ヘキサデカン−１−オール；（Ｅ）−１−（２，６，６−トリメチルシクロヘキサ−２−エン−１−イル）ヘプタ−１，６−ジエン−３−オン；２−メチル−４−（２，６，６−トリメチルシクロヘキサ−１−エン−１−イル）ブタナール；１，６−ジオキサシクロヘプタデカン−７−オン；１−（６−（ｔｅｒｔ−ブチル）−１，１−ジメチル−２，３−ジヒドロ−１Ｈ−インデン−４−イル）エタン−１−オン；（３Ｒ，３ａＳ，６Ｒ，７Ｒ，８ａＳ）−３，６，８，８−テトラメチルオクタヒドロ−１Ｈ−３ａ，７−メタノアズレン−６−オール；１，１，２，３，３−ペンタメチル−１，２，３，５，６，７−ヘキサヒドロ−４Ｈ−インデン−４−オン；（１Ｓ，２Ｓ，５Ｒ，８Ｓ）−４，４，８−トリメチルトリシクロ［６．３．１．０２，５］ドデカン−１−オール；５−イソプロピル−２−メチルフェノール；２−メチル−５−（プロパ−１−エン−２−イル）シクロヘキサ−２−エン−１−オン；オクタン−１−オール；デカナール；３−（４−メトキシフェニル）−２−メチルプロパナール；１，７，７−トリメチルビシクロ［２．２．１］ヘプタン−２−オン；２，６−ジ−ｔｅｒｔ−ブチル−４−メチルフェノール；２−メチル−４−（２，２，３−トリメチルシクロペンタ−３−エン−１−イル）ブタン−１−オール；３−（４−（ｔｅｒｔ−ブチル）フェニル）プロパナール；（Ｅ）−２−メチル−４−（２，６，６−トリメチルシクロヘキサ−１−エン−１−イル）ブタ−２−エナール；（１Ｓ，２Ｒ，４Ｓ）−１，７，７−トリメチルビシクロ［２．２．１］ヘプタン−２−オール；（５Ｒ，１０Ｒ）−６，１０−ジメチル−２−（プロパン−２−イリデン）スピロ［４．５］デカ−６−エン−８−オン；１−メチル−４−（プロパ−１−エン−２−イル）シクロヘキサン−１−オ−ル；（２Ｚ，６Ｅ）−２，６−ジメチル−１０−メチレンドデカ−２，６，１１−トリエナール；（Ｚ）−２−メチル−５−（（１Ｓ，２Ｒ，４Ｒ）−２−メチル−３−メチレンビシクロ［２．２．１］ヘプタン−２−イル）ペンタ−２−エン−１−オール；（Ｓ）−４−メチル−１−（（Ｓ）−６−メチルヘプタ−５−エン−２−イル）シクロヘキサ−３−エン−１−オール；（Ｚ）−４−（２，２，６−トリメチル−７−オキサビシクロ［４．１．０］ヘプタン−１−イル）ブタ−３−エン−２−オン；４−メトキシ−７Ｈ−フロ［３，２−ｇ］クロメン−７−オン；２−メチル−４−フェニルブタン−２−オール；２−メチル−１−フェニルプロパン−２−オール；ベンゾフェノン；７−イソペンチル−２Ｈ−ベンゾ［ｂ］［１，４］ジオキセピン−３（４Ｈ）−オン；２，５，５−トリメチル−１，２，３，４，５，６，７，８−オクタヒドロナフタレン−２−オール；２，５，５−トリメチル−１，２，３，４，４ａ，５，６，７−オクタヒドロナフタレン−２−オール；１−（（２−（ｔｅｒｔ−ブチル）シクロヘキシル）オキシ）ブタン−２−オール；（１Ｓ，４Ｒ，５Ｒ）−１−イソプロピル−４−メチルビシクロ［３．１．０］ヘキサン−３−オン；（４Ｒ，４ａＳ）−４，４ａ−ジメチル−６−（プロパン−２−イリデン）−４，４ａ，５，６，７，８−ヘキサヒドロナフタレン−２（３Ｈ）−オン；（２Ｚ，６Ｅ，９Ｅ）−２，６，１０−トリメチルドデカ−２，６，９，１１−テトラエナール；（Ｅ）−５−（２，３−ジメチルトリシクロ［２．２．１．０２，６］ヘプタン−３−イル）−２−メチルペンタ−２−エン−１−オール；１−（５，５−ジメチルシクロヘキサ−１−エン−１−イル）ペンタ−４−エン−１−オン；（Ｒ，Ｚ）−１−（２，６，６−トリメチルシクロヘキサ−２−エン−１−イル）ペンタ−１−エン−３−オン；（Ｚ）−３−メチル−４−（２，６，６−トリメチルシクロヘキサ−２−エン−１−イル）ブタ−３−エン−２−オン；（Ｚ）−４−（２，５，６，６−テトラメチルシクロヘキサ−２−エン−１−イル）ブタ−３−エン−２−オン；２−（（２Ｒ，４ａＲ，８ａＲ）−４ａ，８−ジメチル−１，２，３，４，４ａ，５，６，８ａ−オクタヒドロナフタレン−２−イル）プロパン−２−オール；（１Ｒ，４Ｓ，４ａＲ，８ａＲ）−４−イソプロピル−１，６−ジメチル−１，２，３，４，４ａ，７，８，８ａ−オクタヒドロナフタレン−１−オール；（Ｒ）−２−（（Ｒ）−４−メチルシクロヘキサ−３−エン−１−イル）ヘキサ−５−エン−２−オール；（Ｅ）−２−ベンジリデンヘプタン−１−オール；（Ｅ）−２−ベンジリデンヘプタナール；１−メチル−４−（４−メチルペンタ−３−エン−１−イル）シクロヘキサ−３−エン−１−カルバルデヒド；１−フェニルペンタン−２−オール；３−メチル−１−フェニルペンタン−３−オール；２，３，４−トリメトキシベンズアルデヒド；２，４，５−トリメトキシベンズアルデヒド；２，４，６−トリメトキシベンズアルデヒド；トランス，トランス−２，４−ノナジエナール；４−メトキシ−２，５−ジメチルフラン−３（２Ｈ）−オン；２，６，１０−トリメチルウンデカナール；α−４−ジメチル  ベンゼンプロパナール；（Ｅ）−ウンデカ−９−エナール；２，６，１０−トリメチルウンデカ−９−エナール；（Ｚ）−２−（４−メチルベンジリデン）ヘプタナール；デカ−９−エナール；（Ｚ）−オキサシクロヘプタデカ−８−エン−２−オン；７−メトキシ−２Ｈ−クロメン−２−オン；２−（（２Ｓ，４ａＲ，８ａＲ）−４ａ，８−ジメチル−１，２，３，４，４ａ，５，６，８ａ−オクタヒドロナフタレン−２−イル）プロパン−２−オール；１−（３，５，５，６，８，８−ヘキサメチル−５，６，７，８−テトラヒドロナフタレン−２−イル）エタン−１−オン；６，８−ジメチルノナン−２−オール；３−（６，６−ジメチルビシクロ［３．１．１］ヘプタ−２−エン−２−イル）プロパナール；６，１０，１４−トリメチルペンタデカン−２−オン；（Ｅ）−シクロヘキサデカ−５−エン−１−オン；１−イソプロピル−４−メチルシクロヘキサ−３−エン−１−オール；１−フェニルペンタ−４−エン−１−オン；５−メチル−５−フェニルヘキサン−３−オン；１−イソプロピル−��−メチルシクロヘキサ−３−エン−１−オール；４−（４−メトキシフェニル）ブタン−２−オン；（１ａＲ，２Ｓ，４ａＳ）−２，４ａ，８，８−テトラメチルオクタヒドロシクロプロパ［ｄ］ナフタレン−３（１Ｈ）−オン；（Ｅ）−３−プロピリデンイソベンゾフラン−１（３Ｈ）−オン；（Ｚ）−ドデカ−２−エナール；３−メチル−５−フェニルペンタナール；３，７−ジメチル−２−メチレンオクタ−６−エナール；３，７−ジメチルオクタン−１−オール；３，４，５−トリメトキシベンズアルデヒド；３−（４−イソプロピルフェニル）プロパナール；（Ｅ）−ウンデカ−２−エナール；（２Ｅ，６Ｅ）−ノナ−２，６−ジエナール；（Ｚ）−３−（フラン−２−イル）−２−フェニルアクリルアルデヒド；２−フェノキシエタン−１−オール；（Ｚ）−ノナ−２−エナール；ノナン−２−オール；ノナン−２−オン；（Ｅ）−２−イソプロピル−５−メチルヘキサ−２−エナール；（Ｅ）−２−ヘキシリデンシクロペンタン−１−オン；（Ｅ）−デカ−２−エナール；（２Ｅ，６Ｅ）−ノナ−２，６−ジエナール；（２Ｅ，６Ｅ）−ノナ−２，６−ジエン−１−オール；２，６−ジメチルオクタナール；デカン−１−オール；ウンデカ−１０−エン−１−オール；ウンデカ−１０−エナール；２−（（２Ｒ，４ａＳ）−４ａ，８−ジメチル−１，２，３，４，４ａ，５，６，７−オクタヒドロナフタレン−２−イル）プロパン−２−オール；３，７−ジメチルオクタ−６−エン−３−オール；（Ｚ）−１−（２，６，６−トリメチルシクロヘキサ−２−エン−１−イル）ブタ−２−エン−１−オン；（１Ｓ，５Ｓ）−４，６，６−トリメチルビシクロ［３．１．１］ヘプタ−３−エン−２−オン；（Ｚ）−ドデカ−３−エナール；（Ｓ）−５−ヘプチルジヒドロフラン−２（３Ｈ）−オン；（Ｒ）−５−ヘプチルジヒドロフラン−２（３Ｈ）−オン；（Ｒ）−３，７−ジメチルオクタ−１，６−ジエン−３−オール；３，７−ジメチルオクタ−６−エナール；（Ｒ）−３，７−ジメチルオクタ−６−エナール；（２Ｓ，５Ｓ，６Ｓ）−２，６，１０，１０−テトラメチル−１−オキサスピロ［４．５］デカン−６−オール；（１Ｓ，２Ｓ，５Ｓ）−２−メチル−５−（プロパ−１−エン−２−イル）シクロヘキサン−１−オール；３，７−ジメチルオクタ−６−エン−１−オール；（Ｓ）−２−メチル−５−（プロパ−１−エン−２−イル）シクロヘキサ−２−エン−１−オン；（２Ｓ，５Ｒ）−２−イソプロピル−５−メチルシクロヘキサン−１−オン；（Ｒ，Ｅ）−２−メチル−４−（２，２，３−トリメチルシクロペンタ−３−エン−１−イル）ブタ−２−エン−１−オール；（Ｅ）−４−（２，２−ジメチル−６−メチレンシクロヘキシル）−３−メチルブタ−３−エン−２−オン；３−（３−イソプロピルフェニル）ブタナール；２−（（３Ｓ，３ａＳ，５Ｒ）−３，８−ジメチル−１，２，３，３ａ，４，５，６，７−オクタヒドロアズレン−５−イル）プロパン−２−オール；２−ヒドロキシ−１，２−ジフェニルエタン−１−オン；３−（６，６−ジメチルビシクロ［３．１．１］ヘプタ−２−エン−２−イル）−２，２−ジメチルプロパナール；１−（１，１，２，３，３，６−ヘキサメチル��２，３−ジヒドロ−１Ｈ−インデン−５−イル）エタン−１−オン；２−（ｍ−トリル）エタン−１−オール；（３Ｅ，６Ｅ）−ノナ−３，６−ジエン−１−オール；（Ｅ）−トリデカ−２−エナール；（１Ｒ，４Ｓ，４ａＳ，６Ｒ，８ａＳ）−４，８ａ，９，９−テトラメチルオクタヒドロ−１，６−メタノナフタレン−１（２Ｈ）−オール；５−ヘキシル−４−メチルジヒドロフラン−２（３Ｈ）−オン；４−（プロパ−１−エン−２−イル）シクロヘキサ−１−エン−１−カルバルデヒド；（４−（プロパ−１−エン−２−イル）シクロヘキサ−１−エン−１−イル）メタノール；２−シクロヘキシルヘプタ−１，６−ジエン−３−オン；２−フェニルエタン−１−オール；３−メチル−５−フェニルペンタン−１−オール；２−（６，６−ジメチルビシクロ［３．１．１］ヘプタ−２−エン−２−イル）アセトアルデヒド；６，６−ジメチル−２−メチレンビシクロ［３．１．１］ヘプタン−３−オール；４−（ベンゾ［ｄ］［１，３］ジオキソール−５−イル）ブタン−２−オン；（４ａＲ，８ａＳ）−７−メチルオクタヒドロ−１，４−メタノナフタレン−６（２Ｈ）−オン；１，２−ジメチル−３−（プロパ−１−エン−２−イル）シクロペンタン−１−オール；４−イソプロピル−１−メチルシクロヘキサ−３−エン−１−オール；（Ｅ）−３，３−ジメチル−５−（２，２，３−トリメチルシクロペンタ−３−エン−１−イル）ペンタ−４−エン−２−オール；（２Ｚ，５Ｚ）−５，６，７−トリメチルオクタ−２，５−ジエン−４−オン；１−メチル−４−（４−メチルペンタ−３−エン−１−イル）シクロヘキサ−３−エン−１−カルバルデヒド；プロパン−１，２−ジオール；４−（ｔｅｒｔ−ペンチル）シクロヘキサン−１−オール；３，７−ジメチルオクタ−７−エン−１−オール；２−メチル−５−フェニルペンタン−１−オール；（Ｓ）−３，７−ジメチルオクタ−１，６−ジエン−３−オール；５−イソプロピル−２−メチルビシクロ［３．１．０］ヘキサン−２−オール；（１Ｓ，３Ｒ，５Ｓ）−１−イソプロピル−４−メチレンビシクロ［３．１．０］ヘキサン−３−オール；２，２，７，９−テトラメチルスピロ（５．５）ウンデカ−８−エン−１−オン；３−メチル−５−（２，２，３−トリメチルシクロペンタ−３−エン−１−イル）ペンタン−２−オール；（Ｚ）−２−エチル−４−（２，２，３−トリメチルシクロペンタ−３
−エン−１−イル）ブタ−２−エン−１−オール；（Ｅ）−２−メチル−４−（２，２，３−トリメチルシクロペンタ−３−エン−１−イル）ブタ−２−エン−１−オール；５−メトキシオクタヒドロ−１Ｈ−４，７−メタノインデン−２−カルバルデヒド；５−メトキシオクタヒドロ−１Ｈ−４，７−メタノインデン−２−カルバルデヒド；１−（３−ヒドロキシ−３−メチルペンタ−４−エン−１−イル）−２，５，５，８ａ−テトラメチルデカヒドロナフタレン−２−オール；３−（４−イソブチルフェニル）−２−メチルプロパナール；（１ａＲ，４ａＲ，７Ｓ，７ａＲ，７ｂＲ）−１，１，７−トリメチル−４−メチレンデカヒドロ−１Ｈ−シクロプロパ［ｅ］アズレン−７−オール；１−（スピロ［４．５］デカ−７−エン−７−イル）ペンタ−４−エン−１−オン；２−（４−メチルチアゾール−５−イル）エタン−１−オール；（Ｚ）−ドデカ−４−エナール；（１Ｓ，４Ｓ，４ａＲ，８ａＲ）−４−イソプロピル−１，６−ジメチル−１，２，３，４，４ａ，７，８，８ａ−オクタヒドロナフタレン−１−オール；（１Ｓ，４Ｓ，４ａＲ，８ａＳ）−４−イソプロピル−１，６−ジメチル−１，２，３，４，４ａ，７，８，８ａ−オクタヒドロナフタレン−１−オール；３，７−ジメチルオクタナール；４−（２，２，６−トリメチルシクロヘキシル）ブタン−２−オール；３−メチル−２−ペンチルシクロペンタン−１−オン；３，７−ジメチルオクタン−３−オール；２−（２−メルカプトプロパン−２−イル）−５−メチルシクロヘキサン−１−オン；２−イソプロピル−５−メチルフェノール；１−（２，２，６−トリメチルシクロヘキシル）ヘキサン−３−オール；（２Ｚ，４Ｅ）−ノナ−２，４−ジエナール；（２Ｅ，６Ｅ）−３，７，１１−トリメチルドデカ−２，６，１０−トリエン−１−オール；（２Ｅ，６Ｚ）−ノナ−２，６−ジエナール；（Ｚ）−デカ−２−エナール；（Ｅ）−ノナ−２−エナール；（１Ｒ，２Ｓ）−２−（ｔｅｒｔ−ブチル）シクロヘキサン−１−オール；（３Ｅ，６Ｚ）−ノナ−３，６−ジエン−１−オール；（Ｅ）−デカ−４−エナール；（Ｚ）−１−（２，６，６−トリメチルシクロヘキサ−２−エン−１−イル）ブタ−２−エン−１−オン；（Ｚ）−オキサシクロヘプタデカ−８−エン−２−オン；（２Ｒ，５Ｒ）−２−メチル−５−（プロパ−１−エン−２−イル）シクロヘキサン−１−オン；（Ｅ）−３，７−ジメチルオクタ−２，６−ジエン−１−オール；７−（１，１−ジメチルエチル）−２Ｈ−１，５−ベンゾジオキセピン−３（４Ｈ）−オン；（１Ｒ−（１α，３α，４ａα））−２，３，４，４ａ，５，６−ヘキサヒドロ−２，２−ジメチル−１，３−メタノナフタレン−７（１Ｈ）−オン；トリデカン−１−オール；１−（（２Ｅ，５Ｚ，９Ｚ）−２，６，１０−トリメチルシクロドデカ−２，５，９−トリエン−１−イル）エタン−１−オン；２−メルカプト−２−メチルペンタン−１−オール；１３−メチルオキサシクロペンタデカ−１０−エン−２−オン；ウンデカナール；（Ｅ）−４−メチルデカ−３−エン−５−オール；２−（（２Ｒ，８Ｒ，８ａＳ）−８，８ａ−ジメチル−１，２，３，４，６，７，８，８ａ−オクタヒドロナフタレン−２−イル）プロパン−２−オール；２，２，５−トリメチル−５−ペンチルシクロペンタン−１−オン；（Ｚ）−２−メチル−４−（２，６，６−トリメチルシクロヘキサ−２−エン−１−イル）ブタ−２−エナール；（１Ｒ，５Ｒ）−４，６，６−トリメチルビシクロ［３．１．１］ヘプタ−３−エン−２−オン；２−（ｔｅｒｔ−ブチル）シクロヘキサン−１−オール；１−（（３Ｒ，３ａＲ，７Ｒ，８ａＳ）−３，６，８，８−テトラメチル−２，３，４，７，８，８ａ−ヘキサヒドロ−１Ｈ−３ａ，７−メタノアズレン−５−イル）エタン−１−オン；４，８−ジメチル−２−（プロパン−２−イリデン）−１，２，３，３ａ，４，５，６，８ａ−オクタヒドロアズレン−６−オール；（１ａＲ，４Ｓ，４ａＳ，７Ｒ，７ａＳ，７ｂＳ）−１，１，４，７−テトラメチルデカヒドロ−１Ｈ−シクロプロパ［ｅ］アズレン−４−オール；（１Ｓ，２Ｓ，３Ｓ，５Ｒ）−２，６，６−トリメチルスピロ［ビシクロ［３．１．１］ヘプタン−３，１’−シクロヘキサン］−２’−エン−４’−オン；４−（４−ヒドロキシ−３−メトキシフェニル）ブタン−２−オン；１，３，４，６，７，８α−ヘキサヒドロ−１，１，５，５−テトラメチル−２Ｈ−２，４α−メタノフタレン−８（５Ｈ）−オン；２，２’−オキシビス（エタン−１−オール）；ブタン−１，３−ジオール；ヘキサン−１，６−ジオール；２，２’−（エタン−１，２−ジイルビス（オキシ））ビス（エタン−１−オール）；２−メチルペンタン−２，４−ジオール；（２Ｅ，４Ｅ）−ヘプタ−２，４−ジエン−１−オール；ヘキサン−１，２，６−トリオール；（Ｚ）−オクタ−５−エン−１−オール；（Ｅ）−オクタ−３−エン−１−オール；（Ｚ）−オクタ−５−エナール；２，５−ジメチル−１，４−ジチアン−２，５−ジオール；２−メチルオクタン−２−オール；（Ｅ）−ノナ−２−エン−１−オール；（Ｅ）−ノナ−６−エン−１−オール；（Ｅ）−ノナ−３−エン−１−オール；（Ｚ）−ノナ−３−エン−１−オール；（２Ｅ，６Ｚ）−ノナ−２，６−ジエン−１−オール；マンニトール；３，５−ジメチルシクロペンタン−１，２−ジオン；２，２’，２”−ニトリロトリス（エタン−１−オール）；３，４，４−トリメチルシクロペンタン−１，２−ジオン；３−ノネン−２−オン；（Ｅ）−ノナ−５−エン−２−オン；２−（シクロヘキシルオキシ）エタン−１−オール；オクタン−１，８−ジチオール；（Ｅ）−デカ−２−エン−１−オール；ａ−Ｄ−グルコピラノース；（Ｅ）−デカ−５−エン−１−オール；２，３，６−トリメチルフェノール；（２Ｅ，４Ｅ）−デカ−２，４−ジエナール；（２Ｅ，４Ｚ）−デカ−２，４−ジエナール；デカン−１，１０−ジオール；２−フェニルプロパン−２−オール；５−ヒドロキシオクタン−４−オン；ノナン−３−オール；（Ｚ）−デカ−７−エナール；（Ｅ）−２−メチルオクタ−２−エナール；デカン−２−オール；３−（ヒドロキシメチル）フェノール；ノナ−１−エン−３−オール；（２−メトキシフェニル）メタノール；デカン−２−オン；２−（ｏ−トリル）エタン−１−オール；ウンデカン−１−オール；（Ｅ）−デカ−３−エン−２−オン；３−エチル−２−ヒ��ロキシ−４−メチルシクロペンタ−２−エン−１−オン；３−フェニルプロパン−１−オール；３，５−オクタジエン−２−オール、２，６−ジメチル−，（？，Ｚ）−；３，５−オクタジエン−２−オール，２，６−ジメチル−，（？，Ｅ）−；ベンゼンメタノール，４−メチル−；２−（ベンジルオキシ）エタン−１−オール；４，４’−チオビス（ブタン−２−オン）；（Ｅ）−ウンデカ−２−エン−１−オール；（２Ｚ，４Ｅ）−ウンデカ−２，４−ジエン−１−オール；（Ｅ）−７−メチル−３−メチレンオクタ−４，６−ジエン−２−オール；（Ｚ）−ウンデカ−２−エナール；（Ｅ）−ウンデカ−２−エナール；（２Ｚ，４Ｚ）−ウンデカ−２，４−ジエナール；（２Ｅ，４Ｅ）−ウンデカ−２，４−ジエナール；３−シクロヘキセン−１−プロパナール；デカン−３−オール；（Ｅ）−ウンデカ−８−エナール；シクロデカノール；デカン−５−オール；１−ベンジル−２−メチルジスルファン；（１Ｓ，３Ｓ，４Ｒ，５Ｒ）−１−イソプロピル−４−メチルビシクロ［３．１．０］ヘキサン−３−オール；ビシクロ［３．２．１］オクタン−８−オール，１，５，８−トリメチル−；１−（ｐ−トリル）エタン−１−オール；ウンデカン−２−オール；７−メトキシ−３，７−ジメチルオクタン−２−オール；（Ｅ）−３，７−ジメチルオクタ−２，６−ジエン−１−オール；４−（２−ヒドロキシエチル）フェノール；２−（ｔｅｒｔ−ブチル）シクロヘキサン−１−オン；２，６−ジメチルヘプタン−４−オン；２−（フラン−２−イル）−４−メチル−１，３−ジオキソラン；デカン−４−オン；（４−メトキシフェニル）メタノール；２−メトキシ−２−フェニルエタン−１−オール；（Ｅ）−２−イソプロピル−５−メチルヘキサ−２−エン−１−オール；ｒｅｌ−２−（（２Ｒ，５Ｓ）−５−メチル−５−ビニルテトラヒドロフラン−２−イル）プロパン−２−オール；４−フェニルブタン−１−オール；２−（ｐ−トリル）エタン−１−オール；６−メチル−３−（プロパン−２−イリデン）−７−オキサビシクロ［４．１．０］ヘプタン−２−オン；（Ｅ）−ドデカ−２−エン−１−オール；（２Ｅ，６Ｚ）−ノナ−２，６−ジエン−１−イルアセテート；２−（ｐ−トリルオキシ）エタン−１−オール；７−メチル−３−メチレンオクタ−６−エナール；（２Ｅ，４Ｅ）−ドデカ−２，４−ジエン−１−オール；３−（ヒドロキシメチル）ノナン−２−オン；（Ｅ）−ドデカ−２−エナール；（２Ｅ，４Ｅ）−ドデカ−２，４−ジエナール；（Ｅ）−２，６−ジメチルオクタ−１，５，７−トリエン−３−オール；（Ｅ）−５−（メチルチオ）−２−（（メチルチオ）メチル）ペンタ−２−エナール；（Ｅ）−３−メチルノナ−３−エン酸；１−メチル−４−（プロパ−１−エン−２−イル）−７−オキサビシクロ［４．１．０］ヘプタン；（Ｅ）−ドデカ−３−エナール；４−（ヒドロキシメチル）−２−メトキシフェノール；３，７−ジメチルオクタン−１，６−ジオール；ウンデカン−１−オール；（Ｅ）−ドデカ−４−エナール；４−アリルフェノール；（２Ｅ，６Ｚ）−ドデカ−２，６−ジエナール；３−（５−メチルフラン−２−イル）ブタナール；（Ｅ）−４−フェニルブタ−��−エン−２−オール；２−ペンチルシクロペンタ−２−エン−１−オン；２−イソプロピル−４−メチルフェノール；ドデカン−２−オール；３，７−ジメチルオクタ−７−エン−１，６−ジオール；（Ｅ）−２−（ペンタ−２−エン−１−イル）シクロペンタン−１−オン；（１Ｒ，２Ｓ，３Ｒ，５Ｓ）−２，６，６−トリメチルビシクロ［３．１．１］ヘプタン−３−オール；１−（フラン−２−イル）ヘキサン−１−オン；ベンゾ［ｄ］［１，３］ジオキソール−５−イルメタノール；ウンデカン−２，３−ジオン；ウンデカン−４−オン；（Ｚ）−２，７−ジメチルオクタ−５−エン−４−オン；（Ｅ）−３−メチルノナ−２−エンニトリル；８−エチル−１，５−ジメチルビシクロ［３．２．１］オクタン−８−オール；ドデカン−２−オン；ウンデカ−１−エン−３−オン；２，６−ジメトキシ−４−メチルフェノール；（１Ｓ，２Ｓ，５Ｓ）−２−メチル−５−（プロパ−１−エン−２−イル）シクロヘキサン−１−オール；５−フェニルペンタン−１−オール；ｒｅｌ−（１Ｒ，２Ｓ，５Ｒ）−５−メチル−２−（プロパ−１−エン−２−イル）シクロヘキサン−１−オール；（１Ｓ，２Ｒ，５Ｒ）−２，６，６−トリメチルビシクロ［３．１．１］ヘプタン−３−オン；（２Ｒ，５Ｒ）−５−イソプロピル−２−メチルシクロヘキサン−１−オン；アリルオクタノエート；（Ｅ）−２−メチル−３−フェニルプロパ−２−エン−１−オール；（２Ｓ，５Ｒ）−２−イソプロピル−５−メチルシクロヘキサン−１−オン；（Ｅ）−２−（３−メチルブタ−１−エン−１−イル）シクロペンタン−１−オン；（Ｅ）−トリデカ−２−エン−１−オール；（（１Ｓ，２Ｓ，５Ｓ）−６，６−ジメチルビシクロ［３．１．１］ヘプタン−２−イル）メタノール；トリデカナール；２−メチルウンデカン−１−オール；２−（３，４−ジメチルフェニル）アセトアルデヒド；２−（２，４−ジメチルフェニル）アセトアルデヒド；６，６−ジメチル−２−メチレンビシクロ［３．１．１］ヘプタン−３−オン；１，３−ジヒドロ−２Ｈ−インデン−２−オン；（２Ｅ，４Ｅ）−トリデカ−２，４−ジエナール；（６，６−ジメチルビシクロ［３．１．１］ヘプタ−２−エン−２−イル）メタノール；３−（ｐ−トリル）プロパナール；（４Ｓ，４ａＳ，８ａＲ）−４，８ａ−ジメチルオクタヒドロナフタレン−４ａ（２Ｈ）−オール；（Ｅ）−２−（ヘキサ−２−エン
−１−イル）シクロペンタン−１−オール；２−（２−ヒドロキシプロパン−２−イル）−５−メチルシクロヘキサン−１−オール；１１−メチルドデカン−１−オール；（２Ｅ，４Ｚ，７Ｚ）−トリデカ−２，４，７−トリエナール；シクロドデカノール；２−（４−メチルシクロヘキサ−３−エン−１−イル）プロパ−２−エン−１−オール；（Ｒ）−２−（４−メチルシクロヘキサ−３−エン−１−イル）プロパ−２−エン−１−オール；（Ｅ）−２−メチル−３−（ペンタ−２−エン−１−イル）シクロペンタ−２−エン−１−オン；（Ｚ）−２−ヘキシリデンシクロペンタン−１−オン；（Ｅ）−３−メチル−２−（ペンタ−２−エン−１−イル）シクロペンタ−２−エン−１−オン；（２Ｅ，６Ｅ）−３，７−ジメチルノナ−２，６−ジエナール；ドデカン−３−オン；１−フェニルペンタン−１−オン；２，６−ジイソプロピルフェノール；（Ｅ）−２−（ヘキサ−２−エン−１−イル）シクロペンタン−１−オン；１−（３，３−ジメチルビシクロ［２．２．１］ヘプタン−２−イル）エタン−１−オール；２−（４−メチレンシクロヘキシル）プロパナール；６−ペンチル−２Ｈ−ピラン−２−オン；（Ｓ）−４−（プロパ−１−エン−２−イル）シクロヘキサ−１−エン−１−カルバルデヒド；４−メチル−５−ペンチルジヒドロフラン−２（３Ｈ）−オン；（４ａＳ，８ａＳ）−４，４，８ａ−トリメチルオクタヒドロナフタレン−４ａ（２Ｈ）−オール；トリデカン−２−オン；３−メチル−１−フェニルブタン−２−オール；１−（４−イソプロピルフェニル）エタン−１−オン；（Ｅ）−３−（４−メトキシフェニル）アクリルアルデヒド；（Ｒ）−６−ペンチル−５，６−ジヒドロ−２Ｈ−ピラン−２−オン；テトラデカン−１−オール；（Ｅ）−６−（ペンタ−２−エン−１−イル）テトラヒドロ−２Ｈ−ピラン−２−オン；６−フェニルヘキサン−１−オール；２−（４−イソプロピルシクロヘキシル）エタン−１−オール；２−メチル−１−（ｐ−トリル）プロパン−２−オール；１−（３，３−ジメチルビシクロ［２．２．１］ヘプタン−２−イル）エタン−１−オン；（Ｅ）−２−エチル−２−（３−メチルブタ−２−エン−１−イル）ヘキサ−３−エン−１−オール；２−（４−エチルフェニル）アセトアルデヒド；３−エチルヘキサヒドロベンゾフラン−２（３Ｈ）−オン；（Ｅ）−３−メチル−１−フェニルペンタ−１−エン−３−オール；（２−ヘキシル−１，３−ジオキソラン−４−イル）メタノール；６−エチル−３−メチルオクタ−５−エン−１−オール；１−（３，４−ジメトキシフェニル）エタン−１−オン；オクタヒドロナフタレン−２（１Ｈ）−オン；２−（４−イソプロピルフェニル）エタン−１−オール；１−メチル−４−（プロパ−１−エン−２−イル）−７−オキサビシクロ［４．１．０］ヘプタン−２−オン；（Ｅ）−５，９−ジメチルデカ−４，９−ジエナール；５−メチル−３，４−ジヒドロナフタレン−１（２Ｈ）−オン；８−メチル−３，４−ジヒドロナフタレン−１（２Ｈ）−オン；（Ｅ）−テトラデカ−２−エナール；４−（ｔｅｒｔ−ブチル）シクロヘキサン−１−カルバルデヒド；２−（６，６−ジメチルビシクロ［３．１．１］ヘプタ−２−エン−２−イル）エタン−１−オール；（４，７，７−トリメチルビシクロ［４．１．０］ヘプタ−４−エン−３−イル）メタノール；（Ｚ）−２−（３，３−ジメチルビシクロ［２．２．１］ヘプタン−２−イリデン）エタン−１−オール；（３ａＲ，７ａＲ）−オクタヒドロ−５Ｈ−４，７−メタノインデン−５−オン；４−（３−ヒドロキシブチル）フェノール；２，５，７，７−テトラメチルオクタナール；７−イソプロピル−４−メチルオキセパン−２−オン；２−フェニルペンタ−４−エナール；４−ヒドロキシ−３，５−ジメトキシベンズアルデヒド；（Ｅ）−４−（３−ヒドロキシプロパ−１−エン−１−イル）−２−メトキシフェノール；３，６−ジメチル−５，６，７，７ａ−テトラヒドロベンゾフラン−２（４Ｈ）−オン；（６Ｒ，７ａＲ）−３，６−ジメチル−５，６，７，７ａ−テトラヒドロベンゾフラン−２（４Ｈ）−オン；２−メチル−４−フェニルブタナール；（Ｚ）−２−へプチリデンシクロペンタン−１−オン；３−（４−メトキシフェニル）ブタン−２−オン；２−エチル−５−メトキシビシクロ［２．２．１］ヘプタン；トリデカン−３−オン；（Ｚ）−２−ヘキシリデンシクロヘキサン−１−オン；２−ペンチルシクロヘキサ−２−エン−１−オン；４−エチル−２，６−ジメトキシフェノール；２−（（１，７，７−トリメチルビシクロ［２．２．１］ヘプタン−２−イル）オキシ）エタン−１−オール；４−（２，６，６−トリメチルシクロヘキサ−１−エン−１−イル）ブタン−２−オール；１−（５−イソプロピル−２−メチルフェニル）エタン−１−オン；ペンタデカン−１−オール；（Ｅ）−４−（２，６，６−トリメチルシクロヘキサ−１−エン−１−イル）ブタ−３−エン−２−オール；１−（４−ヒドロキシ−３，５−ジメトキシフェニル）エタン−１−オン；（２−フェニル−１，３−ジオキソラン−４−イル）メタノール；１−（４，７，７−トリメチルビシクロ［４．１．０］ヘプタ−４−エン−３−イル）エタン−１−オン；オクチル２−メチルブタノエート；（Ｅ）−４−（２，６，６−トリメチルシクロヘキサ−２−エン−１−イル）ブタ−３−エン−２−オール；１−アリル−２，２，７，７−テトラメチルシクロヘプタン−１−オール；（Ｓ）−２，５，５−トリメチル−１，２，３，４，５，６，７，８−オクタヒドロナフタレン−２−オール；１−（ナフタレン−１−イル）エタン−１−オン；５−エチル−２−メチルノナン−１−オール；８，８−ジメトキシ−２，６−ジメチルオクタン−２−オール；３−（ブタ−３−エン−１−イル）−２，４，４−トリメチルシクロヘキサ−２−エン−１−オン；２−（４−イソプロピルシクロヘキシル）プロパン−１−オール；ペンタデカナール；（Ｅ）−３，７，９−トリメチルデカ−１，６−ジエン−３−オール；（Ｚ）−２−エチリデンウンデカナール；（Ｅ）−１−（２，６，６−トリメチルシクロヘキサ−３−エン−１−イル）ブタ−２−エン−１−オン；４−（２，２−ジメチル−６−メチレンシクロヘキシル）ブタン−２−オール；（５ｓ，８ｓ）−８−イソプロピル−１−オキサスピロ［４．５］デカン−２−オン；（５ｒ，８ｒ）−８−イソプロピル−１−オキサスピロ［４．５］デカン−２−オン；２，５，５−トリメチル−２，３，４，４ａ，５，６，７，８−オクタヒドロナフタレン−２−オール；３，５−ジエチル−２，６−ジメチルシクロヘキサ−２−エン−１−オン；（Ｚ）−４−（４−メチルシクロヘキサ−３−エン−１−イリデン）ペンタナール；（２Ｒ，５Ｓ，６Ｓ）−２，６，１０，１０−テトラメチル−１−オキサスピロ［４．５］デカン−６−オール；６−メチル−３，４−ジヒドロナフタレン−１（２Ｈ）−オン；エチルベンゾ［ｄ］［１，３］ジオキソールｅ−５−カルボキシレート；７−メチル−３，４−ジヒドロナフタレン−１（２Ｈ）−オン；５−エチル−２−メチルノナナール；（３Ｅ，５Ｅ）−６，１０−ジメチルウンデカ−３，５，９−トリエン−２−オン；［１，１’−ビ（シクロヘキサン）］−１’−エン−２−オン；４−（２，２−ジメチル−６−メチレンシクロヘキシル）ブタン−２−オン；２−イソプロピル−２，３−ジヒドロ−１Ｈ−インデン−１−オン；（Ｅ）−４−（２，３，６−トリメチルフェニル）ブタ−３−エン−２−オン；２−（４−イソプロピルフェニル）プロパナール；６，１０−ジメチルウンデカ−９−エン−２−オン；（Ｅ）−６，１０−ジメチルウンデカ−５，９−ジエン−２−オン；１−（４−メトキシ−２，２，６，６−テトラメチルシクロヘキサ−３−エン−１−イル）エタン−１−オン；（Ｅ）−６，１０−ジメチルウンデカ−３，９−ジエン−２−オン；１−（４−ブチルフェニル）エタン−１−オン；テトラデカン−３−オン；３−プロピルビシクロ［２．２．１］ヘプタ−５−エン−２−カルバルデヒド；（Ｅ）−２，６−ジメトキシ−４−（プロパ−１−エン−１−イル）フェノール；（Ｅ）−２−（オクタ−２−エン−１−イル）シクロペンタン−１−オン；ペンタデカン−２−オン；（Ｅ）−６，１０−ジメチルウンデカ−５，１０−ジエン−２−オン；４，４ａ，６，７，８，８ａ−ヘキサヒドロ−１，４−メタノナフタレン−５（１Ｈ）−オン；３−ヘプチル−５−メチルジヒドロフラン−２（３Ｈ）−オン；（Ｚ）−５−（オクタ−２−エン−１−イル）ジヒドロフラン−２（３Ｈ）−オン；４，７，７−トリメチルスピロ［ビシクロ［２．２．１］ヘプタン−２，１’−シクロペンタン］−３−オン；（Ｅ）−１−（２，６，６−トリメチルシクロヘキサ−１−エン−１−イル）ペンタ−１−エン−３−オール；４−アリル−２，６−ジメトキシフェノール；２，６，８−トリメチルノナン−４−オン；（２，８，８−トリメチル−１，２，３，４，５，６，７，８−オクタヒドロナフタレン−２−イル）メタノール；（Ｅ）−３−（４−メトキシフェニル）−２−メチルアクリルアルデヒド；（２Ｅ，６Ｅ）−３，７，９−トリメチルデカ−２，６−ジエナール；（５，６−ジメチル−１−（プロパ−１−エン−２−イル）ビシクロ［２．２．１］ヘプタ−５−エン−２−イル）メタノール；１−（２，４−ジメチルシクロヘキサ−３−エン−１−イル）−２，２−ジメチルプロパン−１−オン；（Ｅ）−３−ブチリデンイソベンゾフラン−１（３Ｈ）−オン；５−（６−メチルヘプタ−５−エン−２−イル）ジヒドロフラン−２（３Ｈ）−オン；２−（４−（ｔｅｒｔ−ブチル）−２−メチルフェノキシ）アセトアルデヒド；（Ｅ）−４−（４−ヒドロキシ−３−メトキシフェニル）ブタ−３−エン−２−オン；１−（２，４−ジエチルフェニル）エタン−１−オン；（Ｅ）−４−（３−ヒドロキシプロパ−１−エン−１−イル）−２，６−ジメトキシフェノール；３−ブチルイソベンゾフラン−１（３Ｈ）−オン；２，４，５−トリメチル−４−フェニル−１，３−ジオキサン；４−メチル−１−フェニルペンタン−２−オン；１４−メチルペンタデカン−１−オール；アダマンタン−２−オール；（３ａＳ，４Ｓ，８Ｓ，８ａＲ）−２，２，４−トリメチルデカヒドロ−４，８−メタノアズレン−９−オール；（Ｅ）−３−（４−ヒドロキシ−３，５−ジメトキシフェニル）アクリルアルデヒド；（３Ｅ，５Ｅ）−３，６，１０−トリメチルウンデカ−３，５，９−トリエン−２−オン；（Ｅ）−２，５，９−トリメチルデカ−４，９−ジエナール；（Ｅ）−４−（ベンゾ［ｄ］［１，３］ジオキソール−５−イル）ブタ−３−エン−２−オン；４−（６，６−ジメチルビシクロ［３．１．１］ヘプタ−２−エン−２−イル）ブタナール；２，８，８−トリメチルオクタヒドロ−２Ｈ−４ａ，２−（エポキシメタノ）ナフタレン−１０−オン；（Ｅ）−３，６，１０−トリメチルウンデカ−３，９−ジエン−２−オン；４−メチル−８−メチレンアダマンタン−２−オール；３−メチル−４−（２，２，６−トリメチルシクロヘキシル）ブタン−２−オール；ヘキサデカン−２−オン；アダマンタン−２−オン；ヘプタデカン−１−オール；４−（４−メトキシフェニル）−３−メチルブタン−２−オン；（Ｅ）−３−メチル−５−（２，２，３−トリメチルシクロペンタ−３−エン−１−イル）ペンタ−３−エン−２−オン；２，４−ジ−ｔｅｒｔ−ブチルシクロヘキサン−１−オン；１−（５−イソプロピル−２−メチルシクロヘキサ−２−エン−１−イル）プロパン−１−オン；（Ｅ）−２−メチル−４−（２，６，６−トリメチルシクロヘキサ−２−エン−１−イル）ブタ−３−エナール；（Ｅ）−２，６，１０−トリメチルウンデカ−５，９−ジエン−１−オール；１−メチル−４−（４−メチルペンチル）シクロヘキサ−３−エン−１−カルバルデヒド；（Ｅ）−３−（ベンゾ［ｄ］［１，３］ジオキソール−５−イル）−２−メチルアクリルアルデヒド；１−（２，６，６−トリメチルシクロヘキサ−２−エン−１−イル）ペンタン−３−オン；（Ｒ
，Ｅ）−１−（２，６，６−トリメチルシクロヘキサ−２−エン−１−イル）ペンタ−１−エン−３−オン；（Ｓ，Ｅ）−３，７，１１−トリメチルドデカ−１，６，１０−トリエン−３−オール；（Ｅ）−２，６，１０−トリメチルウンデカ−５，９−ジエナール；２，６−ジ−ｔｅｒｔ−ブチル−４−（ヒドロキシメチル）フェノール；（Ｚ）−２−ベンジリデンヘキサナール；５，５，６，７，７−ペンタメチルヘキサヒドロインデノ［３ａ，４−ｂ］オキシレン−４（１ａＨ）−オン；（４Ｅ，６Ｅ）−７，１１−ジメチルドデカ−４，６，１０−トリエン−３−オン；２，５−ジ−ｔｅｒｔ−ブチルベンゼン−１，４−ジオール；２−メトキシ−４−（４−メチル−１，３−ジオキソラン−２−イル）フェノール；４−（３，４−ジメトキシフェニル）ブタン−２−オン；（Ｚ）−２−（フラン−２−イルメチレン）オクタナール；（Ｅ）−１−（４−メトキシフェニル）ペンタ−１−エン−３−オン；３−（４−イソプロピルフェニル）−２−メチルプロパン−１−オール；（Ｅ）−６−（２，２，３−トリメチルシクロペンタ−３−エン−１−イル）ヘキサ−５−エン−３−オール；１−（ベンゾ［ｄ］［１，３］ジオキソール−５−イル）ブタン−２−オン；１−（１，１，３−トリメチル−２，３，４，５，６，７−ヘキサヒドロ−１Ｈ−インデン−５−イル）エタン−１−オン；１０−メチル−１，２，３，４，５，６，７，８，９，１０−デカヒドロ−５，９−メタノベンゾ［８］アヌレン−１１−オン；３−（２−オキソプロピル）−２−ペンチルシクロペンタン−１−オン；オクタデカン−１−オール；３−（４−ヒドロキシ−４−メチルペンチル）シクロヘキサ−３−エン−１−カルバルデヒド；２−（（１Ｒ，３Ｓ，４Ｓ）−４−メチル−３−（プロパ−１−エン−２−イル）−４−ビニルシクロヘキシル）プロパン−２−オール；（Ｅ）−１−（４−メトキシフェニル）−４−メチルペンタ−１−エン−３−オン；（２Ｒ，４ａＲ，８ａＳ）−１，１，５，５−テトラメチルヘキサヒドロ−２Ｈ−２，４ａ−メタノナフタレン−８（５Ｈ）−オン；（Ｅ）−２，３−ジメチル−４−（２，６，６−トリメチルシクロヘキサ−２−エン−１−イル）ブタ−３−エナール；６−イソプロピルデカヒドロナフタレン−２−オール；（２Ｅ，６Ｅ）−３，７，１１−トリメチルドデカ−２，６，１０−トリエナール；１，７，７−トリメチルビシクロ［２．２．１］ヘプタン−２−イルイソブチレート；（Ｚ）−オクタデカ−９−エン−１−オール；２−メチル−３−（（１，７，７−トリメチルビシクロ［２．２．１］ヘプタン−２−イル）オキシ）プロパン−１−オール；（Ｅ）−２−メチル−１−（２，６，６−トリメチルシクロヘキサ−２−エン−１−イル）ペンタ−１−エン−３−オン；３−（４−（ｔｅｒｔ−ブチル）フェニル）−２−メチルプロパン−１−オール；４，７，７−トリメチル−４−（３−メチルブタ−２−エン−１−イル）ビシクロ［４．１．０］ヘプタン−３−オン；（Ｚ）−２−メチル−１−（２，２，６−トリメチルシクロヘキサ−３−エン−１−イル）ペンタ−１−エン−３−オン；３−（（２−イソプロピル−５−メチルシクロヘキシル）オキシ）プロパン−１，２−ジオール；（Ｚ）−２−ベンジリデンヘプタナール；４，７，７−トリメチル−２−（３−メチルブタ−２−エン−１−イル）ビシクロ［４．１．０］ヘプタン−３−オン；（Ｅ）−２−（（１Ｓ，３ａＲ，４Ｓ，８ａＳ）−４，８，８−トリメチルデカヒドロ−１，４−メタノアズレン−９−イリデン）エタン−１−オール；６−イソプロピルオクタヒドロナフタレン−２（１Ｈ）−オン；７−エトキシ−４−メチル−２Ｈ−クロメン−２−オン；（Ｅ）−４−メチル−６−（２，２，３−トリメチルシクロペンタ−３−エン−１−イル）ヘキサ−４−エン−３−オール；３，８，８−トリメチル−６−メチレンオクタヒドロ−１Ｈ−３ａ，７−メタノアズレン−５−オール；（３Ｒ，３ａＲ，６Ｓ，７Ｓ，８ａＳ）−３，６，８，８−テトラメチルヘキサヒドロ−１Ｈ−３ａ，７−メタノアズレン−５（４Ｈ）−オン；（Ｅ）−４−メチル−６−（２，２，３−トリメチルシクロペンタ−３−エン−１−イル）ヘキサ−５−エン−３−オール；１−（４，４−ジメチル−１，２，３，４−テトラヒドロナフタレン−１−イル）プロパン−１−オン；８，１２−ジメチルトリデカ−１１−エン−６−オン；２−エトキシ−４−（４−メチル−１，３−ジオキソラン−２−イル）フェノール；３−ベンジルヘプタン−４−オン；ヘプタデカン−９−オン；（（２Ｓ，４ａＲ）−１，１，５，５−テトラメチル−１，３，４，５，６，７−ヘキサヒドロ−２Ｈ−２，４ａ−メタノナフタレン−８−イル）メタノール；（オクタヒドロ−１Ｈ−４，７−メタノインデン−２，５−ジイル）ジメタノール；（１Ｒ，５Ｓ，９Ｓ，Ｅ）−４，１１，１１−トリメチル−８−メチレンビシクロ［７．２．０］ウンデカ−３−エン−５−オール；１−（４−ブトキシ−２，２，６，６−テトラメチルシクロヘキサ−３−エン−１−イル）エタン−１−オン；（Ｅ）−２−メチル−１−（１−メチルビシクロ［２．２．１］ヘプタ−５−エン−２−イル）ペンタ−１−エン−３−オール；（Ｅ）−１−（３，５，６−トリメチルシクロヘキサ−３−エン−１−イル）ペンタ−１−エン−３−オン；（Ｅ）−１−（２，４，６−トリメチルシクロヘキサ−３−エン−１−イル）ペンタ−１−エン−３−オン；２−（（３Ｓ，３ａＳ，５Ｒ，８Ｓ，８ａＳ）−３，８−ジメチルデカヒドロアズレン−５−イル）プロパン−２−オール；（２Ｅ，６Ｅ，９Ｅ）−２，６，１０−トリメチルドデカ−２，６，９，１１−テトラエナール；１−（２，５，５−トリメチル−１，３，４，５，６，７−ヘキサヒドロ−２Ｈ−２，４ａ−エタノナフタレン−８−イル）エタン−１−オン；オキサシクロヘキサデカン−２，１３−ジオン；（３Ｒ，３ａＲ，７Ｓ，８ａＳ）−３，６，８，８−テトラメチル−１，２，３，７，８，８ａ−ヘキサヒドロ−４Ｈ−３ａ，７−メタノアズレン−４−オン；１−（２，３，８，８−テトラメチル−１，２，３，５，６，７，８，８ａ−オクタヒドロナフタレン−２−イル）エタン−１−オン；（Ｅ）−カルコン；（Ｅ）−４−（１，３ａ，４，６，７，７ａ−ヘキサヒドロ−５Ｈ−４，７−メタノインデン−５−イリデン）ブタン−２−オール；（Ｅ）−３−（（２，６，６−トリメチルシクロヘキサ−２−エン−１−イリデン）メチル）ヘキサ−５−エン−２−オン；（３ａＲ，５ａＳ，９ａＳ，９ｂＲ）−３ａ，６，６，９ａ−テトラメチルデカヒドロナフト［２，１−ｂ］フラン−２（１Ｈ）−オン；（Ｅ）−５−メチル−１−（２，６，６−トリメチルシクロヘキサ−２−エン−１−イル）ヘキサ−１−エン−３−オン；１０，１１−ジヒドロ−５Ｈ−ジベンゾ［ａ，ｄ］［７］アヌレン−５−オン；５，５，７，８，８−ペンタメチル−５，６，７，８−テトラヒドロナフタレン−２−カルバルデヒド；（４Ｒ，４ａＳ，６Ｒ，８ａＳ）−４，４ａ−ジメチル−６−（プロパ−１−エン−２−イル）オクタヒドロナフタレン−２（１Ｈ）−オン；２−（１，１，２，３，３−ペンタメチル−２，３−ジヒドロ−１Ｈ−インデン−５−イル）プロパン−１−オール；８−（ｔｅｒｔ−ブチル）−４，６−ジメチル−２Ｈ−クロメン−２−オン；（Ｅ）−４−（３ａ，４，５，６，７，７ａ−ヘキサヒドロ−１Ｈ−４，７−メタノインデン−５−イル）−３−メチルブタ−３−エン−２−オール；（Ｅ）−４−（３ａ，４，５，６，７，７ａ−ヘキサヒドロ−１Ｈ−４，７−メタノインデン−６−イル）−３−メチルブタ−３−エン−２−オール；２−（（４−イソプロピルシクロヘキサ−１−エン−１−イル）メチル）シクロペンタン−１−オン；４−（５，５，６−トリメチルビシクロ［２．２．１］ヘプタン−２−イル）シクロヘキサン−１−オール；１，３−ジフェニルプロパン−２−オン；３−（（２Ｒ）−５，５，６−トリメチルビシクロ［２．２．１］ヘプタン−２−イル）シクロヘキサン−１−オール；３−エチル−５，５，８，８−テトラメチル−５，６，７，８−テトラヒドロナフタレン−２−カルバルデヒド；（１Ｓ）−３−（（Ｚ）−ベンジリデン）−１，７，７−トリメチルビシクロ［２．２．１］ヘプタン−２−オン；（Ｚ）−３−ベンジリデン−１，７，７−トリメチルビシクロ［２．２．１］ヘプタン−２−オン；３−（５，５−ジメチル−６−メチレンビシクロ［２．２．１］ヘプタン−２−イル）シクロヘキサン−１−オール；６，１０，１４−トリメチルペンタデカン−２−オン；１−（３−エチル−５，５，８，８−テトラメチル−５，６，７，８−テトラヒドロナフタレン−２−イル）エタン−１−オン；２−オクチルドデカン−１−オール；２−イソプロポキシ−１，２−ジフェニルエタン−１−オン；２−メトキシ−４−（１，７，７−トリメチルビシクロ［２．２．１］ヘプタン−２−イル）フェノール；２−（２−（３，３，５−トリメチルシクロヘキシル）アセチル）シクロペンタン−１−オン；２−ブトキシ−１，２−ジフェニルエタン−１−オン；（６Ｅ，１０Ｅ）−３，７，１１，１５−テトラメチルヘキサデカ−６，１０，１４−トリエン−３−オール；（６Ｅ，１０Ｅ）−３，７，１１，１５−テトラメチルヘキサデカ−１，６，１０，１４−テトラエン−３−オール；２−イソブトキシ−１，２−ジフェニルエタン−１−オン；（１Ｒ）−１，７，７−トリメチル−３−（（Ｚ）−４−メチルベンジリデン）ビシクロ［２．２．１］ヘプタン−２−オン；１−（４−ヒドロキシ−３−メトキシフェニル）デカン−３−オン；３，７，１１，１５−テトラメチルヘキサデカ−１−イン−３−オール；（７Ｒ，１１Ｒ，Ｅ）−３，７，１１，１５−テトラメチルヘキサデカ−２−エン−１−オール；（３Ｒ，５Ｓ，８Ｒ，９Ｓ，１０Ｓ，１３Ｒ，１４Ｓ）−１０，１３−ジメチル−２，３，４，５，６，７，８，９，１０，１１，１２，１３，１４，１５−テトラデカヒドロ−１Ｈ−シクロペンタ［ａ］フェナントレン−３−オール；１−フェネトキシ−２−（ｐ−トリルオキシ）エタン−１−オール；（７−イソプロピル−１，４ａ−ジメチルテトラデカヒドロフェナントレン−１−イル）メタノール；（５Ｓ，８Ｒ，９Ｓ，１０Ｓ，１３Ｒ，１４Ｓ）−１０，１３−ジメチル−１，２，４，５，６，７，８，９，１０，１１，１２，１３，１４，１５−テトラデカヒドロ−３Ｈ−シクロペンタ［ａ］フェナントレン−３−オン；（７−イソプロピル−１，４ａ−ジメチル−１，２，３，４，４ｂ，５，６，７，８，８ａ，９，１０−ドデカヒドロ−４ａｌ５−フェナントレン−１−イル）メタノール；１−（４−（ｔｅｒｔ−ブチル）フェニル）−３−（４−メトキシフェニル）プロパン−１，３−ジオン；２，５，７，８−テトラメチル−２−（４，８，１２−トリメチルトリデシル）クロマン−６−オール；２，５，８−トリメチル−２−（４，８，１２−トリメチルトリデシル）クロマン−６−オール；２，７，８−トリメチル−２−（４，８，１２−トリメチルトリデシル）クロマン−６−オール；２，８−ジメチル−２−（４，８，１２−トリメチルトリデシル）クロマン−６−オール；（１Ｅ，６Ｅ）−１，７−ビス（４−ヒドロキシ−３−メトキシフェニル）ヘプタ−１，６−ジエン−３，５−ジオン；（１Ｒ，２Ｒ，４ａＳ，８ａＳ）−１−（（Ｅ）−６−（（Ｓ）−２，２−ジメチル−６−メチレンシクロヘキシル）−４−メチルヘキサ−３−エン−１−イル）−２，５，５，８ａ−テトラメチルデカヒドロナフタレン−２−オール；（２Ｅ，４Ｅ，６Ｅ，８Ｅ，１０Ｅ，１２Ｅ，１４Ｅ，１６Ｅ）−２，６，１１，１５−テトラメチル−１７−（２，６，６−トリメチルシクロヘキサ−１−エン−１−イル）ヘプタデカ−２，４，６，８，１０，１２，１４，１６−オクタエナール；８，８−ジ（１Ｈ−インドール−３−イル）−２，６−ジメチルオクタン−２−オール、及びこれらの混合物からなる群から選択される有益剤のフラグメントである、パラグラフＡ〜Ｇのいずれかに記載のシリコーン化合物。
【００４３】
Ｋ．当該の有益剤部分が、３，７−ジメチルオクタナール；オクタナール；テトラデカナール；２，２，６，８−テトラメチル−１，２，３，４，４ａ，５，８，８ａ−オクタヒドロナフタレン−１−オール；（４Ｒ，４ａＳ，６Ｒ）−４，４ａ−ジメチル−６−（プロパ−１−エン−２−イル）−４，４ａ，５，６，７，８−ヘキサヒドロナフタレン−２（３Ｈ）−オン；ノナン−１−オール；ノナナール；（Ｚ）−３，７−ジメチルオクタ−２，６−ジエン−１−オール；６，６−ジメチルビシクロ［３．１．１］ヘプタ−２−エン−２−カルバルデヒド；（Ｅ）−４−（２，２，３，６−テトラメチルシクロヘキシル）ブタ−３−エン−２−オン；（Ｚ）−１−（２，６，６−トリメチルシクロヘキサ−１−エン−１−イル）ペンタ１−エン−３−オン；（Ｅ）−３−メチルシクロペンタデカ−４−エン−１−オン；１−（４−イソプロピルシクロヘキシル）エタン−１−オール；１−（４−イソプロピルシクロヘキシル）エタン−１−オール；２−メチルデカナール；２−メチルウンデカナール；６−メトキシ−２，６−ジメチルヘプタナール；７−メトキシ−３，７−ジメチルオクタナール；オクタヒドロ−１Ｈ−４，７−メタノインデン−１−カルバルデヒド；（（１ｓ，４ｓ）−４−イソプロピルシクロヘキシル）メタノール；３−（３−（ｔｅｒｔ−ブチル）フェニル）−２−メチルプロパナール；２，２−ジメチル−３−（ｍ−トリル）プロパン−１−オール；８−イソプロピル−６−メチルビシクロ［２．２．２］オクタ−５−エン−２−カルバルデヒド；４−（４−ヒドロキシ−４−メチルペンチル）シクロヘキサ−３−エン−１−カルバルデヒド；（Ｚ）−３−ヘキセン−１−イル−２−シクロペンテン−１−オン；３−（４−メチルシクロヘキサ−３−エン−１−イル）ブタナール；３−（４−（ｔｅｒｔ−ブチル）フェニル）−２−メチルプロパナール；２−メチル−５−（１−メチルエテニル）−２−シクロヘキセノン；（１Ｓ，５Ｒ）−２−メチル−５−（プロパ−１−エン−２−イル）シクロヘキサ−２−エン−１−オール；ドデカン−１−オール；ドデカナール；（（３Ｓ，３ａＲ，６Ｒ，８ａＳ）−７，７−ジメチル−８−メチレンオクタヒドロ−１Ｈ−３ａ，６−メタノアズレン−３−イル）メタノール；（１−メチル−２−（（１，２，２−トリメチルビシクロ［３．１．０］ヘキサン−３−イル）メチル）シクロプロピル）メタノール；（Ｚ）−４−（６，６−ジメチルシクロヘキサ−２−エン−１−イル）−３−メチルブタ−３−エン−２−オン；（１Ｒ，２Ｓ，５Ｒ）−５−メチル−２−（プロパ−１−エン−２−イル）シクロヘキサン−１−オール；４，９−ジメトキシ−７Ｈ−フロ［３，２−ｇ］クロメン−７−オン；２−ヘキシルシクロペンタ−２−エン−１−オン；４−（４−メチルペンタ−３−エン−１−イル）シクロヘキサ−３−エン−１−カルバルデヒド；２，５，６−トリメチルシクロヘキサ−３−エン−１−カルバルデヒド；４−（（２Ｒ）−１，７，７−トリメチルビシクロ［２．２．１］ヘプタン−２−イル）シクロヘキサン−１−オール；（７，７，８，８−テトラメチルオクタヒドロ−２，３ｂ−メタノシクロペンタ［１，３］シクロプロパ［１，２］ベンゼン−４−イル）メタノール；２−シクロドデシルプロパン−１−オール；３−フェニルプロパン−１−オール；２，３−ジヒドロ−３，３−ジメチル−１Ｈ−インデン−５−プロパナール；３−（３，３−ジメチル−２，３−ジヒドロ−１Ｈ−インデン−５−イル）プロパナール；（Ｚ）−２−ベンジリデンオクタナール；３−（ベンゾ［ｄ］［１，３］ジオキソール−５−イル）−２−メチルプロパナール；１−メチル−４−（プロパン−２−イリデン）シクロヘキサン−１−オール；（Ｚ）−４−（２，２−ジメチル−６−メチレンシクロヘキシル）ブタ−３−エン−２−オン；（Ｚ）−１−（２，２−ジメチル−６−メチレンシクロヘキシル）ブタ−２−エン−１−オン；１−（３，３−ジメチルシクロヘキシル）ペンタ−４−エン−１−オン；（６−イソプロピル−９−メチル−１，４−ジオキサスピロ［４．５］デカン−２−イル）メタノール；３−（２−エチルフェニル）−２，２−ジメチルプロパナール；３−（２−エチルフェニル）−２，２−ジメチルプロパナール；（Ｅ）−４，８−ジメチルデカ−４，９−ジエナール；（２Ｅ，６Ｅ）−３，７，１１−トリメチルドデカ−２，６，１０−トリエン−１−オール；（Ｅ）−シクロペンタデカ−４−エン−１−オン；１−シクロペンタデカ−４−エン−１−オン；２−メトキシ−４−（４−メチレンテトラヒドロ−２Ｈ−ピラン−２−イル）フェノール；４−アリル−２−メトキシフェノール；（２Ｒ，３Ｓ，４Ｒ）−２，３，４，５−テトラヒドロキシペンタナール；（Ｅ）−４−（（３ａＳ，７ａＳ）−オクタヒドロ−５Ｈ−４，７−メタノインデン−５−イリデン）ブタナール；２−（２−ヒドロキシプロポキシ）プロパン−１−オール；２，６−ジメチルオクタ−７−エン−４−オン；３−メチル−２−ペンチルシクロペンタ−２−エン−１−オン；２−メトキシ−４−プロピルフェノール；２−メチル−５−（プロパ−１−エン−２−イル）シクロヘキサン−１−オール；（Ｚ）−１−（（１Ｒ，２Ｓ）−２，６，６−トリメチルシクロヘキサ−３−エン−１−イル）ブタ−２−エン−１−オン；デカ−９−エン−１−オール；３−（４−イソプロピルフェニル）−２−メチルプロパナール；８，８−ジメチル−１，２，３，４，５，６，７，８−オクタヒドロナフタレン−２−カルバルデヒド；（４−イソプロピルフェニル）メタノール；３−（４−メチルシクロヘキサ−３−エン−１−イル）ブタン−１−オール；３，７−ジメチルオクタ−６−エン−１−オール；３，７−ジメチルオクタ−６−エナール；（Ｚ）−３−メチル−２−（ペンタ−２−エン−１−イル）シクロペンタ−２−エン−１−オン；（Ｚ）−ノナ−６−エン−１−オール；（１Ｒ，５Ｒ）−２−メチル−５−（プロパ−１−エン−２−イル）シクロヘキサ−２−エン−１−オール；（Ｚ）−デカ−４−エナール；（３Ｚ，６Ｚ）−ノナ−３，６−ジエン−１−オール；（Ｅ）−３−フェニルプロパ−２−エン−１−オール；４−クロロ−３，５−ジメチルフェノール；ヘキサデカン−１−オール；（Ｅ）−１−（２，６，６−トリメチルシクロヘキサ−２−エン−１−イル）ヘプタ−１，６−ジエン−３−オン；２−メチル−４−（２，６，６−トリメチルシクロヘキサ−１−エン−１−イル）ブタナール；１，１，２，３，３−ペンタメチル−１，２，３，５，６，７−ヘキサヒドロ−４Ｈ−インデン−４−オン；（１Ｓ，２Ｓ，５Ｒ，８Ｓ）−４，４，８−トリメチルトリシクロ［６．３．１．０２，５］ドデカン−１−オール；５−イソプロピル−２−メチルフェノール；２−メチル−５−（プロパ−１−エン−２−イル）シクロヘキサ−２−エン−１−オン；オクタン−１−オール；デカナール；３−（４−メトキシフェニル）−２−メチルプロパナール；２，６−ジ−ｔｅｒｔ−ブチル−４−メチルフェノール；２−メチル−４−（２，２，３−トリメチルシクロペンタ−３−エン−１−イル）ブタン−１−オール；３−（４−（ｔｅｒｔ−ブチル）フェニル）プロパナール；（Ｅ）−２−メチル−４−（２，６，６−トリメチルシクロヘキサ−１−エン−１−イル）ブタ−２−エナール；（５Ｒ，１０Ｒ）−６，１０−ジメチル−２−（プロパン−２−イリデン）スピロ［４．５］デカ−６−エン−８−オン；１−メチル−４−（プロパ−１−エン−２−イル）シクロヘキサン−１−オール；（２Ｚ，６Ｅ）−２，６−ジメチル−１０−メチレンドデカ−２，６，１１−トリエナール；（Ｚ）−２−メチル−５−（（１Ｓ，２Ｒ，４Ｒ）−２−メチル−３−メチレンビシクロ［２．２．１］ヘプタン−２−イル）ペンタ−２−エン−１−オール；（Ｓ）−４−メチル−１−（（Ｓ）−６−メチルヘプタ−５−エン−２−イル）シクロヘキサ−３−エン−１−オール；（Ｚ）−４−（２，２，６−トリメチル−７−オキサビシクロ［４．１．０］ヘプタン−１−イル）ブタ−３−エン−２−オン；４−メトキシ−７Ｈ−フロ［３，２−ｇ］クロメン−７−オン；（４Ｒ，４ａＳ）−４，４ａ−ジメチル−６−（プロパン−２−イリデン）−４，４ａ，５，６，７，８−ヘキサヒドロナフタレン−２（３Ｈ）−オン；（２Ｚ，６Ｅ，９Ｅ）−２，６，１０−トリメチルドデカ−２，６，９，１１−テトラエナール；（Ｅ）−５−（２，３−ジメチルトリシクロ［２．２．１．０２，６］ヘプタン−３−イル）−２−メチルペンタ−２−エン−１−オール；１−（５，５−ジメチルシクロヘキサ−１−エン−１−イル）ペンタ−４−エン−１−オン；（Ｒ，Ｚ）−１−（２，６，６−トリメチルシクロヘキサ−２−エン−１−イル）ペンタ−１−エン−３−オン；（Ｚ）−３−メチル−４−（２，６，６−トリメチルシクロヘキサ−２−エン−１−イル）ブタ−３−エン−２−オン；（Ｚ）−４−（２，５，６，６−テトラメチルシクロヘキサ−２−エン−１−イル）ブタ−３−エン−２−オン；（１Ｒ，４Ｓ，４ａＲ，８ａＲ）−４−イソプロピル−１，６−ジメチル−１，２，３，４，４ａ，７，８，８ａ−オクタヒドロナフタレン−１−オール；（Ｅ）−２−ベンジリデンヘプタン−１−オール；（Ｅ）−２−ベンジリデンヘプタナール；１−メチル−４−（４−メチルペンタ−３−エン−１−イル）シクロヘキサ−３−エン−１−カルバルデヒド；２，３，４−トリメトキシベンズアルデヒド；２，４，５−トリメトキシベンズアルデヒド；２，４，６−トリメトキシベンズアルデヒド；トランス，トランス−２，４−ノナジエナール；２，６，１０−トリメチルウンデカナール；α−４���ジメチルベンゼンプロパナール；（Ｅ）−ウンデカ−９−エナール；２，６，１０−トリメチルウンデカ−９−エナール；（Ｚ）−２−（４−メチルベンジリデン）ヘプタナール；デカ−９−エナール；７−メトキシ−２Ｈ−クロメン−２−オン；１−（３，５，５，６，８，８−ヘキサメチル−５，６，７，８−テトラヒドロナフタレン−２−イル）エタン−１−オン；３−（６，６−ジメチルビシクロ［３．１．１］ヘプタ−２−エン−２−イル）プロパナール；１−イソプロピル−４−メチルシクロヘキサ−３−エン−１−オール；１−フェニルペンタ−４−エン−１−オン；１−イソプロピル−４−メチルシクロヘキサ−３−エン−１−オール；（１ａＲ，２Ｓ，４ａＳ）−２，４ａ，８，８−テトラメチルオクタヒドロシクロプロパ［ｄ］ナフタレン−３（１Ｈ）−オン；（Ｚ）−ドデカ−２−エナール；３−メチル−５−フェニルペンタナール；３，７−ジメチル−２−メチレンオクタ−６−エナール；３，７−ジメチルオクタン−１−オール；３，４，５−トリメトキシベンズアルデヒド；３−（４−イソプロピルフェニル）プロパナール；（Ｅ）−ウンデカ−２−エナール；（２Ｅ，６Ｅ）−ノナ−２，６−ジエナール；（Ｚ）−３−（フラン−２−イル）−２−フェニルアクリルアルデヒド；２−フェノキシエタン−１−オール；（Ｚ）−ノナ−２−エナール；（Ｅ）−２−イソプロピル−５−メチルヘキサ−２−エナール；（Ｅ）−デカ−２−エナール；（２Ｅ，６Ｅ）−ノナ−２，６−ジエナール；（２Ｅ，６Ｅ）−ノナ−２，６−ジエン−１−オール；２，６−ジメチルオクタナール；デカン−１−オール；ウンデカ−１０−エン−１−オール；ウンデカ−１０−エナール；（Ｚ）−１−（２，６，６−トリメチルシクロヘキサ−２−エン−１−イル）ブタ−２−エン−１−オン；（１Ｓ，５Ｓ）−４，６，６−トリメチルビシクロ［３．１．１］ヘプタ−３−エン−２−オン；（Ｚ）−ドデカ−３−エナール；３，７−ジメチルオクタ−６−エナール；（Ｒ）−３，７−ジメチルオクタ−６−エナール；（１Ｓ，２Ｓ，５Ｓ）−２−メチル−５−（プロパ−１−エン−２−イル）シクロヘキサン−１−オール；３，７−ジメチルオクタ−６−エン−１−オール；３，７−ジメチルオクタ−６−エン−１−オール；（Ｓ）−２−メチル−５−（プロパ−１−エン−２−イル）シクロヘキサ−２−エン−１−オン；（Ｒ，Ｅ）−２−メチル−４−（２，
２，３−トリメチルシクロペンタ−３−エン−１−イル）ブタ−２−エン−１−オール；（Ｅ）−４−（２，２−ジメチル−６−メチレンシクロヘキシル）−３−メチルブタ−３−エン−２−オン；３−（３−イソプロピルフェニル）ブタナール；３−（６，６−ジメチルビシクロ［３．１．１］ヘプタ−２−エン−２−イル）−２，２−ジメチルプロパナール；２−（ｍ−トリル）エタン−１−オール；（３Ｅ，６Ｅ）−ノナ−３，６−ジエン−１−オール；（Ｅ）−トリデカ−２−エナール；（１Ｒ，４Ｓ，４ａＳ，６Ｒ，８ａＳ）−４，８ａ，９，９−テトラメチルオクタヒドロ−１，６−メタノナフタレン−１（２Ｈ）−オール；４−（プロパ−１−エン−２−イル）シクロヘキサ−１−エン−１−カルバルデヒド；（４−（プロパ−１−エン−２−イル）シクロヘキサ−１−エン−１−イル）メタノール；２−シクロヘキシルヘプタ−１，６−ジエン−３−オン；２−フェニルエタン−１−オール；３−メチル−５−フェニルペンタン−１−オール；２−（６，６−ジメチルビシクロ［３．１．１］ヘプタ−２−エン−２−イル）アセトアルデヒド；（４ａＲ，８ａＳ）−７−メチルオクタヒドロ−１，４−メタノナフタレン−６（２Ｈ）−オン；１，２−ジメチル−３−（プロパ−１−エン−２−イル）シクロペンタン−１−オール；４−イソプロピル−１−メチルシクロヘキサ−３−エン−１−オール；（２Ｚ，５Ｚ）−５，６，７−トリメチルオクタ−２，５−ジエン−４−オン；１−メチル−４−（４−メチルペンタ−３−エン−１−イル）シクロヘキサ−３−エン−１−カルバルデヒド；プロパン−１，２−ジオール；４−（ｔｅｒｔ−ペンチル）シクロヘキサン−１−オール；３，７−ジメチルオクタ−７−エン−１−オール；２−メチル−５−フェニルペンタン−１−オール；（Ｚ）−２−エチル−４−（２，２，３−トリメチルシクロペンタ−３−エン−１−イル）ブタ−２−エン−１−オール；（Ｅ）−２−メチル−４−（２，２，３−トリメチルシクロペンタ−３−エン−１−イル）ブタ−２−エン−１−オール；５−メトキシオクタヒドロ−１Ｈ−４，７−メタノインデン−２−カルバルデヒド；５−メトキシオクタヒドロ−１Ｈ−４，７−メタノインデン−２−カルバルデヒド；３−（４−イソブチルフェニル）−２−メチルプロパナール；１−（スピロ［４．５］デカ−７−エン−７−イル）ペンタ−４−エン−１−オン；２−（４−メチルチアゾール−５−イル）エタン−１−オール；（Ｚ）−ドデカ−４−エナール；（１Ｓ，４Ｓ，４ａＲ，８ａＲ）−４−イソプロピル−１，６−ジメチル−１，２，３，４，４ａ，７，８，８ａ−オクタヒドロナフタレン−１−オール；（１Ｓ，４Ｓ，４ａＲ，８ａＳ）−４−イソプロピル−１，６−ジメチル−１，２，３，４，４ａ，７，８，８ａ−オクタヒドロナフタレン−１−オール；３，７−ジメチルオクタナール；２−イソプロピル−５−メチルフェノール；（２Ｚ，４Ｅ）−ノナ−２，４−ジエナール；（２Ｅ，６Ｅ）−３，７，１１−トリメチルドデカ−２，６，１０−トリエン−１−オール；（２Ｅ，６Ｚ）−ノナ−２，６−ジエナール；（Ｚ）−デカ−２−エナール；（Ｅ）−ノナ−２−エナール；（１Ｒ，２Ｓ）−２−（ｔｅｒｔ−ブチル）シクロヘキサン−１−オール；（３Ｅ，６Ｚ）−ノナ−３，６−ジエン−１−オール；（Ｅ）−デカ−４−エナール；（Ｚ）−１−（２，６，６−トリメチルシクロヘキサ−２−エン−１−イル）ブタ−２−エン−１−オン；（Ｅ）−３，７−ジメチルオクタ−２，６−ジエン−１−オール；（１Ｒ−（１α，３α，４ａα））−２，３，４，４ａ，５，６−ヘキサヒドロ−２，２−ジメチル−１，３−メタノナフタレン−７（１Ｈ）−オン；トリデカン−１−オール；１−（（２Ｅ，５Ｚ，９Ｚ）−２，６，１０−トリメチルシクロドデカ−２，５，９−トリエン−１−イル）エタン−１−オン；２−メルカプト−２−メチルペンタン−１−オール；ウンデカナール；（Ｚ）−２−メチル−４−（２，６，６−トリメチルシクロヘキサ−２−エン−１−イル）ブタ−２−エナール；（１Ｒ，５Ｒ）−４，６，６−トリメチルビシクロ［３．１．１］ヘプタ−３−エン−２−オン；２−（ｔｅｒｔ−ブチル）シクロヘキサン−１−オール；１，３，４，６，７，８α−ヘキサヒドロ−１，１，５，５−テトラメチル−２Ｈ−２，４α−メタノフタレン−８（５Ｈ）−オン；３−（３，３−ジメチル−２，３−ジヒドロ−１Ｈ−インデン−５−イル）プロパナール；２，２’−オキシビス（エタン−１−オール）；ブタン−１，３−ジオール；ヘキサン−１，６−ジオール；２，２’−（エタン−１，２−ジイルビス（オキシ））ビス（エタン−１−オール）；２−メチルペンタン−２，４−ジオール；（２Ｅ，４Ｅ）−ヘプタ−２，４−ジエン−１−オール；ヘキサン−１，２，６−トリオール；（Ｚ）−オクタ−５−エン−１−オール；（Ｅ）−オクタ−３−エン−１−オール；（Ｚ）−オクタ−５−エナール；２，５−ジメチル−１，４−ジチアン−２，５−ジオール；（Ｅ）−ノナ−２−エン−１−オール；（Ｅ）−ノナ−６−エン−１−オール；（Ｅ）−ノナ−３−エン−１−オール；（Ｚ）−ノナ−３−エン−１−オール；（２Ｅ，６Ｚ）−ノナ−２，６−ジエン−１−オール；マンニトール；２，２’，２”−ニトリロトリス（エタン−１−オール）；３−ノネン−２−オン；（Ｅ）−ノナ−５−エン−２−オン；２−（シクロヘキシルオキシ）エタン−１−オール；（Ｅ）−デカ−２−エン−１−オール；ａ−Ｄ−グルコピラノース；（Ｅ）−デカ−５−エン−１−オール；２，３，６−トリメチルフェノール；（２Ｅ，４Ｅ）−デカ−２，４−ジエナール；（２Ｅ，４Ｚ）−デカ−２，４−ジエナール；デカン−１，１０−ジオール；（Ｚ）−デカ−７−エナール；（Ｅ）−２−メチルオクタ−２−エナール；３−（ヒドロキシメチル）フェノール；（２−メトキシフェニル）メタノール；デカン−２−オン；２−（ｏ−トリル）エタン−１−オール；ウンデカン−１−オール；（Ｅ）−デカ−３−エン−２−オン；３−エチル−２−ヒドロキシ−４−メチルシクロペンタ−２−エン−１−オン；３−フェニルプロパン−１−オール；３，５−オクタジエン−２−オール、２，６−ジメチル−，（？，Ｚ）−；３，５−オクタジエン−２−オール，２，６−ジメチル−，（？，Ｅ）−；ベンゼンメタノール，４−メチル−；２−（ベンジルオキシ）エタン−１−オール；（Ｅ）−ウンデカ−２−エン−１−オー��；（２Ｚ，４Ｅ）−ウンデカ−２，４−ジエン−１−オール；（Ｅ）−７−メチル−３−メチレンオクタ−４，６−ジエン−２−オール；（Ｚ）−ウンデカ−２−エナール；（Ｅ）−ウンデカ−２−エナール；（２Ｚ，４Ｚ）−ウンデカ−２，４−ジエナール；（２Ｅ，４Ｅ）−ウンデカ−２，４−ジエナール；３−シクロヘキセン−１−プロパナール；（Ｅ）−ウンデカ−８−エナール；１−（ｐ−トリル）エタン−１−オール；（Ｅ）−３，７−ジメチルオクタ−２，６−ジエン−１−オール；４−（２−ヒドロキシエチル）フェノール；（４−メトキシフェニル）メタノール；２−メトキシ−２−フェニルエタン−１−オール；（Ｅ）−２−イソプロピル−５−メチルヘキサ−２−エン−１−オール；４−フェニルブタン−１−オール；２−（ｐ−トリル）エタン−１−オール；（Ｅ）−ドデカ−２−エン−１−オール；２−（ｐ−トリルオキシ）エタン−１−オール；７−メチル−３−メチレンオクタ−６−エナール；（２Ｅ，４Ｅ）−ドデカ−２，４−ジエン−１−オール；（Ｅ）−ドデカ−２−エナール；（２Ｅ，４Ｅ）−ドデカ−２，４−ジエナール；（Ｅ）−５−（メチルチオ）−２−（（メチルチオ）メチル）ペンタ−２−エナール；（Ｅ）−ドデカ−３−エナール；４−（ヒドロキシメチル）−２−メトキシフェノール；ウンデカン−１−オール；（Ｅ）−ドデカ−４−エナール；４−アリルフェノール；（２Ｅ，６Ｚ）−ドデカ−２，６−ジエナール；３−（５−メチルフラン−２−イル）ブタナール；２−ペンチルシクロペンタ−２−エン−１−オン；２−イソプロピル−４−メチルフェノール；３，７−ジメチルオクタ−７−エン−１，６−ジオール；ベンゾ［ｄ］［１，３］ジオキソール−５−イルメタノール；（Ｚ）−２，７−ジメチルオクタ−５−エン−４−オン；ウンデカ−１−エン−３−オン；２，６−ジメトキシ−４−メチルフェノール；（１Ｓ，２Ｓ，５Ｓ）−２−メチル−５−（プロパ−１−エン−２−イル）シクロヘキサン−１−オール；５−フェニルペンタン−１−オール；ｒｅｌ−（１Ｒ，２Ｓ，５Ｒ）−５−メチル−２−（プロパ−１−エン−２−イル）シクロヘキサン−１−オール；（Ｅ）−２−メチル−３−フェニルプロパ−２−エン−１−オール；（Ｅ）−トリデカ−２−エン−１−オール；（（１Ｓ，２Ｓ，５Ｓ）−６，６−ジメチルビシクロ［３．１．１］ヘプタン−２−イル）メタノール；トリデカナール；２−メチルウンデカン−１−オール；２−（３，４−ジメチルフェニル）アセトアルデヒド；２−（２，４−ジメチルフェニル）アセトアルデヒド；１，３−ジヒドロ−２Ｈ−インデン−２−オン；（２Ｅ，４Ｅ）−トリデカ−２，４−ジエナール；（６，６−ジメチルビシクロ［３．１．１］ヘプタ−２−エン−２−イル）メタノール；３−（ｐ−トリル）プロパナール；（Ｅ）−２−（ヘキサ−２−エン−１−イル）シクロペンタン−１−オール；２−（２−ヒドロキシプロパン−２−イル）−５−メチルシクロヘキサン−１−オール；１１−メチルドデカン−１−オール；（２Ｅ，４Ｚ，７Ｚ）−トリデカ−２，４，７−トリエナール；シクロドデカノール；２−（４−メチルシクロヘキサ−３−エン−１−イル）プロパ−２−エン−１−オール；（��）−２−（４−メチルシクロヘキサ−３−エン−１−イル）プロパ−２−エン−１−オール；（Ｅ）−２−メチル−３−（ペンタ−２−エン−１−イル）シクロペンタ−２−エン−１−オン；（Ｅ）−３−メチル−２−（ペンタ−２−エン−１−イル）シクロペンタ−２−エン−１−オン；（２Ｅ，６Ｅ）−３，７−ジメチルノナ−２，６−ジエナール；２，６−ジイソプロピルフェノール；１−（３，３−ジメチルビシクロ［２．２．１］ヘプタン−２−イル）エタン−１−オール；２−（４−メチレンシクロヘキシル）プロパナール；（Ｓ）−４−（プロパ−１−エン−２−イル）シクロヘキサ−１−エン−１−カルバルデヒド；（Ｅ）−３−（４−メトキシフェニル）アクリルアルデヒド；テトラデカン−１−オール；６−フェニルヘキサン−１−オール；２−（４−イソプロピルシクロヘキシル）エタン−１−オール；（Ｅ）−２−エチル−２−（３−メチルブタ−２−エン−１−イル）ヘキサ−３−エン−１−オール；２−（４−エチルフェニル）アセトアルデヒド；（Ｅ）−３−メチル−１−フェニルペンタ−１−エン−３−オール；（２−ヘキシル−１，３−ジオキソラン−４−イル）メタノール；６−エチル−３−メチルオクタ−５−エン−１−オール；オクタヒドロナフタレン−２（１Ｈ）−オン；２−（４−イソプロピルフェニル）エタン−１−オール；（Ｅ）−５，９−ジメチルデカ−４，９−ジエナール；５−メチル−３，４−ジヒドロナフタレン−１（２Ｈ）−オン；８−メチル−３，４−ジヒドロナフタレン−１（２Ｈ）−オン；（Ｅ）−テトラデカ−２−エナール；４−（ｔｅｒｔ−ブチル）シクロヘキサン−１−カルバルデヒド；２−（６，６−ジメチルビシクロ［３．１．１］ヘプタ−２−エン−２−イル）エタン−１−オール；（４，７，７−トリメチルビシクロ［４．１．０］ヘプタ−４−エン−３−イル）メタノール；（Ｚ）−２−（３，３−ジメチルビシクロ［２．２．１］ヘプタン−２−イリデン）エタン−１−オール；（３ａＲ，７ａＲ）−オクタヒドロ−５Ｈ−４，７−メタノインデン−５−オン；４−（３−ヒドロキシブチル）フェノール；２，５，７，７−テトラメチルオクタナール；２−フェニルペンタ−４−エナール；４−ヒドロキシ−３，５−ジメトキシベンズアルデヒド；（Ｅ）−４−（３−ヒドロキシプロパ−１−エン−１−イル）−２−メトキシフェノール；２−メチル−４−フェニルブタナール；２−ペ
ンチルシクロヘキサ−２−エン−１−オン；４−エチル−２，６−ジメトキシフェノール；２−（（１，７，７−トリメチルビシクロ［２．２．１］ヘプタン−２−イル）オキシ）エタン−１−オール；ペンタデカン−１−オール；（２−フェニル−１，３−ジオキソラン−４−イル）メタノール；１−アリル−２，２，７，７−テトラメチルシクロヘプタン−１−オール；５−エチル−２−メチルノナン−１−オール；３−（ブタ−３−エン−１−イル）−２，４，４−トリメチルシクロヘキサ−２−エン−１−オン；２−（４−イソプロピルシクロヘキシル）プロパン−１−オール；ペンタデカナール；（Ｚ）−２−エチリデンウンデカナール；（Ｅ）−１−（２，６，６−トリメチルシクロヘキサ−３−エン−１−イル）ブタ−２−エン−１−オン；３，５−ジエチル−２，６−ジメチルシクロヘキサ−２−エン−１−オン；（Ｚ）−４−（４−メチルシクロヘキサ−３−エン−１−イリデン）ペンタナール；６−メチル−３，４−ジヒドロナフタレン−１（２Ｈ）−オン；７−メチル−３，４−ジヒドロナフタレン−１（２Ｈ）−オン；５−エチル−２−メチルノナナール；（３Ｅ，５Ｅ）−６，１０−ジメチルウンデカ−３，５，９−トリエン−２−オン；［１，１’−ビ（シクロヘキサン）］−１’−エン−２−オン；（Ｅ）−４−（２，３，６−トリメチルフェニル）ブタ−３−エン−２−オン；２−（４−イソプロピルフェニル）プロパナール；（Ｅ）−６，１０−ジメチルウンデカ−３，９−ジエン−２−オン；３−プロピルビシクロ［２．２．１］ヘプタ−５−エン−２−カルバルデヒド；（Ｅ）−２，６−ジメトキシ−４−（プロパ−１−エン−１−イル）フェノール；４，４ａ，６，７，８，８ａ−ヘキサヒドロ−１，４−メタノナフタレン−５（１Ｈ）−オン；４−アリル−２，６−ジメトキシフェノール、（２，８，８−トリメチル−１，２，３，４，５，６，７，８−オクタヒドロナフタレン−２−イル）メタノール；（Ｅ）−３−（４−メトキシフェニル）−２−メチルアクリルアルデヒド；（２Ｅ，６Ｅ）−３，７，９−トリメチルデカ−２，６−ジエナール；（５，６−ジメチル−１−（プロパ−１−エン−２−イル）ビシクロ［２．２．１］ヘプタ−５−エン−２−イル）メタノール；２−（４−（ｔｅｒｔ−ブチル）−２−メチルフェノキシ）アセトアルデヒド；（Ｅ）−４−（４−ヒドロキシ−３−メトキシフェニル）ブタ−３−エン−２−オン；（Ｅ）−４−（３−ヒドロキシプロパ−１−エン−１−イル）−２，６−ジメトキシフェノール；１４−メチルペンタデカン−１−オール；（Ｅ）−３−（４−ヒドロキシ−３，５−ジメトキシフェニル）アクリルアルデヒド；（３Ｅ，５Ｅ）−３，６，１０−トリメチルウンデカ−３，５，９−トリエン−２−オン；（Ｅ）−２，５，９−トリメチルデカ−４，９−ジエナール；（Ｅ）−４−（ベンゾ［ｄ］［１，３］ジオキソール−５−イル）ブタ−３−エン−２−オン；４−（６，６−ジメチルビシクロ［３．１．１］ヘプタ−２−エン−２−イル）ブタナール；２，８，８−トリメチルオクタヒドロ−２Ｈ−４ａ，２−（エポキシメタノ）ナフタレン−１０−オン；（Ｅ）−３，６，１０−トリメチルウンデカ−３，９−ジエン−２−オン；ヘプタデカン−１−オール；（Ｅ）−３−メチル−５−（２，２，３−トリメチルシクロペンタ−３−エン−１−イル）ペンタ−３−エン−２−オン；（Ｅ）−２−メチル−４−（２，６，６−トリメチルシクロヘキサ−２−エン−１−イル）ブタ−３−エナール；（Ｅ）−２，６，１０−トリメチルウンデカ−５，９−ジエン−１−オール；１−メチル−４−（４−メチルペンチル）シクロヘキサ−３−エン−１−カルバルデヒド；（Ｅ）−３−（ベンゾ［ｄ］［１，３］ジオキソール−５−イル）−２−メチルアクリルアルデヒド；（Ｒ，Ｅ）−１−（２，６，６−トリメチルシクロヘキサ−２−エン−１−イル）ペンタ−１−エン−３−オン；（Ｅ）−２，６，１０−トリメチルウンデカ−５，９−ジエナール；２，６−ジ−ｔｅｒｔ−ブチル−４−（ヒドロキシメチル）フェノール；（Ｚ）−２−ベンジリデンヘキサナール；（４Ｅ，６Ｅ）−７，１１−ジメチルドデカ−４，６，１０−トリエン−３−オン；２，５−ジ−ｔｅｒｔ−ブチルベンゼン−１，４−ジオール；２−メトキシ−４−（４−メチル−１，３−ジオキソラン−２−イル）フェノール；（Ｚ）−２−（フラン−２−イルメチレン）オクタナール；（Ｅ）−１−（４−メトキシフェニル）ペンタ−１−エン−３−オン；３−（４−イソプロピルフェニル）−２−メチルプロパン−１−オール；オクタデカン−１−オール；３−（４−ヒドロキシ−４−メチルペンチル）シクロヘキサ−３−エン−１−カルバルデヒド；（Ｅ）−１−（４−メトキシフェニル）−４−メチルペンタ−１−エン−３−オン；（２Ｒ，４ａＲ，８ａＳ）−１，１，５，５−テトラメチルヘキサヒドロ−２Ｈ−２，４ａ−メタノナフタレン−８（５Ｈ）−オン；（Ｅ）−２，３−ジメチル−４−（２，６，６−トリメチルシクロヘキサ−２−エン−１−イル）ブタ−３−エナール；（２Ｅ，６Ｅ）−３，７，１１−トリメチルドデカ−２，６，１０−トリエナール；（Ｚ）−オクタデカ−９−エン−１−オール；２−メチル−３−（（１，７，７−トリメチルビシクロ［２．２．１］ヘプタン−２−イル）オキシ）プロパン−１−オール；（Ｅ）−２−メチル−１−（２，６，６−トリメチルシクロヘキサ−２−エン−１−イル）ペンタ−１−エン−３−オン；３−（４−（ｔｅｒｔ−ブチル）フェニル）−２−メチルプロパン−１−オール；（Ｚ）−２−メチル−１−（２，２，６−トリメチルシクロヘキサ−３−エン−１−イル）ペンタ−１−エン−３−オン；３−（（２−イソプロピル−５−メチルシクロヘキシル）オキシ）プロパン−１，２−ジオール；（Ｚ）−２−ベンジリデンヘプタナール；（Ｅ）−２−（（１Ｓ，３ａＲ，４Ｓ，８ａＳ）−４，８，８−トリメチルデカヒドロ−１，４−メタノアズレン−９−イリデン）エタン−１−オール；６−イソプロピルオクタヒドロナフタレン−２（１Ｈ）−オン；２−エトキシ−４−（４−メチル−１，３−ジオキソラン−２−イル）フェノール；（（２Ｓ，４ａＲ）−１，１，５，５−テトラメチル−１，３，４，５，６，７−ヘキサヒドロ−２Ｈ−２，４ａ−メタノナフタレン−８−イル）メタノール；（オクタヒドロ−１Ｈ−４，７−メタノインデン−２，５−ジイル）ジメタノール；（Ｅ）−１−（３，５，６−トリメチルシクロヘキサ−３−エン−１−イル）ペンタ−１−エン−３−オン；（Ｅ）−１−（２，４，６−トリメチルシクロヘキサ−３−エン−１−イル）ペンタ−１−エン−３−オン；（２Ｅ，６Ｅ，９Ｅ）−２，６，１０−トリメチルドデカ−２，６，９，１１−テトラエナール；（Ｅ）−カルコン；（Ｅ）−５−メチル−１−（２，６，６−トリメチルシクロヘキサ−２−エン−１−イル）ヘキサ−１−エン−３−オン；５，５，７，８，８−ペンタメチル−５，６，７，８−テトラヒドロナフタレン−２−カルバルデヒド；（４Ｒ，４ａＳ，６Ｒ，８ａＳ）−４，４ａ−ジメチル−６−（プロパ−１−エン−２−イル）オクタヒドロナフタレン−２（１Ｈ）−オン；２−（１，１，２，３，３−ペンタメチル−２，３−ジヒドロ−１Ｈ−インデン−５−イル）プロパン−１−オール；４−（５，５，６−トリメチルビシクロ［２．２．１］ヘプタン−２−イル）シクロヘキサン−１−オール；３−（（２Ｒ）−５，５，６−トリメチルビシクロ［２．２．１］ヘプタン−２−イル）シクロヘキサン−１−オール；３−エチル−５，５，８，８−テトラメチル−５，６，７，８−テトラヒドロナフタレン−２−カルバルデヒド；３−（５，５−ジメチル−６−メチレンビシクロ［２．２．１］ヘプタン−２−イル）シクロヘキサン−１−オール；２−オクチルドデカン−１−オール；２−メトキシ−４−（１，７，７−トリメチルビシクロ［２．２．１］ヘプタン−２−イル）フェノール；（７Ｒ，１１Ｒ，Ｅ）−３，７，１１，１５−テトラメチルヘキサデカ−２−エン−１−オール；１−フェネトキシ−２−（ｐ−トリルオキシ）エタン−１−オール；（７−イソプロピル−１，４ａ−ジメチルテトラデカヒドロフェナントレン−１−イル）メタノール；（７−イソプロピル−１，４ａ−ジメチル−１，２，３，４，４ｂ，５，６，７，８，８ａ，９，１０−ドデカヒドロ−４ａｌ５−フェナントレン−１−イル）メタノール；（１Ｅ，６Ｅ）−１，７−ビス（４−ヒドロキシ−３−メトキシフェニル）ヘプタ−１，６−ジエン−３，５−ジオン；（２Ｅ，４Ｅ，６Ｅ，８Ｅ，１０Ｅ，１２Ｅ，１４Ｅ，１６Ｅ）−２，６，１１，１５−テトラメチル−１７−（２，６，６−トリメチルシクロヘキサ−１−エン−１−イル）ヘプタデカ−２，４，６，８，１０，１２，１４，１６−オクタエナール、及びこれらの混合物からなる群から選択される有益剤のフラグメントである、パラグラフＡ〜Ｇに記載のシリコーン化合物。
【００４４】
Ｌ．当該のシリコーン部分が、式：
［Ｒ１Ｒ２Ｒ３ＳｉＯ１／２］（ｊ＋２ｌ＋２）［Ｒ４Ｒ５ＳｉＯ２／２］ｍ［Ｒ６ＳｉＯ３／２］ｊ［ＳｉＯ４／２］ｌ
［式中、
ａ）ｊは、０〜１５０、好ましくは０〜５０、より好ましくは０〜２０の整数であり、
ｂ）ｍは、０〜１５００、好ましくは１〜１５００、より好ましくは２０〜１０００、最も好ましくは２０〜４００の整数であり、
ｃ）ｌは、０〜１５０、好ましくは０〜１５０、より好ましくは０〜５０、最も好ましくは０〜２０の整数であり、
ただし、ｊ＋ｍ＋ｌは、１以上の整数に等しく、
ｄ）Ｒ１、Ｒ２、Ｒ３、Ｒ４、Ｒ５、及びＲ６部分のそれぞれは、独立して、Ｈ、ＯＨ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ６〜Ｃ３２置換アルキルアリール、Ｃ１〜Ｃ３２アルコキシ、及びＣ１〜Ｃ３２置換アルコキシ、及び−Ｘｔ−Ａ−Ｙからなる群から選択され、指数ｔは０又は１であり、ただし、部分Ｒ１〜Ｒ６の少なくとも１つは、−Ｘｔ−Ａ−Ｙであり、
（ｉ）各Ｘ部分は、独立して、１個〜２４個の炭素原子、好ましくは１個〜１６個の炭素原子、より好ましくは１個〜１２個の炭素原子、最も好ましくは２個〜１２個の炭素原子を含む置換又は非置換の二価のアルキレンラジカルであり、
（ｉｉ）各Ａ部分は、独立して、
【００４５】
【化１１】
2020525591.tif 000012
からなる群から選択され、（式中、Ｅは電子吸引基であり、好ましくは、Ｅは、Ｏ、Ｓ、アリール部分、及びアルケン部分からなる群から選択される）、
【００４６】
【化１２】
2020525591.tif 000013
（式中、Ｅは電子吸引基であり、好ましくは、Ｅは、Ｏ、Ｓ、ハロゲン化物、アリール部分、及びアルケン部分からなる群から選択される）、
【００４７】
【化１３】
2020525591.tif 000014
（式中、Ｅは電子求引基であり、好ましくは、Ｅは、Ｏ、Ｓ、アリール部分、及びアルケン部分からなる群から選択される）、及び
【００４８】
【化１４】
2020525591.tif 000015
（式中、各Ｔは、電子求引基Ｅ又はＲ７から選択され、好ましくは、Ｅは、Ｏ、Ｓ、アリール部分、及びアルケン部分からなる群から選択され、ただし、少なくとも１つのＴはＥである）、からなる群から選択され、各Ａ部分の各Ｒ７部分は、独立して、Ｈ、Ｃ１〜Ｃ３２アルキル、Ｃ１〜Ｃ３２置換アルキル、Ｃ６〜Ｃ３２アリール、Ｃ５〜Ｃ３２置換アリール、Ｃ６〜Ｃ３２アルキルアリール、Ｃ６〜Ｃ３２置換アルキルアリールからなる群から選択され；
各Ａ部分の各Ｚは、独立して、
【００４９】
【化１５】
2020525591.tif 000016
からなる群から選択され、
ｐは１〜３２の整数であり、好ましくはｐは１〜１０の整数であり、より好ましくはｐは２〜８の整数であり、最も好ましくはｐは２〜４の整数であり、
（ｉｉ）各Ｙ部分は、独立して、エーテル部分、アルケン部分、アルキン部分、アルデヒド部分、ケトン部分、エステル部分、カーボネート部分、アミド部分、ニトリル部分、ペルオキシド部分、アセタール部分、ヘミアセタール部分、ヘミケタール部分、ケタール部分、オルトエステル部分、オルトカーボネートエステル、イミン部分、イミド部分、アジド部分、アゾ部分、シアネート部分、ナイトレート部分、ライトライト部分、ニトロ部分、ニトロソ部分、オキシム、スルフィド部分、ジスルフィド部分、スルホキシド部分、スルホン部分、スルフィン酸部分、スルホン酸部分、チオシアネート部分、チオン部分、チアール部分、ホスフィン部分、ホスホン酸部分、ホスフェート部分、ホスホジエステル部分、ボロン酸部分、ボロン酸エステル部分、ボリン酸部分、ボリン酸エステル部分、アミノ部分、エポキシ部分、アルコキシ部分、ヒドロキシ部分、チオール部分、ハロゲン化物部分、オキシアルキレン部分、無水物部分、カルボキシ部分、シラン部分、シロキサン部分及び四級アンモニウム部分からなる群から選択される少なくとも１つの置換基を含むＣ１〜Ｃ３２アルキル、Ｃ５〜Ｃ３２アリール、及びＣ６〜Ｃ３２アルキルアリールからなる群から選択され、好ましくは、当該の少なくとも１つの置換基は、アミノ部分、エポキシ部分、アルコキシ部分、ヒドロキシ部分、チオール部分、ハロゲン化物部分、オキシアルキレン部分、無水物部分、カルボキシ部分、及び四級アンモニウム部分からなる群から選択され、より好ましくは、当該の少なくとも１つの置換基は、アミノ部分、ヒドロキシ部分、チオール部分、カルボキシ部分、及び四級アンモニウム部分からなる群から選択される。］を有するシリコーンから誘導される、パラグラフＡに記載のシリコーン化合物。
【００５０】
Ｍ．当該のシリコーン部分が誘導される当該のシリコーンの各Ａ部分が、独立して、
【００５１】
【化１６】
2020525591.tif 000017
からなる群から選択される、パラグラフＩに記載のシリコーン化合物。
【００５２】
Ｎ．当該のシリコーン部分が誘導される当該のシリコーンの各Ｙ部分が、独立して、
【００５３】
【化１７】
2020525591.tif 000018
及び
【００５４】
【化１８】
2020525591.tif 000019
からなる群から選択され、
ｂは０又は１であり、ただし、ｂ＝１である場合、窒素上の正電荷は適当なアニオンによって平衡化され、好ましくは、当該のアニオンは、メチルサルフェート、クロリド及びブロミドからなる群から選択され、各Ａ部分の各Ｚは、独立して、
【００５５】
【化１９】
2020525591.tif 000020
からなる群から選択され、
ｐは１〜３２の整数であり、好ましくはｐは１〜１０の整数であり、より好ましくはｐは２〜８の整数であり、最も好ましくはｐは２〜４の整数である、パラグラフＩに記載のシリコーン化合物。
【００５６】
Ｏ．当該のシリコーン部分が誘導される当該のシリコーンの各Ａ−Ｙ部分は、独立して、
【００５７】
【化２０】
2020525591.tif 000021
からなる群から選択され、
ｂは０又は１であり、ただし、ｂ＝１である場合、窒素上の正電荷は適当なアニオンによって平衡化され、好ましくは、当該のアニオンは、メチルサルフェート、クロリド及びブロミドからなる群から選択され、各Ａ部分の各Ｚは、独立して、
【００５８】
【化２１】
2020525591.tif 000022
からなる群から選択され、
ｐは１〜３２の整数であり、好ましくはｐは１〜１０の整数であり、より好ましくはｐは２〜８の整数であり、最も好ましくはｐは２〜４の整数である、パラグラフＩに記載のシリコーン化合物。
【００５９】
Ｐ．
ａ．）０．０００１％〜１０％、好ましくは０．０００２％〜１％、より好ましくは０．００５％〜０．５％、最も好ましくは０．００１％〜０．０５％のパラグラフＡ〜Ｏに記載のシリコーン化合物と、
ｂ．）消費者製品成分と、を含む、消費者製品組成物。
【００６０】
Ｑ．当該の消費者製品が、洗浄及び／又はトリートメント組成物であり、好ましくは、当該の消費者製品がビーズ又は単位用量製品である、パラグラフＰに記載の消費者製品。
【００６１】
好ましくは、当該のビーズは、ポリマー材料を含む固体粒子である。かかるポリマー材料の例としては、ポリエチレングリコール、デンプン及び多糖、ポリビニルアルコール、セルロースが挙げられる。かかる粒子は、更に、追加の構成成分、例えば他の有益剤、無機充填剤、例えば炭酸塩、ケイ酸塩、クレイ、金属酸化物を含んでよい。特に有用な粒子としては、ポリエチレングリコールに基づく粒子が挙げられる。
【００６２】
Ｒ．界面活性剤、色ケアポリマー、付着助剤、界面活性剤増強ポリマー、ｐＨ調整剤、製品色安定剤、防腐剤、溶媒、ビルダー、キレート剤、移染防止剤、分散剤、酵素及び酵素安定剤、触媒材料、漂白剤、漂白活性化剤、ポリマー分散剤、泥汚れ除去／再付着防止剤、増白剤、抑泡剤、染料、紫外線吸収剤、香料、追加の香料送達系、構造弾性化剤、増粘剤／構造化剤、布地柔軟剤、キャリア、ヒドロトロープ、オリゴアミン、加工助剤、色調剤、顔料、並びにこれらの混合物からなる群から選択される消費者製品成分を含む、パラグラフＱに記載の洗浄及び／又はトリートメント組成物。
【００６３】
Ｓ．パラグラフＡ〜Ｏに記載のシリコーン化合物とパッケージとを含む消費者製品であって、好ましくは、当該のパッケージが、当該のパッケージに取り付けられているか、又は付着されている、パラグラフＡ〜Ｌに記載のシリコーン化合物を有する、消費者製品。かかるパッケージは、包装紙又は容器を含む任意の形態をとることができる。パラグラフＡ〜Ｏに記載のシリコーン化合物は、かかるパッケージの外面及び／又は内面に付着するか又は取り付けることができる。当該のパッケージグは、キャップを有する容器を含んでもよく、パラグラフＡ〜Ｏに記載の当該のシリコーン化合物は、当該のキャップの外面又は内面に付着するか又は取り付けることができる。
【００６４】
Ｔ．パラグラフＡ〜Ｏに記載のシリコーン化合物及びディスプレイ材料を含む、ディスプレイであって、当該のシリコーン化合物が当該のディスプレイ材料に取り付けられているか、又は付着されている、ディスプレイ。
【００６５】
本発明の消費者製品は、任意の好適な形態に配合され、配合者によって選択される任意のプロセスによって調製され得、その非限定例は、米国特許第５，８７９，５８４号；米国特許第５，６９１，２９７号；米国特許第５，５７４，００５号；米国特許第５，５６９，６４５号；米国特許第５，５６５，４２２号；米国特許第５，５１６，４４８号；米国特許第５，４８９，３９２号；米国特許第５，４８６，３０３号に記載され、これら特許文献の開示は参照により本明細書に組み込まれる。
【００６６】
使用方法及びトリートメントされる部位
本明細書に開示されるシリコーン化合物を含有する組成物は、ある部位、とりわけ表面又は布地を洗浄又はトリートメントするのに使用することができる。典型的には、この部位の少なくとも一部分を、無希釈形態で、又は液体（例えば、洗い液）で希釈して、本出願人の組成物の実施形態と接触させた後、任意に、その部位を洗ってもよく及び／又はすすいでもよい。一態様では、ある部位が任意に洗われ及び／又はすすがれ、本発明による粒子と、又はかかる粒子を含む組成物と接触され、次に任意に洗われ及び／又はすすがれる。本発明の目的に関して、洗うこととしては、こすり洗い及び機械的撹拌が挙げられるが、これらに限定されない。布地は、標準的な消費者の使用条件で洗濯又はトリートメントすることが可能な、ほとんどどの布地を含んでもよい。開示の組成物を含み得る液体は、約３〜約１１．５のｐＨを有し得る。かかる組成物を、典型的には、溶液中約５００ｐｐｍ〜約１５，０００ｐｐｍの濃度で使用する。洗う溶媒が水である場合、水の温度は、典型的には約５℃〜約９０℃の範囲であり、部位が布地を含む場合、水と布地の比は、典型的には約１：１〜約３０：１である。
【００６７】
部位をトリートメント及び／又は洗浄する方法であって、
ａ．）任意に当該の部位を洗うこと及び／又はすすぐことと、
ｂ．）当該の部位をパラグラフＡ〜Ｏに記載のシリコーン化合物及び／又はパラグラフＰ〜Ｒに記載の消費者製品と接触させることと、
ｃ．）任意に当該の部位を洗うこと及び／又はすすぐことと、を含む、方法。
【００６８】
前述した乾燥は、外干し乾燥（line drying）などの受動的乾燥、及び／又はドライヤを用いるなどの能動的乾燥であってもよい。
【００６９】
パラグラフＡ〜Ｏに記載のシリコーン化合物及び／又はパラグラフＰ〜Ｒに記載の消費者製品で処理された、部位。
【００７０】
本明細書の有益剤及び香料原料は、Ｉｎｔｅｒｎａｔｉｏｎａｌ  Ｆｌａｖｏｒｓ  ａｎｄ  Ｆｒａｇｒａｎｃｅｓ（Ｎｅｗ  Ｙｏｒｋ，ＮＹ  ＵＳＡ）；Ｇｉｖａｕｄａｎ（Ｖｅｒｎｉｅｒ  Ｓｗｉｔｚｅｒｌａｎｄ）；Ｆｉｒｍｅｎｉｃｈ（Ｇｅｎｅｖａ，Ｓｗｉｔｚｅｒｌａｎｄ）；Ｓｙｍｒｉｓｅ（Ｈｏｌｚｍｉｎｄｅｎ，Ｇｅｒｍａｎｙ）；花王（東京）；高砂香料工業（東京）；及びＦｌｏｒａｓｙｎｔｈ（Ｔｅｌ−Ａｖｉｖ，Ｉｓｒａｅｌ）をはじめとする供給元から得ることができる。
【００７１】
有益剤送達組成物の製造プロセス
本出願に開示されるシリコーン化合物は、本明細書に開示した教示及び例により作製されてもよい。
【００７２】
シリコーン化合物に関する好適な形態としては、粒塊、エマルジョン、溶液、小球、ビーズ及びカプセル化物を含む固体及び流体が挙げられる。
【００７３】
一態様では、シリコーン化合物は、予め作製され、消費者製品、又は消費者製品に関する中間物に添加される。
【００７４】
一態様では、シリコーン化合物の構成成分は、消費者製品、又は消費者製品に関する中間物に添加され、シリコーン化合物は、ｉｎ  ｓｉｔｕで形成される。
【００７５】
一態様では、シリコーン化合物の構成成分は、消費者製品に別々に添加され、消費者による使用の前、使用中及び／又は使用後に消費者製品中でシリコーン化合物を形成することができる。
【００７６】
一態様では、追加の有益剤及び／又は有益剤送達系、例えば香料及び／又はカプセル化香料を使用して粒子、ビーズ及び／又は粒塊を形成するとき、上記追加の有益剤及び／又は有益剤送達系を上記粒子、ビーズ及び／又は粒塊に添加する前、添加中、又は添加した後に、本発明のシリコーン化合物を添加することができる。
【００７７】
一態様では、追加の有益剤及び／又は有益剤送達系、例えば香料及び／又はカプセル化香料を使用するとき、上記追加の有益剤及び／又は有益剤送達系を消費体に添加する前、添加中、又は添加した後に、本発明のシリコーン化合物を添加することができる。
【００７８】
本明細書に開示するプロセスで用いるのに好適な設備としては、連続攪拌槽型反応器、ホモジナイザー、タービン攪拌器、再循環ポンプ、パドルミキサー、プラウシェアミキサー（ploughshear mixer）、リボンブレンダー、縦軸造粒機、二軸押出成形機及びドラムミキサー（両方とも、バッチ式及び利用可能なときは連続プロセス構成である）、噴霧乾燥機、並びに押出成形機を挙げることができる。かかる設備は、Ｌｏｄｉｇｅ  ＧｍｂＨ（Ｐａｄｅｒｂｏｒｎ，Ｇｅｒｍａｎｙ）、Ｌｉｔｔｌｅｆｏｒｄ  Ｄａｙ，Ｉｎｃ．（Ｆｌｏｒｅｎｃｅ，Ｋｅｎｔｕｃｋｙ，Ｕ．Ｓ．Ａ．）、Ｆｏｒｂｅｒｇ  ＡＳ（Ｌａｒｖｉｋ，Ｎｏｒｗａｙ）、Ｇｌａｔｔ  Ｉｎｇｅｎｉｅｕｒｔｅｃｈｎｉｋ  ＧｍｂＨ（Ｗｅｉｍａｒ，Ｇｅｒｍａｎｙ）、Ｎｉｒｏ（Ｓｏｅｂｏｒｇ，Ｄｅｎｍａｒｋ）、Ｈｏｓｏｋａｗａ  Ｂｅｐｅｘ  Ｃｏｒｐ．（Ｍｉｎｎｅａｐｏｌｉｓ，Ｍｉｎｎｅｓｏｔａ，ＵＳＡ）、Ａｒｄｅ  Ｂａｒｉｎｃｏ（Ｎｅｗ  Ｊｅｒｓｅｙ，ＵＳＡ）、Ｗｅｎｇｅｒ（Ｓａｂｅｔｈａ，Ｋａｎｓａｓ  ＵＳＡ）から入手することができる。
【００７９】
シリコーン化合物を含む組成物
本出願人らの組成物は、本出願に開示されるシリコーン化合物の実施形態を含む。一態様では、かかる組成物は消費者製品であり得る。使用されるシリコーン化合物の正確な濃度は、かかる組成物を含む製品の種類及び最終用途によって決まるが、洗浄及び／又は布地トリートメント製品を含む消費者製品は、製品の総重量に基づいて、０．０００１重量％〜１０重量％、好ましくは０．０００２重量％〜１重量％、より好ましくは０．００５重量％〜０．５重量％、最も好ましくは０．００１重量％〜約０．０５重量％のＡ〜Ｌのシリコーン化合物を含むことができる。
【００８０】
一態様では、本出願に開示したシリコーン化合物の実施形態は、固体粒子、特にポリマー系粒子とされる。かかるポリマー粒子の例としては、ポリエチレングリコール、デンプン及び多糖、ポリビニルアルコール、セルロースを含む粒子が挙げられ得る。かかる粒子は、更に、追加の構成成分、例えば他の有益剤、無機充填剤、例えば炭酸塩、ケイ酸塩、クレイ、金属酸化物を含んでよい。特に有用な粒子としては、ポリエチレングリコールに基づく粒子が挙げられる。
【００８１】
補助材料
本発明の各消費者製品実施形態に必須ではないが、以下に例示される補助剤の非限定的なリストは、本消費者製品における使用に好適であり、例えば、性能を補助若しくは強化するために、洗浄される基材のトリートメントのために、又は香料、着色剤、染料などを用いる場合のように組成物の美観を変化させるために、望ましくは本発明の特定の実施形態に組み込まれてもよい。これらの追加の構成成分の正確な性質及びそれを組み込む濃度は、組成物の物理形態及び使用される作業の性質に依存する。好適な補助材料としては、界面活性剤、色ケアポリマー、付着助剤、界面活性剤増強ポリマー、ｐＨ調整剤、製品色安定剤、防腐剤、溶媒、ビルダー、キレート剤、移染防止剤、分散剤、酵素、及び酵素安定剤、触媒材料、漂白剤、漂白活性化剤、ポリマー分散剤、泥汚れ除去／再付着防止剤、増白剤、泡抑制剤、染料、紫外線吸収剤、香料及び香料送達系、構造弾性化剤、増粘剤／構造化剤、布地柔軟剤、キャリア、ヒドロトロープ、オリゴアミン、加工助剤、色調剤、並びに／又は顔料が挙げられるが、これらに限られない。
【００８２】
上述のように、補助成分は、本発明の各消費者製品実施形態に必須のものではない。したがって、本出願者らの組成物の特定の実施形態は、以下の補助材料、すなわち、界面活性剤、色ケアポリマー、付着助剤、界面活性剤強化ポリマー、ｐＨ調節剤、製品色安定剤、防腐剤、溶媒、ビルダー、キレート剤、移染防止剤、分散剤、酵素、及び酵素安定剤、触媒材料、漂白剤、漂白活性化剤、ポリマー分散剤、泥汚れ除去／再付着防止剤、増白剤、泡抑制剤、染料、紫外線吸収剤、香料及び香料送達系、構造弾性化剤、増粘剤／構造化剤、布地柔軟剤、キャリア、ヒドロトロープ、オリゴアミン、加工助剤、色調剤、及び／又は顔料の１種以上を含有しない。しかし、１種以上の補助剤が存在する場合、かかる１種以上の補助剤は、以下に詳述されているとおり存在してもよい。
【００８３】
好適な布地柔軟剤活性物質
本明細書に開示する流体布地強化剤組成物は、布地柔軟剤活性物質（「ＦＳＡ」）を含む。好適な布地柔軟化活性物質には、四級アンモニウム化合物（クォート（ｑｕａｔ））、アミン、脂肪酸エステル、ショ糖エステル、シリコーン、分散性ポリオレフィン、粘土、多糖、脂肪酸、ソフトニングオイル、ポリマーラテックス、及びこれらの混合物からなる群から選択される物質が挙げられるが、これらに限定されない。
【００８４】
クォート−好適なクォートとしては、四級アンモニウムエステル、アミドクォート、イミダゾリンクォート、アルキルクォート、アミドエステル（amdioester）クォート、及びこれらの混合物からなる群から選択される材料が挙げられるが、これらに限定されない。
【００８５】
四級アンモニウムエステル柔軟化活性物質は、組成物の３．０重量％〜２５．０重量％、より好ましくは４．０重量％〜１８重量％、更により好ましくは４．５重量％〜１５重量％の濃度で存在し得る。四級アンモニウムエステル柔軟化活性物質の濃度は、組成物（希釈又は濃縮組成物）中の全柔軟化活性物質の所望の濃度、及び他の柔軟化活性物質の有無に依存し得る。より高いＦＳＡ濃度により柔軟性の効果は改善されるが、不安定性に対するリスクは、典型的には、より高いＦＳＡ濃度を有する布地柔軟剤組成物においてより高くなる。
【００８６】
好適な四級アンモニウムエステル柔軟化活性物質としては、モノエステルクワット、ジエステルクワット、トリエステルクワット及びこれらの混合物からなる群から選択される物質が挙げられるが、これらに限定されない。好ましくは、モノエステルクワットの濃度は、全四級アンモニウムエステル柔軟化活性物質の２．０重量％〜４０．０重量％であり、ジエステルクワットの濃度は、４０．０重量％〜９８．０重量％であり、トリエステルクワットの濃度は、０．０重量％〜２５．０重量％である。
【００８７】
当該の四級アンモニウムエステル柔軟化活性物質は、以下の式：
｛Ｒ２（４−ｍ）−Ｎ＋−［Ｘ−Ｙ−Ｒ１］ｍ｝Ａ−
［式中、
ｍは、１、２又は３であり、ただし、各ｍの値は同一であり、
各Ｒ１は、独立して、ヒドロカルビル基又は分枝状ヒドロカルビル基であり、好ましくは、Ｒ１は直鎖状であり、より好ましくは、Ｒ１は、部分不飽和直鎖状アルキル鎖であり、
各Ｒ２は、独立して、Ｃ１〜Ｃ３アルキル基又はヒドロキシアルキル基であり、好ましくは、Ｒ２は、メチル、エチル、プロピル、ヒドロキシエチル、２−ヒドロキシプロピル、１−メチル−２−ヒドロキシエチル、ポリ（Ｃ２〜３アルコキシ）、ポリエトキシ、ベンジルから選択され、
各Ｘは、独立して、−（ＣＨ２）ｎ−、−ＣＨ２−ＣＨ（ＣＨ３）−又は−ＣＨ−（ＣＨ３）−ＣＨ２−であり、
各ｎは、独立して、１、２、３又は４であり、好ましくは、各ｎは２であり、
各Ｙは、独立して、−Ｏ−（Ｏ）Ｃ−又は−Ｃ（Ｏ）−Ｏ−であり、
Ａ−は、独立して、クロリド、メチルサルフェート、及びエチルサルフェートからなる群から選択され、好ましくはＡ−はクロリド及びメチルサルフェートからなる群から選択され、
ただし、Ｙが−Ｏ−（Ｏ）Ｃ−であるとき、各Ｒ１における炭素の合計は１３〜２１、好ましくは１３〜１９である］の化合物を含んでよい。好ましくは、四級アンモニウムエステル柔軟化活性物質の加水分解安定性を改善するために、ひいては布地柔軟剤組成物の安定性を更に改善するために、Ｘは、−ＣＨ２ＣＨ（ＣＨ３）−又は−ＣＨ−（ＣＨ３）−ＣＨ２−である。
【００８８】
好ましい液体布地柔軟剤組成物では、四級アンモニウム布地柔軟化活性物質を形成する親脂肪酸のヨウ素価は、０〜１００、より好ましくは１０〜６０、更により好ましくは１５〜４５である。
【００８９】
好適な四級アンモニウムエステル柔軟化活性物質の例は、ＫＡＯ  ＣｈｅｍｉｃａｌｓからＴｅｔｒａｎｙｌ  ＡＴ−１及びＴｅｔｒａｎｙｌ  ＡＴ−７５９０という商品名で、ＥｖｏｎｉｋからＲｅｗｏｑｕａｔ  ＷＥ１６  ＤＰＧ、Ｒｅｗｏｑｕａｔ  ＷＥ１８、Ｒｅｗｏｑｕａｔ  ＷＥ２０、Ｒｅｗｏｑｕａｔ  ＷＥ２８及びＲｅｗｏｑｕａｔ  ３８  ＤＰＧという商品名で、ＳｔｅｐａｎからＳｔｅｐａｎｔｅｘ  ＧＡ９０、Ｓｔｅｐａｎｔｅｘ  ＶＲ９０、Ｓｔｅｐａｎｔｅｘ  ＶＫ９０、Ｓｔｅｐａｎｔｅｘ  ＶＡ９０、Ｓｔｅｐａｎｔｅｘ  ＤＣ９０、Ｓｔｅｐａｎｔｅｘ  ＶＬ９０Ａという商品名で市販されている。
【００９０】
これらのタイプの薬剤及びそれらの一般的な製造方法は、米国特許第４，１３７，１８０号に開示されている。
【００９１】
シリコーン
一実施形態において、布地柔軟化組成物は、シリコーンを含む。シリコーンの好適な濃度は、当該の組成物の約０．１重量％〜約７０重量％、あるいは約０．３重量％〜約４０重量％、あるいは約０．５重量％〜約３０重量％、あるいは約１重量％〜約２０重量％を構成し得る。有用なシリコーンは、任意のシリコーン含有化合物であり得る。一実施形態において、シリコーンポリマーは、環状シリコーン、ポリジメチルシロキサン、アミノシリコーン、カチオン性シリコーン、シリコーンポリエーテル、シリコーン樹脂、シリコーンウレタン、及びこれらの混合物からなる群から選択される。一実施形態において、シリコーンは、ポリジアルキルシリコーン、あるいはポリジメチルシリコーン（ポリジメチルシロキサン又は「ＰＤＭＳ」）、又はこれらの誘導体である。別の実施形態において、シリコーンは、アミノ官能性シリコーン、アミノ−ポリエーテルシリコーン、アルキルオキシル化シリコーン、カチオン性シリコーン、エトキシル化シリコーン、プロポキシル化シリコーン、エトキシル化／プロポキシル化シリコーン、四級シリコーン、又はこれらの組み合わせから選択される。
【００９２】
界面活性剤
いくつかの例では、追加の界面活性剤は、１種以上のアニオン性界面活性剤を含む。いくつかの例では、追加の界面活性剤は、１種以上のアニオン性界面活性剤から本質的になってもよく、又は更には１種以上のアニオン性界面活性剤からなってもよい。
【００９３】
好適なアニオン性界面活性剤の具体的な非限定例としては、任意の従来のアニオン性界面活性剤が挙げられる。これは、例えばアルコキシル化及び／又は非アルコキシル化アルキルサルフェート材料用のサルフェート洗浄性界面活性剤、及び／又はスルホン酸系洗浄性界面活性剤、例えばアルキルベンゼンスルホネートを含んでもよい。
【００９４】
アルコキシル化アルキルサルフェート材料は、アルキルエーテルサルフェート又はアルキルポリエトキシレートサルフェートとしても公知のエトキシル化アルキルサルフェート界面活性剤を含む。エトキシル化アルキルサルフェートの例としては、水溶性塩、特に約８個〜約３０個の炭素原子を含有するアルキル基並びにスルホン酸及びその塩を分子構造の中に有する有機硫黄化合物のアルカリ金属塩、アンモニウム塩、及びアルキロールアンモニウム塩が挙げられる。（「アルキル」という用語には、アシル基のアルキル部分が含まれる。いくつかの例では、アルキル基は、約１５個の炭素原子〜約３０個の炭素原子を含有する。別の例では、アルキルエーテルサルフェート界面活性剤は、約１２個〜３０個の炭素原子の範囲内の平均（算術平均）炭素鎖長、及びいくつかの例では約１２個〜１５個の炭素原子の平均炭素鎖長、並びに約１ｍｏｌ〜４ｍｏｌのエチレンオキシドの平均（算術平均）エトキシル化度、及びいくつかの例では約１．８ｍｏｌから約４ｍｏｌのエチレンオキシドの平均（算術平均）エトキシル化度を有する、アルキルエーテルサルフェートの混合物であってもよい。更なる例では、アルキルエーテルサルフェート界面活性剤は、約１０個の炭素原子〜約１８個の炭素原子の炭素鎖長、及び約１モル〜約６モルのエチレンオキシドのエトキシル化度を有していてよい。更なる例では、アルキルエーテルサルフェート界面活性剤は、ピークのあるエトキシル化分布を含んでもよい。
【００９５】
非エトキシル化アルキルサルフェートはまた、開示されている洗浄組成物に添加されて、アニオン性界面活性剤の構成成分として使用されてもよい。非アルコキシル化、例えば、非エトキシル化アルキルサルフェート界面活性剤の例としては、高級Ｃ８〜Ｃ２０脂肪族アルコールのサルフェート化によって生成されるものが挙げられる。いくつかの例では、一級アルキルサルフェート界面活性剤は、一般式：ＲＯＳＯ３−Ｍ＋［式中、Ｒは、典型的には、直鎖状Ｃ８〜Ｃ２０ヒドロカルビル基（この基は、直鎖状であっても分枝鎖状であってもよい）であり、Ｍは、水可溶化カチオンである］を有する。いくつかの例では、Ｒは、Ｃ１０〜Ｃ１５アルキルであり、Ｍは、アルカリ金属である。他の例では、Ｒは、Ｃ１２〜Ｃ１４アルキルであり、Ｍは、ナトリウムである。
【００９６】
他の有用なアニオン性界面活性剤は、アルキル基が約９個〜約１５個の炭素原子を直鎖（直鎖状）又は分枝鎖状の配置で含有する、アルキルベンゼンスルホネートのアルカリ金属塩を含み得る。いくつかの例では、アルキル基は、直鎖状である。かかる直鎖状アルキルベンゼンスルホネートは、「ＬＡＳ」として公知である。他の例では、直鎖状アルキルベンゼンスルホネートは、アルキル基中に約１１〜１４個の平均炭素原子数を有していてよい。具体的な例では、直鎖状の直鎖状アルキルベンゼンスルホネートは、アルキル基中に約１１．８個の炭素原子の平均炭素原子数を有していてよく、これはＣ１１．８ＬＡＳと略される場合もある。
【００９７】
好適なアルキルベンゼンスルホネート（ＬＡＳ）は、市販の直鎖状アルキルベンゼン（ＬＡＢ）をスルホン化することによって得ることができる。好適なＬＡＢとしては、商品名Ｉｓｏｃｈｅｍ（登録商標）としてＳａｓｏｌによって供給されているもの又は商品名Ｐｅｔｒｅｌａｂ（登録商標）としてＰｅｔｒｓａによって供給されているものなどの低２−フェニルＬＡＢが挙げられ、他の好適なＬＡＢとしては、商品名Ｈｙｂｌｅｎｅ（登録商標）としてＳａｓｏｌによって供給されているものなどの高２−フェニルＬＡＢが挙げられる。好適なアニオン性洗浄性界面活性剤は、ＤＥＴＡＬ触媒プロセスによって得られるアルキルベンゼンスルホネートであるが、ＨＦなどの他の合成経路が好適な場合もある。一態様では、ＬＡＳのマグネシウム塩を用いる。
【００９８】
非イオン性界面活性剤
いくつかの態様では、追加の界面活性剤は、１種以上の非イオン性界面活性剤を含む。特定の態様では、洗剤組成物は、組成物の約０．１重量％〜約４０重量％の、１種以上の非イオン性界面活性剤から選択される追加の界面活性剤を含む。特定の態様では、洗剤組成物は、組成物の約０．１重量％〜約１５重量％の、１種以上の非イオン性界面活性剤から選択される追加の界面活性剤を含む。更なる態様では、洗剤組成物は、組成物の約０．３重量％〜約１０重量％の、１種以上の非イオン性界面活性剤から選択される追加の界面活性剤を含む。
【００９９】
本明細書で有用な好適な非イオン性界面活性剤は、任意の従来の非イオン性界面活性剤を含むことができる。これらは、例えば、アルコキシル化脂肪族アルコール、及びアミンオキシド界面活性剤を含み得る。いくつかの例では、本洗浄組成物は、エトキシル化非イオン性界面活性剤を含有し得る。非イオン性界面活性剤は、式Ｒ（ＯＣ２Ｈ４）ｎＯＨ［式中、Ｒは、約８個〜約１７個の炭素原子を含有する脂肪族炭化水素ラジカル、及びアルキル基が約８個〜約１２個の炭素原子を含有するアルキルフェニルラジカルからなる群から選択され、ｎの平均値は、約５〜約１５である］のエトキシル化アルコール及びエトキシル化アルキルフェノールから選択され得る。一例では、非イオン性界面活性剤は、アルコール中に平均約２４個の炭素原子及びアルコール１モル当たりエチレンオキシド約９モルの平均エトキシル化度を有する、エトキシル化アルコールから選択される。
【０１００】
本明細書で有用な、非イオン性界面活性剤のその他の非限定例としては、Ｃ８〜Ｃ１８アルキルエトキシレート、例えばＳｈｅｌｌからの、ＮＥＯＤＯＬ（登録商標）非イオン性界面活性剤；アルコキシレート単位がエチレンオキシ単位、プロピレンオキシ単位、又はこれらの混合物であり得るＣ６〜Ｃ１２アルキルフェノールアルコキシレート；Ｃ１２〜Ｃ１８アルコール、及びエチレンオキシド／プロピレンオキシドブロックポリマーとのＣ６〜Ｃ１２アルキルフェノール縮合物、例えば、ＢＡＳＦ製のＰｌｕｒｏｎｉｃ（登録商標）；Ｃ１４〜Ｃ２２中鎖分枝状アルコール、アルキル多糖、ポリヒドロキシ脂肪酸アミド及びエーテル封鎖された（capped）ポリ（オキシアルキル化）アルコール界面活性剤が挙げられる。
【０１０１】
カチオン性界面活性剤
いくつかの例では、追加の界面活性剤は、１種以上のカチオン性界面活性剤を含む。
【０１０２】
特定の態様では、洗剤組成物は、組成物の約０．１重量％〜約１０重量％の、１種以上のカチオン性界面活性剤から選択される追加の界面活性剤を含む。特定の態様では、洗剤組成物は、組成物の約０．１重量％〜約７重量％の、１種以上のカチオン性界面活性剤から選択される追加の界面活性剤を含む。更なる態様では、洗剤組成物は、組成物の約０．３重量％〜約５重量％の、１種以上のカチオン性界面活性剤から選択される追加の界面活性剤を含む。
【０１０３】
酵素
本明細書において記載されている洗浄組成物は、洗浄性能及び／又は布地ケア効果をもたらす１種以上の酵素を含み得る。好適な酵素の例としては、ヘミセルラーゼ、ペルオキシダーゼ、プロテアーゼ、セルラーゼ、キシラナーゼ、リパーゼ、キシログルカナーゼ、ホスホリパーゼ、エステラーゼ、クチナーゼ、ペクチナーゼ、マンナナーゼ、ペクチン酸リアーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、及びアミラーゼ、又はこれらの混合物が挙げられるが、これらに限定されない。典型的な組み合わせは、例えば、プロテアーゼ及びリパーゼをアミラーゼと共に含んでよい酵素カクテルである。前述の追加の酵素は、洗剤組成物中に存在する場合、洗剤組成物の約０．００００１重量％〜約２重量％、約０．０００１重量％〜約１重量％、又は更には約０．００１重量％〜約０．５重量％の酵素タンパク質の濃度で存在し得る。
【０１０４】
構造化剤／増粘剤
ｉ．非細菌由来セルロース繊維
一態様において、本組成物は、組成物の約０．０１〜約５重量％のセルロース繊維を更に含むことができる。当該のセルロース繊維は、野菜、果物又は木材から抽出することができる。市販の例は、ＦＭＣ製のＡｖｉｃｅｌ（登録商標）、Ｆｉｂｅｒｓｔａｒ製のＣｉｔｒｉ−Ｆｉ、又はＣｏｓｕｎ製のＢｅｔａｆｉｂである。
【０１０５】
ｉｉ．非ポリマー結晶質ヒドロキシル官能性材料
一態様において、本組成物は、組成物の約０．０１重量％〜約１重量％の非ポリマー結晶質ヒドロキシル官能性構造化剤を更に含むことができる。当該の非ポリマー結晶性ヒドロキシル官能性構造化剤は、概して、最終流体洗剤組成物への分散を補助するために、事前乳化が可能な結晶性グリセリドを含むことができる。一態様では、結晶性グリセリドは、液体洗剤組成物において結晶化させることが可能な限り、水素添加ヒマシ油すなわち「ＨＣＯ」、又はその誘導体を含むことができる。
【０１０６】
ｉｉｉ．ポリマー構造化剤
本発明の流体洗剤組成物は、約０．０１重量％〜約５重量％の天然由来及び／又は合成のポリマー構造化剤を含むことができる。本発明において使用される天然由来のポリマー構造化剤の例としては、ヒドロキシエチルセルロース、疎水変性ヒドロキシエチルセルロース、カルボキシメチルセルロース、多糖誘導体、及びこれらの混合物が挙げられる。好適な多糖誘導体としては、ペクチン、アルギネート、アラビノガラクタン（アラビアガム）、カラギーナン、ジェランガム、キサンタンガム、グアーガム、及びこれらの混合物が挙げられる。本発明において使用する合成ポリマー構造化剤の例としては、ポリカルボキシレート、ポリアクリレート、疎水変性エトキシル化ウレタン、疎水変性非イオン性ポリオール、及びこれらの混合物が挙げられる。一態様において、当該のポリカルボキシレートポリマーは、ポリアクリレート、ポリメタクリレート、又はこれらの混合物である。別の態様では、ポリアクリレートは、不飽和モノ又はジ炭酸と、（メタ）アクリル酸のＣ１〜Ｃ３０アルキルエステルとのコポリマーである。当該のコポリマーは、Ｃａｒｂｏｐｏｌ  Ａｑｕａ  ３０という商品名でＮｏｖｅｏｎ  ｉｎｃから入手可能である。
【０１０７】
アミン
本明細書で記載される洗浄組成物において、汚れた材料からのグリース及び微粒子の追加的な除去のために様々なアミンが使用され得る。本明細書において記載されている洗剤組成物は、洗浄組成物の約０．１重量％〜約１０重量％、いくつかの例では、約０．１重量％〜約重量４％、及び別の例では、約０．１重量％〜約２重量％の追加のアミンを含み得る。アミンの非限定例としては、ポリアミン、オリゴアミン、トリアミン、ジアミン、ペンタアミン、テトラアミン、ポリエーテルアミン、又はこれらの組合せが挙げられるが、これらに限定されない。好適な追加のアミンの具体例としては、テトラエチレンペンタアミン、トリエチレンテトラアミン、ジエチレントリアミン、ポリエーテルアミン、又はこれらの混合物が挙げられる。好適なポリエーテルアミンは、式（Ｉ）：
【０１０８】
【化２２】
2020525591.tif 000023
［式中、Ｒ１〜Ｒ６のそれぞれは、独立して、Ｈ、アルキル、シクロアルキル、アリール、アルキルアリール、又はアリールアルキルから選択され、Ｒ１〜Ｒ６のうちの少なくとも１つはＨとは異なり、Ｒ１〜Ｒ６のうちの少なくとも１つは、典型的には、２個〜８個の炭素原子を有するアルキル基であり、Ａ１〜Ａ６のそれぞれは、独立して、２個〜１８個の炭素原子、典型的には２個〜１０個の炭素原子、より典型的には２個〜５個の炭素原子を有する直鎖状又は分枝状アルキレンから選択され、Ｚ１〜Ｚ２のそれぞれは、独立して、ＯＨ又はＮＨ２から選択され、Ｚ１〜Ｚ２のうちの少なくとも１つは、ＮＨ２であり、典型的には、Ｚ１及びＺ２のそれぞれは、ＮＨ２であり、ｘ＋ｙの合計は、約２〜約２００、典型的には約２〜約２０又は約３〜約２０、より典型的には約２〜約１０又は約３〜約８又は約４〜約６の範囲内であり、ｘ≧１及びｙ≧１であり、ｘ１＋ｙ１の合計は、約２〜約２００、典型的には約２〜約２０又は約３〜約２０、より典型的には約２〜約１０又は約３〜約８又は約２〜約４の範囲内であり、ｘ１≧１及びｙ１≧１である］の構造により表される。好適な別のポリエーテルアミンは、式（ＩＩ）：
【０１０９】
【化２３】
2020525591.tif 000024
［式中、Ｒ７〜Ｒ１２のそれぞれは、独立して、Ｈ、アルキル、シクロアルキル、アリール、アルキルアリール、又はアリールアルキルから選択され、Ｒ７〜Ｒ１２のうちの少なくとも１つはＨとは異なり、Ｒ７〜Ｒ１２のうちの少なくとも１つは、典型的には２個〜８個の炭素原子を有するアルキル基であり、Ａ７〜Ａ９のそれぞれは、独立して、２個〜１８個の炭素原子、典型的には２個〜１０個の炭素原子、より典型的には２個〜５個の炭素原子を有する直鎖状又は分枝状アルキレンから選択され、Ｚ３〜Ｚ４のそれぞれは、独立して、ＯＨ又はＮＨ２から選択され、Ｚ３〜Ｚ４のうちの少なくとも１つは、ＮＨ２であり、典型的には、Ｚ３及びＺ４のそれぞれは、ＮＨ２であり、ｘ＋ｙの合計は、約２〜約２００、典型的には約２〜約２０又は約３〜約２０、より典型的には約２〜約１０又は約３〜約８又は約２〜約４の範囲内であり、ｘ≧１及びｙ≧１であり、ｘ１＋ｙ１の合計は、約２〜約２００、典型的には約２〜約２０又は約３〜約２０、より典型的には約２〜約１０又は約３〜約８又は約２〜約４の範囲内であり、ｘ１≧１及びｙ１≧１である］の構造により表される。
【０１１０】
好適な別のポリエーテルアミンは、式（ＩＩＩ）：
【０１１１】
【化２４】
2020525591.tif 000025
の構造により表される。
【０１１２】
溶媒−好適な溶媒としては、水、アルコール、パラフィン、グリコール、グリセロール、及びこれらの混合物が挙げられるが、これらに限定されない。
【０１１３】
漂白剤−本発明の洗剤組成物としては、１種以上の漂白剤を含んでよい。漂白触媒以外の好適な漂白剤は、光触媒、漂白活性化剤、過酸化水素、過酸化水素源、予め形成させた過酸、及びこれらの混合物が挙げられる。概して、漂白剤を用いる場合、本発明の洗剤組成物は、洗剤組成物の約０．１重量％〜約５０重量％又は更には約０．１重量％〜約２５重量％の漂白剤を含み得る。好適な漂白剤の例としては以下が挙げられる。
（１）光漂白剤、例えば、スルホン化亜鉛フタロシアニン、スルホン化アルミニウムフタロシアニン、キサンテン染料、及びこれらの混合物、
（２）予め形成させた過酸：好適な予め形成させた過酸としては、過カルボン酸及び塩、過炭酸及び塩、過イミド酸及び塩、ペルオキシ一硫酸及び塩、例えば、Ｏｘｏｎｅ（登録商標）、並びにこれらの混合物からなる群から選択される化合物が挙げられるが、これらに限定されない。好適な過カルボン酸としては、式Ｒ−（Ｃ＝Ｏ）Ｏ−Ｏ−Ｍ［式中、Ｒはアルキル基であり、任意に分枝鎖状であり、過酸が疎水性の場合、６個〜１４個の炭素原子、又は８個〜１２個の炭素原子を有しており、過酸が親水性の場合、６個未満の炭素原子、又は更には４個未満の炭素原子を有しており；Ｍは、対イオン、例えば、ナトリウム、カリウム又は水素である］を有する疎水性及び親水性過酸が挙げられ、
（３）過酸化水素源、例えば、無機過水和物の塩としては、過ホウ酸塩（通常、一水和物又は四水和物）、過炭酸塩、過硫酸塩、過リン酸塩、過ケイ酸塩及びこれらの混合物のナトリウム塩などのアルカリ金属塩が挙げられる。本発明の一態様では、無機過水和物の塩は、過ホウ酸ナトリウム塩、過炭酸ナトリウム塩、及びこれらの混合物からなる群から選択される。無機過水和物の塩は、使用する場合、典型的には、布地ケア及びホームケア製品全体の０．０５〜４０重量％又は１〜３０重量％の量で存在し、典型的には、コーティングされ得る結晶質固体としてかかる布地ケア及びホームケア製品に組み込まれる。好適なコーティングとしては、無機塩、例えば、アルカリ金属ケイ酸塩、炭酸塩若しくはホウ酸塩又はこれらの混合物、又は有機物質、例えば、水溶性若しくは分散性ポリマー、ワックス、油又は脂肪石鹸、並びに
（４）漂白活性化剤であって、Ｒ−（Ｃ＝Ｏ）−Ｌ［式中、Ｒはアルキル基であり、任意に分分枝鎖状であり、漂白活性化剤が疎水性である場合、６個〜１４個の炭素原子、又は８個〜１２個の炭素原子を有し、漂白活性化剤が親水性である場合、６個未満の炭素原子又は更には４個未満の炭素原子を有し、Ｌは脱離基である］を有する漂白活性化剤が挙げられる。好適な脱離基の例は、安息香酸及びその誘導体、特にベンゼンスルホネートである。好適な漂白活性化剤としては、ドデカノイルオキシベンゼンスルホネート、デカノイルオキシベンゼンスルホネート、デカノイルオキシ安息香酸又はその塩、３，５，５−トリメチルヘキサノイルオキシベンゼンスルホネート、テトラアセチルエチレンジアミン（ＴＡＥＤ）及びノナノイルオキシベンゼンスルホネート（ＮＯＢＳ）が挙げられる。任意の好適な漂白活性化剤も使用してもよいが、本発明の一態様では、対象の洗剤組成物は、ＮＯＢＳ、ＴＡＥＤ又はこれらの混合物を含んでもよい。
【０１１４】
過酸及び／又は漂白活性化剤は、存在する場合、概して、布地ケア及びホームケア製品に基づいて、約０．１重量％〜約６０重量％、約０．５重量％〜約４０重量％、又は更には約０．６重量％〜約１０重量％の量で洗剤組成物中に存在する。１種以上の疎水性過酸又はその前駆体は、１種以上の親水性過酸又はその前駆体と組み合わせて使用することができる。
【０１１５】
有効酸素（過酸化物源由来）と過酸とのモル比が１：１〜３５：１、又は更には２：１〜１０：１になるように、過酸化水素源及び過酸又は漂白活性化剤の量を選択してもよい。
【０１１６】
増白剤
光学的増白剤若しくはその他の増白剤、又は白化剤は、組成物の約０．０１重量％〜約１．２重量％の濃度で本明細書に記載されている洗浄組成物に組み込むことができる。本発明に好適な市販の蛍光増白剤は、サブグループに分類することができ、それには、スチルベン、ピラゾリン、クマリン、ベンゾキサゾール、カルボン酸、メチンシアニン、ジベンゾチオフェン−５，５−ジオキシド、アゾール、５及び６員環の複素環、並びに他の様々な薬剤の誘導体が挙げられるが、これらに限定されない。
【０１１７】
いくつかの例では、本明細書の蛍光増白剤は、式（１）：
【０１１８】
【化２５】
2020525591.tif 000026
［式中、Ｘ１、Ｘ２、Ｘ３、及びＸ４は−Ｎ（Ｒ１）Ｒ２であり、式中、Ｒ１及びＲ２は、独立して、水素、フェニル、ヒドロキシエチル、又は非置換若しくは置換Ｃ１〜Ｃ８アルキルから選択されるか、又は−Ｎ（Ｒ１）Ｒ２は複素環を形成し、好ましくはＲ１及びＲ２は、独立して、水素又はフェニルから選択されるか、又は−Ｎ（Ｒ１）Ｒ２は非置換又は置換モルホリン環を形成し；Ｍは水素又はカチオンであり、好ましくはＭはナトリウム又はカリウムであり、より好ましくはＭはナトリウムである］の化合物を含む。
【０１１９】
水溶性フィルム
本発明の組成物はまた、水溶性フィルム内にカプセル化されてもよい。好ましいフィルム材料は、好ましくはポリマー材料である。フィルム材料を、当該技術分野において公知の、例えば、ポリマー材料の注型成形、吹込成形、押出成形又は吹込押出成形によって得ることができる。
【０１２０】
パウチ材料として使用するのに好適な好ましいポリマー、コポリマー又はこれらの誘導体は、ポリビニルアルコール、ポリビニルピロリドン、ポリアルキレンオキシド、アクリルアミド、アクリル酸、セルロース、セルロースエーテル、セルロースエステル、セルロースアミド、ポリビニルアセテート、ポリカルボン酸及び塩、ポリアミノ酸又はペプチド、ポリアミド、ポリアクリルアミド、マレイン酸／アクリル酸のコポリマー、デンプン及びゼラチンを含む多糖類、キサンタン及びカラゴムなどの天然ゴムから選択される。より好ましいポリマーは、ポリアクリレート及び水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレートから選択され、最も好ましくは、ポリビニルアルコール、ポリビニルアルコールコポリマー及びヒドロキシプロピルメチルセルロース（ＨＰＭＣ）、並びにこれらの組み合わせから選択される。好ましくは、パウチ材料中のポリマー、例えば、ＰＶＡポリマーの濃度は、少なくとも６０％である。ポリマーは、任意の重量平均分子量を有してもよく、好ましくは、約１０００〜１，０００，０００、より好ましくは、約１０，０００〜３００，０００、更により好ましくは、約２０，０００〜１５０，０００である。また、ポリマーの混合物をパウチ材料として使用してもよい。
【０１２１】
当然のことながら、異なるフィルム材料及び／又は異なる厚さのフィルムを、本発明の区画の作製に用いてよい。異なるフィルムを選択する効果は、得られる区画が、異なる溶解性又は放出特性を示し得ることである。
【０１２２】
最も好ましいフィルム材料は、ＭｏｎｏＳｏｌの取引照会にてＭ８６３０、Ｍ８９００、Ｈ８７７９で公知の、ＰＶＡフィルムである。
【０１２３】
布地色調剤
組成物は、布地色調剤（色合い剤、青味剤、又は白化剤と称される場合もある）を含み得る。典型的には、色調剤は、布地に青又は紫の色合いをもたらす。色調剤は、単独又は組み合わせのいずれかで使用して、特定の色調の色合いを作り出し、かつ／又は異なる種類の布地に色合いを付けることができる。これは、例えば赤と緑−青の染料とを混合して青又は紫の色合いを生じさせることにより提供され得る。色調剤は、任意の公知の化学的部類の染料から選択されてもよく、これには、アクリジン、アントラキノン（多環式キノンを含む）、アジン、予め金属化されたアゾを含むアゾ（例えば、モノアゾ、ジスアゾ、トリスアゾ、テトラキスアゾ、ポリアゾ）、ベンゾジフラン及びベンゾジフラノン、カロテノイド、クマリン、シアニン、ジアザヘミシアニン、ジフェニルメタン、ホルマザン、ヘミシアニン、インジゴイド、メタン、ナフタルイミド、ナフトキノン、ニトロ及びニトロソ、オキサジン、フタロシアニン、ピラゾール、スチルベン、スチリル、トリアリールメタン、トリフェニルメタン、キサンテン、並びにこれらの混合物が挙げられるが、これらに限定されない。
【０１２４】
好適な布地色調剤は、染料、染料−粘土結合体、並びに有機及び無機顔料を含む。好適な染料としては、小分子染料及びポリマー染料が挙げられる。好適な小分子染料は、例えば、ブルー、バイオレット、レッド、グリーン、又はブラックに分類され、単独で又は組み合わせのいずれかで所望の色合いをもたらす、直接染料、塩基性染料、反応染料若しくは加水分解した反応性染料、溶媒染料、又は分散染料のカラーインデックス（Ｃ．Ｉ．）分類に分類される染料からなる群から選択される小分子染料を含む。別の態様では、好適な小分子染料としては、カラーインデックス（染色業者及びカラーリスト協会（Ｓｏｃｉｅｔｙ  ｏｆ  Ｄｙｅｒｓ  ａｎｄ  Ｃｏｌｏｕｒｉｓｔｓ，Ｂｒａｄｆｏｒｄ，ＵＫ））番号：ダイレクトバイオレット染料（９、３５、４８、５１、６６、及び９９など）、ダイレクトブルー染料（１、７１、８０、及び２７９など）、アシッドレッド染料（１７、７３、５２、８８、及び１５０など）、アシッドバイオレット染料（１５、１７、２４、４３、４９、及び５０など）、アシッドブルー染料１５、１７、２５、２９、４０、４５、７５、８０、８３、９０、及び１１３など）、アシッドブラック染料（１など）、ベーシックバイオレット染料（１、３、４、１０、及び３５など）、ベーシックブルー染料（３、１６、２２、４７、６６、７５、及び１５９など）、分散又は溶剤染料、並びにこれらの混合物からなる群から選択される小分子染料が挙げられる。別の態様では、好適な小分子染料には、Ｃ．Ｉ．番号アシッドバイオレット１７、ダイレクトブルー７１、ダイレクトバイオレット５１、ダイレクトブルー１、アシッドレッド８８、アシッドレッド１５０、アシッドブルー２９、アシッドブルー１１３、又はこれらの混合物からなる群から選択される小分子染料が挙げられる。
【０１２５】
好適なポリマー染料としては、共有結合している（結合していると称されることもある）色原体（色素−ポリマー結合体）を含有するポリマー、例えば、ポリマーの骨格に共重合した色原体を有するポリマー及びこれらの混合物からなる群から選択されるポリマー染料が挙げられる。
【０１２６】
好適な染料−粘土結合体としては、少なくとも１種のカチオン性／塩基性染料及びスメクタイト粘土、並びにこれらの混合物を含む群から選択される染料−粘土結合体が挙げられる。
【０１２７】
香料−好適な補助香料原料としては、下記の表２に列挙される香料原料が挙げられる。かかる補助香料原料は、本明細書に開示したシリコーン化合物に加えて使用することができる。例えば、かかる補助香料原料は、未希釈の香料の一部又は全部を配合するのに使用することができる。
【０１２８】
追加の香料送達技術−消費者製品は、香料成分が、トリートメントされた基材に付着し、基材から放出されるのを安定化し強化する１種以上の香料送達技術で構成されていてもよい。かかる香料送達技術を使用して、トリートメントされた基材からの香料放出の寿命を延ばすこともできる。香料送達技術、特定の香料送達技術を行う方法、及びかかる香料送達技術の使用は、米国特許出願公開第２００７／０２７５８６６（Ａ１）号に開示されている。
【０１２９】
一態様において、流体布地強化剤組成物は、約０．００１重量％〜約２０重量％、又は約０．０１重量％〜約１０重量％、又は約０．０５重量％〜約５重量％、又は更には約０．１重量％〜約０．５重量％の香料送達技術品を含み得る。一態様では、上記の香料送達技術は、香料マイクロカプセル、プロ香料、ポリマー粒子、官能化シリコーン、ポリマー支援型送達、分子支援型送達、繊維支援型送達、アミン支援型送達、シクロデキストリン、デンプンにカプセル封入されたアコード（accord）、ゼオライト及び無機担体、並びにこれらの混合物からなる群から選択され得る。
【０１３０】
一態様において、当該の香料送達技術は、有益剤を壁材料で少なくとも部分的に包み込むことによって形成されるマイクロカプセルを含んでもよい。当該の有益剤は、香料からなる群から選択される材料を含んでよく、一態様では、マイクロカプセル壁材料は、メラミン、ポリアクリルアミド、シリコーン、シリカ、ポリスチレン、ポリ尿素、ポリウレタン、ポリアクリレート系材料、ポリアクリル酸エステル系材料、ゼラチン、スチレンリンゴ酸無水物、ポリアミド、芳香族アルコール、ポリビニルアルコール及びこれらの混合物を含み得る。一態様では、当該のメラミン壁材料は、ホルムアルデヒドで架橋したメラミン、ホルムアルデヒドで架橋したメラミン−ジメトキシエタノール、及びこれらの混合物を含み得る。一態様では、当該のポリスチレン壁材料は、ジビニルベンゼンで架橋したポリスチレンを含み得る。一態様では、当該のポリ尿素壁材料は、ホルムアミドで架橋した尿素、グルタルアルデヒドで架橋した尿素、及びこれらの混合物を含み得る。一態様では、当該のポリアクリレート系壁材料は、メチルメタクリレート／ジメチルアミノメチルメタクリレートから形成されたポリアクリレート、アミンアクリレート及び／又はメタクリレート並びに強酸から形成されたポリアクリレート、カルボン酸アクリレート及び／又はメタクリレートモノマー並びに強塩基から形成されたポリアクリレート、アミンアクリレート及び／又はメタクリレートモノマー並びにカルボン酸アクリレート及び／又はカルボン酸メタクリレートモノマーから形成されたポリアクリレート、並びにこれらの混合物を含み得る。
【０１３１】
一態様において、当該の香料送達技術品は、アミン化合物（ＡＲＰ）又はチオ化合物を含んでもよい。アミン及び／又はチオ官能基が、１種以上のＰＲＭと予備反応して、化合物を形成する、「反応性」のポリマー性アミン及び／又はポリマー性チオを使用することもできる。典型的には、反応性アミンは、一級及び／又は二級アミンであり、ポリマー又はモノマー（非ポリマー）の一部であり得る。
【０１３２】
移染防止剤
布地洗浄組成物はまた、洗浄プロセス中に、ある布地から別の布地に染料が移るのを防止するのに有効な１種以上の材料を含んでもよい。概して、かかる移染防止剤としては、ポリビニルピロリドンポリマー、ポリアミンＮ−オキシドポリマー、Ｎ−ビニルピロリドン及びＮ−ビニルイミダゾールのコポリマー、マンガンフタロシアニン、ペルオキシダーゼ、及びこれらの混合物が挙げられ得る。使用する場合、これらの薬剤は、組成物の約０．０００１重量％〜約１０重量％、いくつかの例では、組成物の約０．０１重量％〜約５重量％、他の例では、組成物の約０．０５重量％〜約２重量％の濃度で使用され得る。
【０１３３】
キレート剤
本明細書において記載されている洗剤組成物はまた、１種以上の金属イオンのキレート剤を含有してもよい。好適な分子としては、銅、鉄、及び／又はマンガンキレート剤並びにこれらの混合物が挙げられる。かかるキレート剤は、ホスホネート、アミノカルボキシレート、アミノホスホネート、スクシネート、多官能的に置換された芳香族キレート剤、２−ピリジノール−Ｎーオキシド化合物、ヒドロキサム酸、カルボキシメチルイヌリン、及びこれらの混合物からなる群から選択することができる。キレート剤は、アルカリ金属、アンモニウム、及びその置換アンモニウム塩、並びにこれらの混合物を含む、酸又は塩の形で存在することができる。
【０１３４】
キレート剤として有用なアミノカルボキシレートとしては、エチレンジアミンテトラアセテート（ＥＤＴＡ）；Ｎ−（ヒドロキシエチル）エチレンジアミントリアセテート（ＨＥＤＴＡ）；ニトリロトリアセテート（ＮＴＡ）；エチレンジアミンテトラプロプリオネート；トリエチレンテトラアミンヘキサアセテート、ジエチレントリアミン−ペンタアセテート（ＤＴＰＡ）；メチルグリシン二酢酸（ＭＧＤＡ）；グルタミン酸二酢酸（ＧＬＤＡ）；エタノールジグリシン；トリエチレンテトラアミン六酢酸（ＴＴＨＡ）；Ｎ−ヒドロキシエチルイミノ二酢酸（ＨＥＩＤＡ）；ジヒドロキシエチルグリシン（ＤＨＥＧ）；エチレンジアミンテトラプロピオン酸（ＥＤＴＰ）、及びこれらの誘導体が挙げられるが、これらに限定されない。
【０１３５】
リン含有キレート剤としては、ジエチレントリアミンペンタ（メチレンホスホン酸）（ＤＴＰＭＰ  ＣＡＳ１５８２７−６０−８）；エチレンジアミンテトラ（メチレンホスホン酸）（ＥＤＴＭＰ  ＣＡＳ１４２９−５０−１）；２−ホスホノブタン１，２，４−トリカルボン酸（Ｂａｙｈｉｂｉｔ（登録商標）ＡＭ）；ヘキサメチレンジアミンテトラ（メチレンホスホン酸）（ＣＡＳ５６７４４−４７−９）；ヒドロキシ−エタンジホスホン酸（ＨＥＤＰ  ＣＡＳ２８０９−２１−４）；ヒドロキシエタンジメチレンホスホン酸；２−ホスホノ−１，２，４−ブタントリカルボン酸（ＣＡＳ３７９７１−３６−１）；２−ヒドロキシ−２−ホスホノ−酢酸（ＣＡＳ２３７８３−２６−８）；アミノトリ（メチレンホスホン酸）（ＡＴＭＰ  ＣＡＳ６４１９−１９−８）；Ｐ，Ｐ’−（１，２−エタンジイル）ビス−ホスホン酸（ＣＡＳ６１４５−３１−９）；Ｐ，Ｐ’−メチレンビス−ホスホン酸（ＣＡＳ１９８４−１５−２）；トリエチレンジアミンテトラ（メチレンホスホン酸）（ＣＡＳ２８４４４−５２−２）；Ｐ−（１−ヒドロキシ−１−メチルエチル）−ホスホン酸（ＣＡＳ４１６７−１０−６）；ビス（ヘキサメチレントリアミンペンタ（メチレンホスホン酸））（ＣＡＳ３４６９０−００−１）；Ｎ２，Ｎ２，Ｎ６，Ｎ６−テトラキス（ホスホノメチル）−リシン（ＣＡＳ１９４９３３−５６−７、ＣＡＳ１７２７８０−０３−９）、これらの塩、及びこれらの混合物が挙げられるが、これらに限定されない。好ましくは、これらのアミノホスホネートは、約６個を超える炭素原子を有するアルキル又はアルケニル基を含有しない。
【０１３６】
本明細書でやはり使用することができる生分解性キレート剤は、エチレンジアミンジスクシネート（「ＥＤＤＳ」）である。いくつかの例では、［Ｓ，Ｓ］異性体であるが、当然ながらこの特定の例に限定されない。他の例では、ＥＤＤＡの三ナトリウム塩を使用することができるが、マグネシウム塩などの他の形態も有用となり得る。ＢＡＳＦからのＴｒｉｌｏｎＰ（登録商標）などのポリマーキレート剤も有用となり得る。
【０１３７】
衛生及び悪臭
本発明の組成物はまた、リシノール酸亜鉛、チモール、Ｂａｒｄａｃ（登録商標）などの四級アンモニウム塩、ポリエチレンイミン（ＢＡＳＦのＬｕｐａｓｏｌ（登録商標）など）、及びその亜鉛錯体、銀及び銀化合物、特に、Ａｇ＋又はナノ銀分散体をゆっくり遊離するように設計されているもののうちの１種以上も含み得る。
【０１３８】
試験方法
（１）ＣｌｏｇＰ
多くの香料成分のｌｏｇＰ値が報告されている。例えばＤａｙｌｉｇｈｔ  Ｃｈｅｍｉｃａｌ  Ｉｎｆｏｒｍａｔｉｏｎ  Ｓｙｓｔｅｍｓ，Ｉｎｃ．（以後「Ｄａｙｌｉｇｈｔ  ＣＩＳ」と呼ぶ）（Ｉｒｖｉｎｅ，Ｃａｌｉｆｏｒｎｉａ）から入手可能なＰｏｍｏｎａ９２データベースは、元の文献の引用と共に、多くのものを含んでいる。しかし、ｌｏｇＰ値は、同じくＤａｙｌｉｇｈｔ  ＣＩＳから入手可能な「ＣＬＯＧＰ」プログラムにより最も便利に計算される。このプログラムはまた、それらがＰｏｍｏｎａ９２データベースで入手可能な場合には、実験的なｌｏｇＰの値も列挙する。「ｌｏｇＰの計算値」（ＣｌｏｇＰ値）は、Ｈａｎｓｃｈ及びＬｅｏのフラグメント手法により求められる（本明細書に参照により組み込まれる、Ａ．Ｌｅｏ，Ｃｏｍｐｒｅｈｅｎｓｉｖｅ  Ｍｅｄｉｃｉｎａｌ  Ｃｈｅｍｉｓｔｒｙ，Ｖｏｌ．４，Ｃ．Ｈａｎｓｃｈ，Ｐ．Ｇ．Ｓａｍｍｅｎｓ，Ｊ．Ｂ．Ｔａｙｌｏｒ  及びＣ．Ａ．Ｒａｍｓｄｅｎ，Ｅｄｓ．，ｐ．２９５，Ｐｅｒｇａｍｏｎ  Ｐｒｅｓｓ，１９９０を参照）。このフラグメント法は、各香料成分の化学構造に基づき、また、原子の数及び種類、原子の連結性、並びに化学結合を考慮に入れたものである。ＣｌｏｇＰ値は、最も信頼でき、物理化学的特性の評価に広く用いられており、好ましくは本発明で有用な香料成分の選択においてｌｏｇＰ実験値の代わりに用いられる。
【０１３９】
試験方法
本出願の「試験方法」の項で開示されている試験方法は、本出願人らの発明が本明細書に記載されかつ特許請求されているように、本出願人らの発明のパラメータのそれぞれの値を求めるために使用されるべきものと理解される。
【０１４０】
粘度試験方法
２５℃における試料粘度の予備推定値を用いて、モデルＡＲ−Ｇ２レオメータ（ＴＡ  Ｉｎｓｔｒｕｍｅｎｔ  Ｃｏｒｐ．（Ｎｅｗ  Ｃａｓｔｌｅ，Ｄｅｌａｗａｒｅ，ＵＳＡ））で行われる最終的な粘度測定分析において使用する適当な器具の構成を選択する。試料粘度の予備推定値は、ブルックフィールド粘度計（Ｂｒｏｏｋｆｉｅｌｄ  Ｅｎｇｉｎｅｅｒｉｎｇ  Ｌａｂｏｒａｔｏｒｉｅｓ  Ｉｎｃ．（Ｍｉｄｄｌｅｂｏｒｏ，Ｍａｓｓａｃｈｕｓｅｔｔｓ，ＵＳＡ））を用いて得ることができる。ＡＲ−Ｇ２レオメータで使用するための構成の選択は、下記表２に基づいて決定される。
【０１４１】
【表１】
2020525591.tif 000027
【０１４２】
この構成を器具に取り付け、器具をマッピングし、隙間距離を０とし、器具温度を２５℃に設定する。平行プレートを使用する場合には測定モードとして硬質モードを選択し、クエットカップとボブの構成を使用する場合には測定モードとして軟質モードを選択する。試料材料は、例えばベースプレートといった試料保持機構内に装着される。ベースプレートと選択される構成との間の許容される最小隙間距離は、試料中に存在する最大の共通粒子の直径の１０倍である。試料中に直径が１００μｍより大きい共通の粒子がある場合（顕微鏡により測定される）、隙間の値は最大の共通粒子の直径の１０倍に設定されるが、そうでない場合には隙間距離は１０００μｍ（すなわち１ｍｍ）の初期値に設定される。選択された構成を適当な隙間にまで下げ、プラスチック工具を用いてあらゆる余分な試料材料を取り除く。試料材料を器具の温度にまで平衡化させる。以下の選択及び設定値を用いて、流れ曲線、応力掃引、及び周波数掃引の３つのレオロジー測定分析を行う。
流れ曲線：段階的流量を０．０１〜１００に選択する；１０倍ごとのポイント数（ｐｏｉｎｔｓ／ｄｅｃａｄｅ）＝１０；剪断応力；一定時間２０；最後の１０個の平均をとる。
応力掃引：応力範囲を０．０１〜１００Ｐａに設定する；周波数を１ｒａｄ／ｓに設定する。
周波数掃引：角周波数範囲を０．１〜１００に設定する。
【０１４３】
分析が線形粘弾性領域内で行われるように、応力値を、事前の応力掃引分析中においてＧ’が低下し始めた時点で存在していた応力値の１／３に設定する。
【０１４４】
２５℃で得られた試験材料の粘度値を報告する。
【０１４５】
アミン当量の試験方法
アミン当量法は、ＡＳＴＭ規格Ｄ２０７４−０７であるが、以下のような、アミン価（ｍｅｑ／ｇ）をアミン当量（ｇ／ｍｏｌ）に換算する更なる工程を含む。
アミン当量（ｇ／ｍｏｌ）＝１０００／アミン価（ｍｅｑ／ｇ）
【０１４６】
ブロッキング指数（ＢＩ）参照スケールを用いた試験サンプルへのＢＩの割り当て方法
ＢＩ参照スケールについて、試験サンプル材料にＢＩを割り当てるための方法の第１の工程は、ＢＩ参照見本を作製することである。このスケールのための見本は、きれいな布地見本を既知の量の既知の体積のイソ吉草酸溶液でトリートメントすることによって作られる。この試験のための布地見本は、ＰＣ５０／５０として注文されるＥＭＣ製の白色ポリコットン編地（４インチ×４インチ）見本である。供給業者に、最初に見本を作製するように指示し、この作製は、香料を含まない洗剤で２回洗い、３回すすぐことによる。
【０１４７】
ＢＩ参照見本の製造
５０％／５０％のＥｔＯＨ／水を希釈剤として用い、０．０８％イソ吉草酸の１種類の溶液を製造する。ＢＩスケールは、悪臭を適用していない１つのきれいな見本を含む。３種類の他の見本には、それぞれ、異なる体積の０．０８％イソ吉草酸が適用される。１つのきれいな見本には、２μＬの０．０８％イソ吉草酸溶液をピペットで置き、次の見本には５μＬの０．０８％イソ吉草酸溶液をピペットで置き、最後のきれいな見本には、２０μＬのイソ吉草酸をピペットで置く。これらの溶液は、見本の中央部にピペットで置かれる。これにより、見本にピペットで置かれた０．０８％イソ吉草酸溶液の体積に基づき、３種類の異なる臭気レベルを有する３つの見本の官能スケールを作成する。換気フードの中で３０分間乾燥させた後、見本をアルミホイルで包み、トリートメントした見本に臭気が混入するのを防ぐ。きれいな未トリートメントの見本も、ＢＩスケールの臭気強度について、最も低い参照固定点として含まれる。ＢＩ参照スケール見本は、０．５〜１２時間以内に使用し、１２時間後には廃棄すべきである。評価者が試験サンプルを評価するとき、見本をスケール固定点として使用し、表１２に示されるようなブロッカー指数（ＢＩ）を割り当てる。
【０１４８】
少なくとも３人の香気判定者／熟練評価者によって、ＢＩスケールにおいて、イソ吉草酸見本をランク付けする。香気判定者／熟練評価者は、スケールに対する十分な識別能力を示すことが必要である。香気判定者／熟練評価者に、０〜３のスケールに従って、見本をランク付けしてもらう。評価者のパネルは、見本間の統計的差を示さなければならない（評価者の訓練についての更なる詳細については、米国特許出願公開第２０１６／００９０５５５（Ａ１）号のｐ３５、第１欄、段落［０２１２］から始まり、表１２及び表１２を含むｐ２５、第２欄で終了する部分に示されており、唯一の相違点は、本発明の目的では３名の評価者を用いている点である。
【０１４９】
ブロッカー指数評価用の悪臭見本の作製、及び試験洗剤でのそのトリートメント
試験材料（ＭＯＣオイル又はシリコーンと反応したＭＯＣ）を含有する試験洗剤のＢＩを評価するため、最初に、身体汚れ悪臭組成物で汚した見本を調製する。身体汚れ悪臭組成物を作るため、最初に表Ａの配合に従って悪臭組成物を作製する。
【０１５０】
【表２】
2020525591.tif 000028
【０１５１】
次に、表Ｂに従った指定量の各材料を、Ｔｅｆｌｏｎでライニングされたキャップ付きの２００ｍＬのガラスジャーに加えることによって身体汚れ悪臭組成物を作製する。人工身体汚れ（ＡＢＳ）は、Ａｃｃｕｒａｔｅ  Ｐｒｏｄｕｃｔ  Ｄｅｖｅｌｏｐｍｅｎｔ（２０２８  Ｂｏｈｌｋｅ  Ｂｌｖｄ，Ｆａｉｒｆｉｅｌｄ，ＯＨ  ４５０１４）によって市販されている。
【０１５２】
【表３】
2020525591.tif 000029
【０１５３】
表Ｂの組成物を使用して、悪臭身体汚れ組成物で汚された見本を調製する。３００μｌの表Ｂに記載の身体汚れ悪臭組成物を、ＥＭＣ製の湯通しした４×４インチのＰＣ５０／５０見本に適用する。
【０１５４】
汚した見本をトリートメントするため、性能実施例１の表１Ｂに従った液体洗剤４８グラムを、７７°Ｆでの洗いサイクルに続いて６０°Ｆでのすすぎサイクルを行う通常サイクルに設定したＤｕｅｔ９２００洗濯機に添加する。悪臭試験布地を７ｇｐｇの洗い水中で、３．９ｋｇの５０×５０ｃｍのきれいなコットン及びポリコットンバラストと共に洗って、次いで、Ｍａｙｔａｇ製二重積み重ね型タンブル乾燥機で２０分間、低に設定し乾燥する。乾燥した布地をマイラーバッグに入れ、２４時間密封する。
【０１５５】
２４時間後、少なくとも３人の香気判定者／熟練評価者によって、試験サンプルにＢＩを割り当てる。熟練評価者は、イソ吉草酸＋試験材料見本を、鼻から１インチにその見本を保持することによって嗅ぎ、その後、その臭気強度の、ＢＩ参照スケールの見本の臭気強度に対するランク付けに基づいて、イソ吉草酸＋試験材料見本にＢＩを割り当てる。試験サンプル見本に、表のＢＩスケールについての数で、又はその間の数でＢＩを割り当てる。イソ吉草酸＋試験材料見本の臭気がＢＩ参照スケールで３よりも大きい場合、材料がブロッカーではないことを示す。
【実施例】
【０１５６】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるかかる全ての変更及び修正は、添付の特許請求の範囲において網羅することを意図したものである。
【０１５７】
実施例１
アミノエステルを末端に有するポリジメチルシロキサンを、以下のように生成させる。
カルボキシプロピルを末端に有するポリジメチルシロキサンであるＤＭＳ−Ｂ３１（２５．００ｇ；分子量（ＭＷ）２８，０００；Ｇｅｌｅｓｔ，Ｉｎｃ．（Ｍｏｒｒｉｓｖｉｌｌｅ，ＰＡ）より入手可能）を、Ｎ，Ｎ−ジメチルエタノールアミン（０．６４ｇ；Ｓｉｇｍａ−Ａｌｄｒｉｃｈ，Ｓｔ．Ｌｏｕｉｓ，ＭＯより入手可能）と合わせる。混合物を１６時間、１８０℃で撹拌しながら水を遊離させ加熱した後、混合物を減圧下に置いて過剰なＮ，Ｎ−ジメチルエタノールアミンを除去する。反応生成物を１Ｈ  ＮＭＲで分析すると、エステル官能基を含有している。
【０１５８】
実施例２
アミノ／メタクリロイルオキシマイケル付加物側鎖ポリジメチルシロキサンを、以下のように生成させる。
（メタクリルオキシプロピル）メチルシロキサン−ジメチルシロキサンコポリマーであるＲＭＳ−０３３（５．００ｇ；官能基分子量２６００；Ｇｅｌｅｓｔ，Ｉｎｃ．（Ｍｏｒｒｉｓｖｉｌｌｅ，ＰＡ）より入手可能）を、エチレンジアミン（０．４７ｇ；Ｓｉｇｍａ−Ａｌｄｒｉｃｈ（Ｓｔ．Ｌｏｕｉｓ，ＭＯ）より入手可能）及び２−エチル−１−ヘキサノール（１．３７ｇ；Ｓｉｇｍａ−Ａｌｄｒｉｃｈ（Ｓｔ．Ｌｏｕｉｓ，ＭＯ）より入手可能）と合わせる。混合物を１６時間、１３５℃で撹拌しながら加熱した後、混合物を減圧下に置いて過剰なエチレンジアミンを除去する。反応生成物を１Ｈ  ＮＭＲにより分析すると、アミノ／メタクリロイルオキシマイケル付加官能基を含有している。
【０１５９】
実施例３
有益剤を当該のシリコーンに連結する切断可能な結合を含む部分を有するシリコーン部分を含むシリコーン化合物を、以下のように生成させる。
実施例２のアミノ／メタクリロイルオキシマイケル付加側鎖ポリジメチルシロキサン（２．５ｇ官能基分子量１９８２）をδ−ダマスコン（０．２４ｇ；Ｓｉｇｍａ−Ａｌｄｒｉｃｈ，Ｓｔ．Ｌｏｕｉｓ，ＭＯより入手可能）と合わせる。この混合物を１２５℃で４時間、撹拌しながら加熱する。反応生成物を１Ｈ  ＮＭＲにより分析すると、アミノ／ダマスコンマイケル付加官能基を含有している。
【０１６０】
このシリコーン化合物を試験すると、かかるシリコーン化合物はδ−ダマスコンである有益剤を徐々に放出することから、香料送達媒質として機能することが見出される。
【０１６１】
実施例４
有益剤を当該のシリコーンに連結する切断可能な結合を含む部分を有するシリコーン部分を含むシリコーン化合物を、以下のように生成させる。
実施例２のアミノ／メタクリロイルオキシマイケル付加物側鎖ポリジメチルシロキサン（２．５ｇ、官能基分子量１９８２）をメロナール（０．１８ｇ；Ｓｉｇｍａ−Ａｌｄｒｉｃｈ，Ｓｔ．Ｌｏｕｉｓ，ＭＯより入手可能）及びｐ−トルエンスルホン酸（０．００２５ｇ；Ｓｉｇｍａ−Ａｌｄｒｉｃｈ，Ｓｔ．Ｌｏｕｉｓ，ＭＯより入手可能）と合わせる。混合物を、窒素掃引を行いながら１２５℃で４時間、撹拌しながら加熱する。反応生成物を１Ｈ  ＮＭＲで分析すると、イミン官能基を含有している。
【０１６２】
このシリコーン化合物を試験すると、かかるシリコーン化合物はδ−ダマスコンである有益剤を徐々に放出することから、香料送達媒質として機能することが見出される。
【０１６３】
実施例５
アミノエステルを末端に有するポリジメチルシロキサンを、以下のように生成させる。
カルボキシデシルを末端に有するポリジメチルシロキサンであるＤＭＳ−Ｂ１２（２５．００ｇ；分子量１０００；Ｇｅｌｅｓｔ，Ｉｎｃ．（Ｍｏｒｒｉｓｖｉｌｌｅ，ＰＡ）より入手可能）を、Ｎ，Ｎ−ジメチルエタノールアミン（１７．８３ｇ；Ｓｉｇｍａ−Ａｌｄｒｉｃｈ，Ｓｔ．Ｌｏｕｉｓ，ＭＯより入手可能）と合わせる。混合物を１６時間、１８０℃で撹拌しながら水を遊離させ加熱した後、混合物を減圧下に置いて過剰なＮ，Ｎ−ジメチルエタノールアミンを除去する。反応生成物を１Ｈ  ＮＭＲで分析すると、エステル官能基を含有している。
【０１６４】
実施例６
（アミノエステル）メチルシロキサン−ジメチルシロキサンコポリマーを、以下のように生成させる。
（カルボキシデシル）メチルシロキサン−ジメチルシロキサンコポリマー（２５．００ｇ；カルボキシ当量４８８ｇ／ｍｏｌ）を、Ｎ，Ｎ−ジメチルエタノールアミン（１８．２７ｇ；Ｓｉｇｍａ−Ａｌｄｒｉｃｈ，Ｓｔ．Ｌｏｕｉｓ，ＭＯから入手可能）と合わせる。混合物を１６時間、１８０℃で撹拌しながら水を遊離させ加熱した後、混合物を減圧下に置いて過剰なＮ，Ｎ−ジメチルエタノールアミンを除去する。反応生成物を１Ｈ  ＮＭＲで分析すると、エステル官能基を含有している。
【０１６５】
実施例７−シリコーン化合物を含有する製品配合の非限定的な例を、下表に要約する。
【０１６６】
【表４】
2020525591.tif 000030
＊残部
ａＮ，Ｎ−ジ（タローイルオキシエチル）−Ｎ，Ｎ−ジメチルアンモニウムクロリド
ｂメチルビス（タローアミドエチル）２−ヒドロキシエチルアンモニウムメチルサルフェート
ｃ脂肪酸とメチルジエタノールアミンとのモル比１．５：１での化合物について、塩化メチルで四級化して、Ｎ，Ｎ−ビス（ステアロイル−オキシ−エチル）Ｎ，Ｎ−ジメチルアンモニウムクロリドとＮ−（ステアロイル−オキシ−エチル）Ｎ−ヒドロキシエチルＮ，Ｎジメチルアンモニウムクロリドとの１：１モル混合物としたもの。
ｄＮａｔｉｏｎａｌ  Ｓｔａｒｃｈから商品名ＣＡＴＯ（登録商標）で入手可能なカチオン性高アミローストウモロコシデンプン。
ｆ米国特許第５，５７４，１７９号第１５欄第１〜５行に開示される式を有する、エチレンオキシドとテレフタレートとのコポリマー（式中、各Ｘはメチルであり、各ｎは４０であり、ｕは４であり、各Ｒ１は本質的に１，４−フェニレン部分であり、各Ｒ２は本質的にエチレン、１，２−プロピレン部分、又はこれらの混合物である。）
ｇＷａｃｋｅｒ製ＳＥ３９
ｈジエチレントリアミン五酢酸
ｉＲｏｈｍ  ａｎｄ  Ｈａａｓ  Ｃｏ．から入手可能なＫＡＴＨＯＮ（登録商標）ＣＧ。「ＰＰＭ」は、「百万分率」
ｊグルタルアルデヒド（Gluteraldehyde）
ｋＤＣ２３１０の商品名でＤｏｗ  Ｃｏｒｎｉｎｇ  Ｃｏｒｐ．から入手可能なシリコーン消泡剤
ｌＲｏｈｍ  ａｎｄ  Ｈａａｓから商品名Ａｃｕｌａｎ  ４４で入手可能な疎水変性エトキシル化ウレタン
【０１６７】
実施例８−ドライ洗濯配合物中のシリコーン化合物
【０１６８】
【表５】
2020525591.tif 000031
【０１６９】
実施例９−シリコーン化合物を含む液体洗濯配合物（ＨＤＬ）
【０１７０】
【表６】
2020525591.tif 000032
【０１７１】
実施例１０本発明によるシリコーン化合物及び／又はマイクロカプセルを含む流動性粒子製品の実施例。下の表はまた、遊離及びかマイクロカプセル中の香料も含む組み合わせ、又は悪臭低減物質及び／若しくは組成物による上述の組み合わせとこれらの組み合わせも例示する。この表はまた、本質的に「無香料」の製品を提供するために芳香剤を殆ど又は全く含まない、悪臭低減物質だけを有する組成物、及び／又は、遊離、マイクロカプセル中、及びその組み合わせの組成物も例示する。
【０１７２】
【表７】
2020525591.tif 000033
【０１７３】
【表８】
2020525591.tif 000034
（１）ＰＥＧ
（２）粘土
（３）尿素
（４）多糖、大部分がデンプン、未変性デンプン、デンプン誘導体、酸変性デンプン及びκカラギーナン
（５）ゼオライト
（６）デンプン／ゼオライト−ＳＥＡ
（７）金属酸化物−非限定例−ＴｉＯ２、ＺｎＯ、ＭｎＯ
（８）金属触媒
（９）乳白剤
（１０）香料系は、以下のうちの１つ以上から選択される：遊離香料、及び以下の送達系の１つ以上における香料：マイクロカプセル、ポリマー支援型送達、分子支援型送達、シクロデキストリン、デンプン封入送達、ゼオライト、及び／又は無機物。
【０１７４】
実施例１１単位用量組成物
【０１７５】
【表９】
2020525591.tif 000035
＊香料系は、以下のうちの１つ以上から選択される：遊離香料、及び以下の送達系：マイクロカプセル、ポリマー、のうちの１つ以上の香料。
【０１７６】
実施例１２性能実施例−遊離油として添加された悪臭抑制（ＭＯＣ）オイルに対する、シリコーンポリマーと反応させたＭＯＣ油
表１２Ａに従った組成を有する２種類のＭＯＣオイル、ＭＯＣ  Ａ及びＭＯＣ  Ｂを得る。
【０１７７】
【表１０】
2020525591.tif 000036
【０１７８】
ＭＯＣ  Ａ及びＭＯＣ  Ｂを本開示の指示に従ってシリコーンと反応させて、以下に示される一般構造を有するシリコーン＋ＭＯＣオイル化合物を得る（置換基Ｒは、独立して、反応後の構成成分オイルである）。
【０１７９】
【化２６】
2020525591.tif 000037
【０１８０】
一部のものが遊離オイル又はシリコーンと反応させたオイルを含む、洗剤を、表１２Ｂの配合に従って調製する。ブロッキング指数（ＢＩ）によって測定された洗剤の性能も表１２Ｂに示す。
【０１８１】
【表１１】
2020525591.tif 000038
＊重量％は、反応生成物の活性オイル濃度に基づく。
【０１８２】
表１２ＢのＢＩの結果に示されるように、シリコーンと反応したＭＯＣオイルを含む組成物４及び５は、対照組成物及び比較組成物と比較して改善されたブロッキング指数性能を示した。
【０１８３】
本明細書において開示された寸法及び値は、列挙された正確な数値に厳密に限定されるものとして理解されるべきではない。むしろ、特に指定されない限り、こうした寸法はそれぞれ、列挙した値と、その値の周辺の機能的に等価な範囲との両方を意味することを意図している。例えば、「４０ｍｍ」として開示される寸法は、「約４０ｍｍ」を意味するものとする。
【０１８４】
相互参照される又は関連する全ての特許又は特許出願、及び本願が優先権又はその利益を主張する任意の特許出願又は特許を含む、本願に引用される全ての文書は、除外又は限定することを明言しない限りにおいて、参照によりその全容が本明細書に組み込まれる。いかなる文献の引用も、本明細書中で開示又は特許請求される任意の発明に対する先行技術であるとはみなされず、又はそれを単独で又は他の任意の参考文献（単数又は複数）と組み合わせたときに、かかる発明全てを教示、示唆又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【０１８５】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるかかる全ての変更及び修正は、添付の特許請求の範囲において網羅することを意図したものである。
【国際調査報告】
2020525591.tif 000049
2020525591.tif 000050
2020525591.tif 000051